(57)【要約】【課題】惑星はどのようにできたか。なぜ木星と土星の質量は大きく水素が多いか。なぜ天王星のリングと海王星のリングは傾いているのか。惑星の軌道エネルギーはどのようであるか。原子の電子や陽子はどのようになっているか。高速加速器で陽子が衝突した時、光子はどのように飛散するか。【解決手段】太陽の中心の中性子星が公転速度を作り、惑星に成る元素は公転軌道を走る。この事によって、原子密度は大きくなり、同じ方向に走るので引く力ができる。引く力により元素は集まり惑星ができる。木星と土星の質量は、第1世代の星が作った物です。天王星と海王星は、銀河系の腕のように螺旋回転している。惑星の軌道エネルギーはどのように成っているか。太陽が惑星に与える輻射量と惑星の軌道エネルギーの関係を算出する。こ事から、原子の中の電子と陽子はどのようになっているかを理解し、陽子を高速加速器で衝突させた場合、どのようになるかを検討する。【選択図】図１
2009033965.tif 000002
【特許請求の範囲】
【請求項１】
惑星はどのようにできたか。
惑星の材料になったのは、第1世代の星の中でできた元素が、超新星爆発によって球状に飛散した元素です。
この元素は、球状の軌道の中でランダムに回転していました。
第1世代の星が超新星爆発した中心に残ったものは、中性子星です。
この中性子星が、軌道エネルギーを作りました。軌道エネルギーは公転速度に成りました。
それで、球状の軌道の中でランダムに回転していた元素は、公転軌道上を公転しました。
球状の軌道の体積に存在した元素は、公転軌道上を公転しました。
この事によって、元素の密度は大きくなりました。
元素が公転軌道上を公転する事によって、元素は同じ方向に、同じ速度で走るので、引く力が生まれました。引く力は、磁気の光子のエネルギーでできます。元素の1番外側の電子のラブの自転によってできます。
この力によって元素は集合しました。
大きくなった元素の集合体に、更に元素が加わり、惑星ができました。
惑星の自転により惑星の中央には重い元素が集まりました。
即ち、公転する事によって、元素の密度は大きくなり、引く力ができる。
この2つの働きによって、惑星ができます。
・この考えに基づき次のように考える。
a.球状の軌道の中でランダムに回転していた原子は、１Km3に何個であったか。
b.中性子星が作った軌道エネルギーと公転速度はいくらか。
c.公転軌道を公転する原子は、１Km2に何個であったか。
d.この軌道の元素の1番外側の電子のラブが1公転で作る磁気の光子のエネルギーはいくらか。
e.惑星の原子は、１Km3に何個であるか。
f.自転により、重い元素は中央に成った。
・これらを求める式はどのようであるか。
a.球状の軌道の中でランダムに回転していた原子は、１Km3に何個であったか。
１Km3の原子数＝惑星の原子数÷(大きい軌道の体積−小さい軌道の体積)
大きい軌道＝太陽から遠い惑星と惑星の中間の軌道
小さい軌道＝惑星と太陽に近い惑星の中間の軌道
惑星の元素が存在した軌道の範囲＝小さい軌道から大きい軌道まで
b.中性子星が作った軌道エネルギーと公転速度はいくらか。
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
公転速度＝(5.4×1018J・Km÷半径)1/2
c.公転軌道を公転する原子は、１Km2に何個であったか。
１Km2の原子数＝惑星の原子数÷(大きい軌道の平面積−小さい軌道の平面積)
d.この軌道の元素の1番外側の電子のラブが1公転で作る磁気の光子のエネルギーはいくらか。
1公転でできる磁気の光子7.6×107個のエネルギー＝1.233×10−41Jm÷公転軌道
e.惑星の原子は、１Km3に何個であるか。
惑星の１Km3の原子数＝惑星の原子数÷惑星の体積
△水星の場合。
a.球状の軌道の中でランダムに回転していた原子(元素を原子に換算する)は、１Km3に何個であったか。
金星と水星の中間の軌道は、(金星の軌道−水星の軌道)÷2＋水星の軌道＝(1.082×108Km−0.579×108Km)÷2＋0.579×108Km＝0.8305×108Km
水星と太陽の中間の軌道は、水星の軌道÷2＝(0.579×108Km)÷2＝0.2895×108Km
水星の元素が存在していた軌道の体積＝金星と水星の中間の軌道の球体積−水星と太陽の中間の軌道の球体積＝4π÷3×(0.8305×108Km)3−4π÷3×(0.2895×108Km)3＝2.398×1024Km3−0.1016×1024Km3＝2.2964×1024Km3
この体積に存在していた元素が水星になった。
水星の原子数＝１Kgの原子数×地球の質量×地球の質量の倍数＝6×1026個×5.974×1024Kg×0.05527＝1.970×1050個
１Km3の原子数＝1.970×1050個÷(2.2964×1024Km3)＝8.579×1025個/Km3
１Km3に8.579×1025個の原子が存在し、ランダムに回転していた。
b.水星ができた軌道の公転速度はいくらだったか。
公転速度＝｛5.4×1018J・Km÷(0.579×108Km)｝1/2＝(9.326×1010J)1/2＝3.054×105Km
秒速約3.×105Kmの光速で元素は公転し、元素は平面軌道上を公転した。
元素が光速で同じ方向に公転し、引く力が生まれた。
c.公転軌道を公転する原子は、１Km2に何個であったか。
水星の軌道の平面積＝π(0.8305×108Km)2−π(0.2895×108Km)2＝2.166×1016Km2−0.263×1016Km2＝1.903×1016Km2
平面の原子密度＝水星の原子数÷平面積＝1.970×1050個÷(1.903×1016Km2)＝1.035×1034個/Km2
平面を公転する事によって、原子の密度は、8.579×1025個/Km3から1.035×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(4.096×10−11ｍ)＝3.010×10−31J
この引力で元素は引き合った。
e.水星の原子は、１Km3に何個であるか。
水星の１Km3の原子数＝水星の原子数÷水星の体積＝1.970×1050個÷｛4π÷3×(2.44×103Km)3｝＝1.970×1050個÷(6.082×1010Km3)＝3.239×1039個/Km3
3.239×1039個/Km3の原子の集合体である水星ができた。
f.自転により重い元素は中央に成った。
△金星の場合。
a.球状の軌道の中でランダムに回転していた原子は、１Km3に何個であったか。
地球と金星の中間の軌道は、(地球の軌道−金星の軌道)÷2＋金星の軌道＝(1.496×108Km−1.082×108Km)÷2＋1.082×108Km＝0.207×108Km＋1.082×108Km＝1.289×108Km
金星の元素が存在していた軌道の体積＝地球と金星の中間の軌道の球体積−金星と水星の中間の軌道の球体積＝4π÷3×(1.289×108Km)3−4π÷3×(0.8305×108Km)3＝4π÷3×1.569×1024Km3＝6.569×1024Km3
この体積に存在した元素が金星の元素になった。
金星の原子数＝１Kgの原子数×地球の質量×地球の質量の倍数＝6×1026個×5.974×1024Kg×0.8150＝2.921×1051個
１Km3の原子数＝2.921×1051個÷(6.569×1024Km3)＝4.447×1026個/Km3
１Km3に4.447×1026個の原子が存在し、ランダムに回転していた。
b.中性子星が作った公転速度はいくらか。
公転速度＝｛5.4×1018J・Km÷(1.082×108Km)｝1/2＝(4.991×1010J)1/2＝2.234×105Km
秒速2.234×105Kmの光速で元素は公転し、元素は平面軌道上を公転した。
元素が同じ方向に高速で公転し、引く力が生まれた。
c.公転軌道を公転する原子は、１Km2に何個であったか。
金星の軌道の平面積＝0.8305×108Kmの軌道から1.289×108Kmの軌道までの面積＝π(1.289×108Km)2−π(0.8305×108Km)2＝π(1.662−0.6897)1016Km2＝3.053×1016Km2
平面の原子密度＝金星の原子数÷平面積＝2.921×1051個÷(3.053×1016Km2)＝9.568×1034個/Km2
平面を公転する事によって、原子の密度は、4.447×1026個/Km3から9.568×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(7.656×10−11ｍ)＝1.611×10−31J
この引力で元素は引き合った。
e.金星の原子は、１Km3に何個であるか。
金星の１Km3の原子数＝金星の原子数÷金星の体積＝2.921×1051個÷｛4π÷3×(6.052×103Km)3｝＝2.921×1051個÷(9.280×1011Km3)＝3.145×1039個/Km3
3.145×1039個/Km3の原子の集合体である金星ができた。
f.自転により重い元素は中央に成った。
△地球の場合。
a.球状の軌道の中でランダムに回転していた原子は、１Km3に何個であったか。
火星と地球の中間の軌道は、(火星の軌道−地球の軌道)÷2＋地球の軌道＝(2.279×108Km−1.496×108Km)÷2＋1.496×108Km＝0.3915×108Km＋1.496×108Km＝1.888×108Km
地球の元素が存在していた軌道の体積＝火星と地球の中間の軌道の球体積−地球と金星の中間の軌道の球体積＝4π÷3×(1.888×108Km)3−4π÷3×(1.289×108Km)3＝4π÷3×4.583×1024Km3＝1.919×1025Km3
この体積に存在した元素が地球の元素になった。
地球の原子数＝１Kgの原子数×地球の質量＝6×1026個×5.974×1024Kg＝3.584×1051個
１Km3の原子数＝3.584×1051個÷(1.919×1025Km3)＝1.868×1026個/Km3 
１Km3に4.447×1026個の原子が存在し、ランダムに回転していた。
b.中性子星が作った公転速度はいくらか。
公転速度＝｛5.4×1018J・Km÷(1.496×108Km)｝1/2＝(3.610×1010J)1/2＝1.900×105Km
秒速1.900×105Kmの光速で元素は公転し、元素は平面軌道上を公転した。
元素が同じ方向に高速で公転し、引く力が生まれた。
c.公転軌道を公転する原子は、１Km2に何個であったか。
地球の軌道の平面積＝1.289×108Kmの軌道から1.888×108Kmの軌道までの面積＝π(1.888×108Km)2−π(1.289×108Km)2＝π(3.565−1.662)1016Km2＝5.975×1016Km2
平面の原子密度＝地球の原子数÷平面積＝3.584×1051個÷(5.975×1016Km2)＝5.998×1034個/Km2
平面を公転する事によって、原子の密度は、1.868×1026個/Km3から5.998×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(1.058×10−10ｍ)＝1.165×10−31J
この引力で元素は引き合った。
e.地球の原子は、１Km3に何個であるか。
地球の１Km3の原子数＝地球の原子数÷地球の体積＝3.584×1051個÷｛4π÷3×(6.378×103Km)3｝＝3.584×1051個÷(1.086×1012Km3)＝3.300×1039個/Km3
3.300×1039個/Km3の原子の集合体である地球ができた。
f.自転により重い元素は中央に成った。
△火星と小惑星の場合。
a.球状の軌道の中でランダムに回転していた原子は、１Km3に何個であったか。
木星と火星の中間の軌道は、(木星の軌道−火星の軌道)÷2＋火星の軌道＝(7.783×108Km−2.279×108Km)÷2＋2.279×108Km＝2.752×108Km＋2.279×108Km＝5.031×108Km
小惑星と火星の元素が存在していた軌道の体積＝木星と火星の中間の軌道の球体積−火星と地球の中間の軌道の球体積＝4π÷3×(5.031×108Km)3−4π÷3×(1.888×108Km)3＝4π÷3×(127.339−6.730)1024Km3＝5.0495×1026Km3
この体積に存在した原子数がが火星の原子数と小惑星の原子数になった。
小惑星の合計の原子数をY個とする。
火星の原子数＝１Kgの原子数×地球の質量×地球の質量の倍数＝6×1026個×5.974×1024Kg×0.1074＝3.850×1050個
１Km3の原子数＝(Y個＋3.850×1050個)÷(5.049×1026Km3)
・火星と小惑星の軌道の１Km3の原子数はどれくらいか。
水星の場合、１Km3の原子数は、8.214×1025個、
金星の場合、１Km3の原子数は、4.447×1026個、
地球の場合、１Km3の原子数は、1.868×1026個です。
地球の密度は1番大きく、5.52です。
火星の密度は地球型惑星では1番小さく、3.93です。
この事は、重い元素は地球の軌道に多い。第1世代の超新星爆発で飛散した元素が、地球の軌道にたくさん集まった。
それで、火星と小惑星の場合、地球の１Km3の原子数より少ない。
火星と小惑星の１Km3の原子数を、1.5×1026個と仮定します。
そうしますと、
１Km3の原子数＝(Y個＋3.850×1050個)÷(5.049×1026Km3)＝1.5×1026個
Y個＝1.5×1026個×(5.049×1026Km3)−3.850×1050個＝7.5735×1052−3.850×1050個＝7.535×1052個
小惑星の原子数の合計は、7.535×1052個です。
これは地球の質量の何倍か。
7.535×1052個÷(6×1026個×5.974×1024Kg)＝2.102×10(倍)
小惑星の原子数の合計は、地球の原子数の21.02倍です。
第1世代の星の超新星爆発によって、1.888×108Km から5.031×108Kmの球体の軌道には、1Km3に1.5×1026個の原子が存在した。
１Km3に1.5×1026個の原子が存在し、ランダムに回転していた。
b.中性子星が作った公転速度はいくらか。火星の軌道の場合。
公転速度＝｛5.4×1018J・Km÷(2.279×108Km)｝1/2＝(2.369×1010J)1/2＝1.539×105Km
秒速1.539×105Kmの光速で元素は公転し、元素は平面軌道上を公転した。
元素が同じ方向に高速で公転し、引く力が生まれた。
c.公転軌道を公転する原子は、１Km2に何個であったか。
火星と小惑星の軌道の平面積＝1.888×108Kmの軌道から5.031×108Kmの軌道までの面積＝π(5.031×108Km)2−π(1.888×108Km)2＝π(25.311−3.565)1016Km2＝6.828×1017Km2
平面の原子密度＝火星と小惑星の原子数÷平面積＝(3.850×1050個＋7.535×1052個)÷(6.828×1017Km2)＝1.109×1035個/Km2
平面を公転する事によって、原子の密度は、1.5×1026個/Km3から1.109×1035個/Km2になった。
d.この軌道の元素の1番外側の電子のラブが1公転で作る磁気の光子のエネルギーはいくらか。火星の場合。
1公転でできる磁気の光子7.6×107個のエネルギー＝1.233×10−41Jm÷(1.613×10−10ｍ)＝7.644×10−32J
この引力で元素は引き合った。
e.火星の原子は、１Km3に何個であるか。
火星の１Km3の原子数＝火星の原子数÷火星の体積＝3.850×1050個÷｛4π÷3×(3.396×103Km)3｝＝3.850×1050個÷(1.640×1011Km3)＝2.348×1039個/Km3
2.348×1039個/Km3の原子の集合体である火星ができた。
f.自転により重い元素は中央に成った。
△木星の場合。
a.球状の軌道の中でランダムに回転していた原子は、１Km3に何個であったか。
土星と木星の中間の軌道は、
(土星の軌道―木星の軌道)÷2＋木星の軌道＝(14.294×108Km−7.783×108Km)÷2＋7.783×108Km＝1.1039×109Km
木星の元素が存在していた軌道の体積＝土星と木星の中間の軌道の球体積−木星と火星の中間の軌道の球体積＝4π÷3×(1.1039×109Km)3−4π÷3×(5.031×108Km)3＝4π÷3×12.177×1026Km3＝5.098×1027Km3
この体積に存在した元素が木星の元素になった。
木星の原子数＝１Kgの原子数×地球の質量×地球の質量の倍数＝6×1026個×5.974×1024Kg×317.83＝1.139×1054個
１Km3の原子数＝1.139×1054個÷(5.098×1027Km3)＝2.234×1026個/Km3
１Km3に4.447×1026個の原子が存在し、ランダムに回転していた。
b.中性子星が作った公転速度はいくらか。
公転速度＝｛5.4×1018J・Km÷(7.783×108Km)｝1/2＝(69.382×108J)1/2＝8.330×104Km
秒速8.330×104Kmの高速で元素は公転し、元素は平面軌道上を公転した。
元素が同じ方向に高速で公転し、引く力が生まれた。
c.公転軌道を公転する原子は、１Km2に何個であったか。
木星の軌道の平面積＝5.031×108Kmの軌道から1.1039×109Kmの軌道までの面積＝π(11.039×108Km)2−π(5.031×108Km)2＝π(121.860−25.311)1016Km2＝3.032×1018Km2
平面の原子密度＝木星の原子数÷平面積＝1.139×1054個÷(3.032×1018Km2)＝3.757×1035個/Km2
平面を公転する事によって、原子の密度は、2.234×1026個/Km3から3.757×1035個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(5.499×10−10ｍ)＝2.242 ×10−32J
この引力で元素は引き合った。
e.木星の原子は、１Km3に何個であるか。
木星の１Km3の原子数＝木星の原子数÷木星体積＝1.139×1054個÷｛4π÷3×(7.1492×104Km)3｝＝1.139×1054個÷(1.530×1015Km3)＝7.444×1038個/Km3
7.444×1038個/Km3の原子の集合体である木星ができた。
f.自転により重い元素は中央に成った。
△土星の場合。
a.球状の軌道の中でランダムに回転していた原子は、１Km3に何個であったか。
天王星と土星の中間の軌道は、
(天王星の軌道―土星の軌道)÷2＋土星の軌道＝(28.750×108Km−14.294×108Km)÷2＋14.294×108Km＝2.1522×109Km
土星の元素が存在していた軌道の体積＝天王星と土星の中間の軌道の球体積−土星と木星の中間の軌道の球体積＝4π÷3×(21.522×108Km)3−4π÷3×(11.038×108Km)3＝4π÷3×(9.969−1.345)×1027Km3＝3.611×1028Km3
この体積に存在した元素が土星の元素になった。
土星の原子数＝１Kgの原子数×地球の質量×地球の質量の倍数＝6×1026個×5.974×1024Kg×95.16＝3.411×1053個
１Km3の原子数＝3.411×1053個÷(3.611×1028Km3)＝9.446×1024個
１Km3に9.446×1024個の原子が存在し、ランダムに回転していた。
b.中性子星が作った公転速度はいくらか。
公転速度＝｛5.4×1018J・Km÷(14.294×108Km)｝1/2＝(37.778×108J)1/2＝6.146×104Km
秒速6.146×104Kmの高速で元素は公転し、元素は平面軌道上を公転した。
元素が同じ方向に高速で公転し、引く力が生まれた。
c.公転軌道を公転する原子は、１Km2に何個であったか。
土星の軌道の平面積＝11.038×108Kmの軌道から21.522×108Kmの軌道までの面積＝π(21.522×108Km)2−π(11.038×108Km)2＝π(4.632−1.218)1018Km2＝1.072×1019Km2
平面の原子密度＝土星の原子数÷平面積＝3.411×1053個÷(1.072×1019Km2)＝3.182×1034個/Km2
平面を公転する事によって、原子の密度は、9.446×1024個/Km3から3.182×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(1.009×10−9ｍ)＝1.222×10−32J
この引力で元素は引き合った。
e.土星の原子は、１Km3に何個であるか。
土星の１Km3の原子数＝土星の原子数÷土星の体積＝3.411×1053個÷｛4π÷3×(6.0268×104Km)3｝＝3.411×1053個÷(9.165×1014Km3)＝3.722×1038個/Km3
3.722×1038個/Km3の原子の集合体である土星ができた。
f.自転により重い元素は中央に成った。
△天王星の場合。
a.球状の軌道の中でランダムに回転していた原子は、１Km3に何個であったか。
海王星と天王星の中間の軌道は、
(海王星の軌道―天王星の軌道)÷2＋天王星の軌道＝(45.044×108Km−28.750×108Km)÷2＋28.750×108Km＝3.6897×109Km
天王星の元素が存在していた軌道の体積＝海王星と天王星の中間の軌道の球体積−天王星と土星の中間の軌道の球体積＝4π÷3×(36.897×108Km)3−4π÷3×(21.522×108Km)3＝4π÷3×(50.23−9.969)×1027Km3＝1.686×1029Km3
この体積に存在した元素が天王星の元素になった。
天王星の原子数＝１Kgの原子数×地球の質量×地球の質量の倍数＝6×1026個×5.974×1024Kg×14.54＝5.212×1052個
１Km3の原子数＝5.212×1052個÷(1.686×1029Km3)＝3.091×1023個/Km3
１Km3に3.091×1023個の原子が存在し、ランダムに回転していた。
b.中性子星が作った公転速度はいくらか。
公転速度＝｛5.4×1018J・Km÷(28.750×108Km)｝1/2＝(1.879×109J)1/2＝4.335×104Km
秒速4.335×104Kmの高速で元素は公転し、元素は平面軌道上を公転した。
元素が同じ方向に高速で公転し、引く力が生まれた。
c.公転軌道を公転する原子は、１Km2に何個であったか。
天王星の軌道の平面積＝2.1522×109Kmの軌道から3.6897×109Kmの軌道までの面積＝π(3.6897×109Km)2−π(2.1522×109Km)2＝π(13.614−4.632)1018Km2＝2.820×1019Km2
平面の原子密度＝天王星の原子数÷平面積＝5.212×1052個÷(2.820×1019Km2)＝1.848×1033個/Km2
平面を公転する事によって、原子の密度は、3.091×1023個/Km3から1.848×1033個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(2.3×10−9ｍ)＝5.361×10−33J
この引力で元素は引き合った。
e.天王星の原子は、１Km3に何個であるか。
天王星の１Km3の原子数＝天王星の原子数÷天王星の体積＝5.212×1052個÷｛4π÷3×(2.5559×104Km)3｝＝5.212×1052個÷(6.990×1013Km3)＝7.456×1038個/Km3
7.456×1038個/Km3の原子の集合体である地球ができた。
f.自転により重い元素は中央に成った。
△海王星の場合。
a.球状の軌道の中でランダムに回転していた原子は、１Km3に何個であったか。
海王星の場合は、冥王星と海王星の中間の軌道と、海王星と天王星の中間の軌道の間の体積に存在していた元素が、海王星の元素になったとする。
海王星と天王星の中間の軌道は、
(冥王星の軌道―海王星の軌道)÷2＋海王星の軌道＝(59.152×108Km−45.044×108Km)÷2＋45.044×108Km＝5.210×109Km
海王星の元素が存在していた軌道の体積＝冥王星と海王星の中間の軌道の球体積−海王星と天王星の中間の軌道の球体積＝4π÷3×(5.210×109Km)3−4π÷3×(3.690×109Km)3＝4π÷3×(141.42−50.24)×1027Km3＝3.817×1029Km3
この体積に存在した元素が海王星の元素になった。
海王星の原子数＝１Kgの原子数×地球の質量×地球の質量の倍数＝6×1026個×5.974×1024Kg×17.15＝6.147×1052個
１Km3の原子数＝6.147×1052個÷(3.817×1029Km3)＝1.610×1023個/Km3 
１Km3に1.610×1023個の原子が存在し、ランダムに回転していた。
b.中性子星が作った公転速度はいくらか。
公転速度＝｛5.4×1018J・Km÷(45.044×108Km)｝1/2＝(1.199×109J)1/2＝3.463×104Km
秒速3.463×104Kmの高速で元素は公転し、元素は平面軌道上を公転した。
元素が同じ方向に高速で公転し、引く力が生まれた。
c.公転軌道を公転する原子は、１Km2に何個であったか。
海王星の軌道の平面積＝3.690×109Kmの軌道から5.210×109Kmの軌道までの面積＝π(5.210×109Km)2−π(3.690×109Km)2＝π(2.714−1.362)1019Km2＝4.245×1019Km2
平面の原子密度＝海王星の原子数÷平面積＝6.147×1052個÷(4.245×1019Km2)＝1.448×1033個/Km2
平面を公転する事によって、原子の密度は、1.610×1023個/Km3から1.448×1033個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(3.189×10−9ｍ)＝3.866×10−33J
この引力で元素は引き合った。
e.海王星の原子は、１Km3に何個であるか。
海王星の１Km3の原子数＝海王星の原子数÷海王星の体積＝6.147×1052個÷｛4π÷3×(2.4764×104Km)3｝＝6.147×1052個÷(6.358×1013Km3)＝9.668×1038個/Km3
9.668×1038個/Km3の原子の集合体である地球ができた。
f.自転により重い元素は中央に成った。
まとめて表に示す。
表1
2009033965.tif 000025
【請求項２】
太陽系の惑星は岩石の衝突によってできたのではない。
従来、太陽系惑星は、小さな岩石が衝突してできたと考えられている。
しかし、私は、太陽系惑星は、小さな岩石が衝突してできたのではない、と考えます。
その理由は、太陽から同じ距離の軌道の速度は同じであるからです。
太陽から同じ距離の軌道に存在する岩石は、同じ速度で公転するので、火星と木星の間の小惑星のように衝突しない。
同じ軌道の岩石は、同じ速度で公転しているので、衝突しない。
よって、惑星は岩石の衝突によってできたのではない。
【請求項３】
クエーサーが銀河系になり、球体から円盤状になったのはどうしてか。太陽の親である第1世代の星の周囲は水素の球体であった。それがレコード状になったのはどうしてか。太陽系の惑星は、親である第1世代の星の超新星爆発によって球状に飛散した元素でできたのに、レコード状に並んでいるのはどうしてか。
球体が円盤状になった理由は、中心のブラックホールが作る軌道速度が高速で公転であったからです。軌道は公転運動をします。それで、軌道に球状に飛散した元素は公転軌道上を公転する。
この事によって、球体は円盤状になる。
△クエーサーが銀河系になって球体から円盤状になったのはどうしてか。
クエーサーの中心はブラックホールです。このブラックホールがクエーサーの軌道エネルギーを作る。軌道エネルギーは速度を作る。
その式は、軌道エネルギー＝公転速度2＝5.4×1018×102n/3J・Km÷半径、です。
10nは10n太陽質量です。
・クエーサーが作る軌道のエネルギー＝公転速度2はいくらか。
クエーサーの質量を6×1011太陽質量とする。6×1011＝100.7782＋11＝1011.7782
クエーサーが作る軌道エネルギー＝公転速度2＝5.4×1018×102n/3J・Km÷半径＝5.4×1018×102×11.7782/3J・Km÷半径＝5.4×1018×107.852J・Km÷半径＝5.4×1018＋7×100.852J・Km÷半径＝5.4×1025×7.083J・Km÷半径＝3.825×1026J・Km÷半径
クエーサーが作る軌道のエネルギー＝公転速度2＝3.825×1026J・Km÷半径
・クエーサーが作る軌道のエネルギー＝公転速度2＝3.825×1026J・Km÷半径、の式により、クエーサーの半径の公転速度を求める。
公転速度＝(3.825×1026J・Km÷半径)1/2
・公転速度が光速である半径はいくらか。
公転速度＝(3.825×1026J・Km÷半径)1/2＝3×105Km
3.825×1026J・Km÷半径＝9×1010Km
半径＝3.825×1026J・Km÷(9×1010Km)＝4.25×1015Km
クエーサーの中心から、半径4.25×1015Kmの軌道は光速です。
・現在、銀河系の半径は5×104光年です。
10−16ｍ時代の大きさは、現在の大きさの7.851×10−5倍です。この事について、私は、特願2008−223099の「請求項15」に記した。
よって、10−16ｍ時代、銀河系の大きさは、5×104×9.46×1012Km×7.851×10−5＝3.714×1013Kmでした。
それで、この軌道は光速です。
10−16ｍ時代、クエーサーは光速です。
このように、クエーサーの球体が銀河系の円盤状になったのは、軌道の公転速度が光速であったからです。
△太陽の親である第1世代の星の軌道が球状からレコード状になったのはどうしてか。
太陽の親である第1世代の星の中心に存在したブラックホールから噴出したジェットは、球体の空間からダークマターを集め水素とした。それで、太陽の親である第1世代の星の周囲は水素の球体であった。それが太陽系と同じようにレコード状になった。
これは、太陽の親である第1世代の星の中央に存在するブラックホールが作る軌道の公転速度が高速であったからです。
太陽の親である第1世代の星の質量は、太陽質量の8.246倍です。この事につて、私は、特願2007−150959の「請求項７」に記した。
太陽質量の8.246倍は、100.9162です。
太陽の親である第1世代の星の中心に存在したブラックホールが作る軌道エネルギー＝公転速度2＝5.4×1018×102×0.9162/3J・Km÷半径＝5.4×1018×100.6108J・Km÷半径＝5.4×1018×4.081J・Km÷半径＝2.204×1019J・Km÷半径
太陽の親である第1世代の星の中心に存在したブラックホールが作る軌道エネルギー＝公転速度2＝2.204×1019J・Km÷半径
公転速度＝(2.204×1019J・Km÷半径)1/2
・光速になる半径はいくらか。
公転速度＝(2.204×1019J・Km÷半径)1/2＝3×105Km
2.204×1019J・Km÷半径＝(3×105Km)2
半径＝2.204×1019J・Km÷(9×1010Km)＝2.449×108Km
第1世代の星の中心から、2.449×108Kmは光速です。
この距離は火星の距離に近い。
・核融合反応を起こすジェットが届く軌道にできた“水素の小惑星”達の公転速度はいくらだったか。
核融合反応を起こすジェットが届く半径＝太陽の半径×849×核融合の場のＡ÷核融合の場のＡ＝6.96×105Ｋｍ×849×1＝5.9×108Ｋｍ
この軌道の公転速度は、
公転速度＝｛2.204×1019J・Km÷(5.9×108Km)｝1/2＝(3.736×1010J)1/2＝1.933×105Kmでした。
核融合反応を起こすジェットが届く軌道にできた“水素の小惑星”達の公転速度は、1.933×105Kmでした。
・オルトーの雲になった水素雲が存在する軌道の公転速度はいくらだったか。
オルトーの雲ができた距離は、
ジェットが届いた距離(半径)＝太陽の半径×849×ブラックホールのＡ÷核融合の場のＡ＝6.96×105Ｋｍ×849×7.375×105÷(3.873×103)＝1.125×1011Ｋｍです。
この軌道の公転速度は、
公転速度＝｛2.204×1019J・Km÷(1.125×1011Ｋｍ)｝1/2＝(1.959×108J)1/2＝1.399×104Km
オルトーの雲になった水素雲が存在する軌道の公転速度は、1.4×104Kmです。
この考えですと、オルトーの雲は、円盤状に存在することになる。
このように、太陽の親である第1世代の星の中心に存在したブラックホールが作る、軌道の公転速度は高速であったので、球体からレコードになった。
△太陽系の惑星は、親である第1世代の星の超新星爆発によって球状に飛散した元素でできたのに、レコード状に並んでいるのはどうしてか。(これは「請求項1」と重複します。)
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
太陽の中心に存在した中性子星が作った軌道エネルギー＝公転速度2＝5.4×1018J・Km÷半径
公転速度＝(5.4×1018J・Km÷半径)1/2
・光速になる半径はいくらか。
公転速度＝(5.4×1018J・Km÷半径)1/2＝3×105Km
5.4×1018J・Km÷半径＝(3×105Km)2
半径＝5.4×1018J・Km÷(9×1010Km)＝6×107Km
光速になる半径は、6×107Kmです。
この距離は水星の距離に近い。
それでは、惑星ができた軌道の公転速度はいくらだったか。
水星ができた軌道の公転速度はいくらだったか。
公転速度＝｛5.4×1018J・Km÷(0.579×108Km)｝1/2＝(9.326×1010J)1/2＝3.054×105Km
金星のできた軌道の公転速度はいくらだったか。
公転速度＝｛5.4×1018J・Km÷(1.082×108Km)｝1/2＝(4.991×1010J)1/2＝2.234×105Km
地球のできた軌道の公転速度はいくらだったか。
公転速度＝｛5.4×1018J・Km÷(1.496×108Km)｝1/2＝(3.610×1010J)1/2＝1.900×105Km
火星のできた軌道の公転速度はいくらだったか。
公転速度＝｛5.4×1018J・Km÷(2.279×108Km)｝1/2＝(2.369×1010J)1/2＝1.539×105Km
木星のできた軌道の公転速度はいくらだったか。
公転速度＝｛5.4×1018J・Km÷(7.783×108Km)｝1/2＝(6.938×109J)1/2＝8.329×104Km
土星のできた軌道の公転速度はいくらだったか。
公転速度＝｛5.4×1018J・Km÷(14.294×108Km)｝1/2＝(3.778×109J)1/2＝6.147×104Km
天王星のできた軌道の公転速度はいくらだったか。
公転速度＝｛5.4×1018J・Km÷(28.750×108Km)｝1/2＝(1.879×109J)1/2＝4.335×104Km
海王星のできた軌道の公転速度はいくらだったか。
公転速度＝｛5.4×1018J・Km÷(45.044×108Km)｝1/2＝(1.199×109J)1/2＝3.463×104Km
惑星が存在するようになる軌道の公転速度は、いずれの場合にも、高速でした。
・核融合反応を起こすジェットが届く軌道にできた小惑星達の公転速度はいくらだったか。
核融合反応を起こすジェットが届く半径＝太陽の半径×849×核融合の場のＡ÷核融合の場のＡ＝6.96×105Ｋｍ×849×1＝5.9×108Ｋｍ
この軌道の公転速度は、
公転速度＝｛5.4×1018J・Km÷(5.9×108Km)｝1/2＝(0.9153×1010J)1/2＝0.957×105Km＝9.57×104Kmでした。
核融合反応を起こすジェットが届く軌道にできた小惑星達の公転速度は、9.57×104Kmでした。
・エッジワース・カイパーベルトができた軌道の公転速度はいくらだったか。
ジェットが届いた距離(半径)＝太陽の半径×849×中性子星のＡ÷核融合の場のＡ＝6.96×105Ｋｍ×849×1.968×105÷(3.873×103)＝3×1010Ｋｍ
この軌道の速度は、
速度＝｛5.4×1018J・Km÷(3×1010Km)｝1/2＝(1.8×108J)1/2＝1.342×104Km
エッジワース・カイパーベルトができた軌道の公転速度は、1.342×104Kmでした。
このように、太陽の中心の中性子星が作る、太陽圏の公転速度は高速であったので、球体に飛散した元素はレコード状になった。
まとめて表に示す。
表2
2009033965.tif 000026
【請求項４】
オルトーの雲はどのようにでき、成分は何で、半径どれくらいに存在するか。
・オルトーの雲はどのようにでき、成分は何か。
太陽の以前に存在した、第1世代の星の中央には、ブラックホールが存在した。
・ブラックホールから放出するジェットは、どこまで届いたか。
届いた距離(半径)＝太陽の半径×849×ブラックホールのＡ÷核融合の場のＡ＝6.96×105Ｋｍ×849×7.375×105÷(3.873×103)＝1.125×1011Ｋｍ
ブラックホールから放出するジェットは、1.125×1011Ｋｍまで届いた。
その時、宇宙空間に存在したのは、自転する電子のラブと自転する陽子のラブであった。
ジェットである電気の光子は、これらに付加し、公転させ、中性水素を作った。この水素が集まって水素雲になり、オルトーの雲になった。
それで、オルトーの雲の成分は中性水素です。
・現在、オルトーの雲は、半径どれくらいに存在するか。
オルトーの雲ができたのは、10−16ｍ時代です。
現代は、10−14ｍ時代ですから、軌道は100倍になり、空間は100倍になった。
それで、オルトーの雲は、半径、
1.125×1011Ｋｍ×100＝1.125×1013Ｋｍに存在する。
現在、オルトーの雲は、半径約1013Ｋｍに存在する。
【請求項５】
なぜ木星の質量は大きく水素が多いのか。木星の質量になった物は何か。なぜ土星の質量は大きく水素が多いのか。土星の質量になった物は何か。
木星の質量になった物は、太陽の以前に存在した、第1世代の星が作った物です。
・第1世代の原始星の核融合反応を起こすジェットは、どこまで届いたか。
第1世代の原始星の核融合反応を起こすジェットは、いわば、核融合反応を起こす発火点です。この場のＡは、核融合の場のＡとほぼ等しい。
それで、原始星の核融合反応を起こすジェットのＡ＝核融合の場のＡ＝3.873×103とする。
ジェットが届いた距離(半径)＝太陽の半径×849×ジェットのＡ÷核融合の場のＡ＝6.96×105Ｋｍ×849×3.873×103÷(3.873×103)＝5.91×108Ｋｍ
第1世代の原始星の核融合反応を起こすジェットは、5.91×108Ｋｍまで届いた。
・このジェットが届いた半径に、何ができたか。
第1世代の星が存在した時に存在したものは、ダークマターである自転する電子のラブと自転する陽子のラブです。
それがジェットである電気の光子により、ダークマターである自転する電子のラブと陽子のラブは活性化し、公転し、できた物は、中性水素だけです。
中性水素以外の元素は存在しなかった。
ジェットが届いた半径に、中性水素ができた。
水素が集まって、水素雲ができた。
第1世代の原始星の核融合反応を起こすジェットは、5.91×108Ｋｍまで届き、この範囲に水素雲を作った。
また、原始太陽の核融合反応を起こすジェットが、火星と木星の間の小惑星を作ったように、第1世代の原始星の核融合反応を起こすジェットは、水素雲の塊を作った。
これを、“水素の小惑星”と名づける。
第1世代の原始星の核融合反応を起こすジェットは、半径5.91×108Ｋｍの軌道に、“水素の小惑星”を作った。
・この“水素の小惑星”は、第1世代の星が超新星爆発した後どのようになったか。
この“水素の小惑星”は、第1世代の星が超新星爆発した後、移動した。
・“水素の小惑星”は、第1世代の星が超新星爆発した後、どれくらい移動したか。
地球型惑星は、密度も高く、たくさんの種類の元素が存在するので、第1世代の星の中でできた元素は、火星まで届いた。
第1世代の星が爆発し、中心のブラックホールは中性子星になり、中心の位置は同じですから、中性子星が太陽になったので、移動した距離は、ほぼ、太陽と火星の間の距離です。
約2.3×108Ｋｍです。
“水素の小惑星”は、第1世代の星が超新星爆発した後、約2.3×108Ｋｍ移動した。
・“水素の小惑星”はどこまで移動したか。
“水素の小惑星”は、
ジェットが届いた距離＋移動した距離＝5.91×108Ｋｍ＋2.3×108Ｋｍ＝8.21×108Ｋｍ、まで移動した。
木星の元素は、5.031×108Kmから1.104×109Kmまでの軌道に存在する元素ですから、“水素の小惑星”も、木星の元素に成った。
木星の質量が大きく水素が多いのは、第1世代の原始星の核融合反応を起こすジェットが作った“水素の小惑星”が加わったためです。
木星の質量になった物は、第1世代の原始星の核融合反応を起こすジェットが作った“水素の小惑星”です。
・なぜ土星の質量は大きく水素が多いか。土星の質量になった物は何か。
火星と木星の間の小惑星には、重い元素が含まれているので、第1世代の星の中でできた元素は小惑星ができた軌道まで飛散した。
小惑星ができた軌道を、約5.91×108Kmとすると、
“水素の小惑星”は、第1世代の星が超新星爆発した後、火星と木星の間の小惑星の距離である約5.91×108Ｋｍ移動した。
・“水素の小惑星”はどこまで移動したか。
“水素の小惑星”は、
ジェットが届いた距離＋移動した距離＝5.91×108Ｋｍ＋5.91×108Ｋｍ＝11.82×108Ｋｍ、まで移動した。
土星の元素は、11.038×108Kmから2.1522×109Kmまでの軌道に存在する元素ですから、“水素の小惑星”も、土星の元素に成った。
それで、土星には水素が多い。
まとめて表に示す。
表3
2009033965.tif 000027
【請求項６】
どうして、木星の衛星数は多いのか。土星の衛星数は多いのか。天王星の衛星数は多いのか。衛星は何でできたか。
木星の衛星と土星の衛星と天王星の衛星は、第1世代の星の“水素の小惑星”に、第1世代の星が超新星爆発した時、噴出した元素がプラスされてできた。
それで、木星の衛星と土星の衛星と天王星の衛星は多い。
【請求項７】
木星の軌道の小惑星は何でできたか。
“水素の小惑星”は超新星爆発により移動し、木星ができた軌道に移動した。“水素の小惑星”に元素が結合して木星の軌道の小惑星ができた。
【請求項８】
第1世代の星でできた“水素の小惑星”は太陽系の何になったか。
“水素の小惑星”は、木星と土星の水素に成った。
“水素の小惑星”は、木星の衛星、土星の衛星、天王星の衛星に成った。
“水素の小惑星”は、木星の軌道の小惑星に成った。
【請求項９】
“水素の小惑星”はどうして1つの大きな惑星に成らなかったのか。
まず初めに、第1世代の星の中心のブラックホールは公転軌道を作った。
その後、核融合反応を起こすジェットができ、半径5.91×108Ｋｍの公転軌道に届き、この公転軌道に“水素の小惑星”を作った。公転軌道上にできた“水素の小惑星”は、同じ速度で公転するので、衝突する事もなく1つの大きな惑星に成らなかった。
【請求項１０】
火星と木星の間の小惑星はどうして1つの大きな惑星に成らなかったのか。
まず初めに、太陽の中心の中性子星は公転軌道を作った。
その後、核融合反応を起こすジェットができ、半径5.91×108Ｋｍの公転軌道に届き、この公転軌道に、火星と木星の間の小惑星を作った。公転軌道上にできた小惑星は、同じ速度で公転するので、衝突する事もなく1つの大きな惑星に成らなかった。
【請求項１１】
惑星の表面の原子数はいくらか。
△水星の場合。
密度は5.43ですから、１cm3は5.43ｇです。
1cm3の原子数は、5.43ｇ÷(1.66×10−24ｇ)＝3.271×1024個
1cmに、(3.271×1024個)1/3=1.485×108個
1mに、1.485×108個×100＝1.485×1010個
平均公転軌道は、1ｍ÷(1.485×1010個)＝6.734×10−11ｍ
半径に、2.44×106ｍ×1.485×1010個＝3.623×1016個
表面に、4πｒ2＝4π(3.623×1016個)2＝1.649×1034個
球体積に、4π÷3×(3.623×1016個)3＝1.991×1050個
△金星の場合。
密度は5.24ですから、１cm3は5.24ｇです。
1cm3の原子数は、5.24ｇ÷(1.66×10−24ｇ)＝3.157×1024個
1cmに、(3.157×1024個)1/3=1.467×108個
1mに、1.467×108個×100＝1.467×1010個
平均公転軌道は、1ｍ÷(1.467×1010個)＝6.817×10−11ｍ
半径に、6.052×106ｍ×1.467×1010個＝8.878×1016個
表面に、4πｒ2＝4π(8.878×1016個)2＝9.900×1034個
球体積に、4π÷3×(8.878×1016個)3＝2.930×1051個
△地球の場合。
密度は5.52ですから、１cm3は5.52ｇです。
1cm3の原子数は、5.52ｇ÷(1.66×10−24ｇ)＝3.325×1024個
1cmに、(3.325×1024個)1/3=1.493×108個
1mに、1.493×108個×100＝1.493×1010個
平均公転軌道は、1ｍ÷(1.493×1010個)＝6.698×10−11ｍ
半径に、6.378×106ｍ×1.493×1010個＝9.522×1016個
表面に、4πｒ2＝4π(9.522×1016個)2＝1.138×1035個
球体積に、4π÷3×(9.522×1016個)3＝3.584×1051個
△火星の場合。
密度は3.93ですから、１cm3は3.93ｇです。
1cm3の原子数は、3.93ｇ÷(1.66×10−24ｇ)＝2.367×1024個
1cmに、(2.367×1024個)1/3=1.333×108個
1mに、1.333×108個×100＝1.333×1010個
平均公転軌道は、1ｍ÷(1.333×1010個)＝7.502×10−11ｍ
半径に、3.396×106ｍ×1.333×1010個＝4.527×1016個
表面に、4πｒ2＝4π(4.527×1016個)2＝2.574×1034個
球体積に、4π÷3×(4.527×1016個)3＝3.884×1051個
△木星の場合。
密度は1.33ですから、１cm3は1.33ｇです。
1cm3の原子数は、1.33ｇ÷(1.66×10−24ｇ)＝8.012×1023個
1cmに、(8.012×1023個)1/3=0.929×108個
1mに、0.929×108個×100＝9.29×109個
平均公転軌道は、1ｍ÷(9.29×109個)＝1.076×10−10ｍ
半径に、7.1492×107ｍ×9.29×109個＝6.642×1017個
表面に、4πｒ2＝4π(6.642×1017個)2＝5.541×1036個
球体積に、4π÷3×(6.642×1017個)3＝1.227×1054個
△土星の場合。
密度は0.69ですから、１cm3は0.69ｇです。
1cm3の原子数は、0.69ｇ÷(1.66×10−24ｇ)＝4.157×1023個
1cmに、(4.157×1023個)1/3=0.746×108個
1mに、0.746×108個×100＝7.46×109個
平均公転軌道は、1ｍ÷(7.46×109個)＝1.340×10−10ｍ
半径に、6.0268×107ｍ×7.46×109個＝4.496×1017個
表面に、4πｒ2＝4π(4.496×1017個)2＝2.539×1036個
球体積に、4π÷3×(4.496×1017個)3＝1.141×1054個
△天王星の場合。
密度は1.27ですから、１cm3は1.27ｇです。
1cm3の原子数は、1.57ｇ÷(1.66×10−24ｇ)＝7.651×1023個
1cmに、(7.651×1023個)1/3=0.9146×108個
1mに、0.9146×108個×100＝9.146×109個
平均公転軌道は、1ｍ÷(9.146×109個)＝1.093×10−10ｍ
半径に、2.5559×107ｍ×9.146 ×109個＝2.338×1017個
表面に、4πｒ2＝4π(2.338×1017個)2＝6.909×1035個
球体積に、4π÷3×(2.338×1017個)3＝5.351×1052個
△海王星の場合。
密度は1.17ですから、１cm3は1.17ｇです。
1cm3の原子数は、1.17ｇ÷(1.66×10−24ｇ)＝7.048×1023個
1cmに、(7.048×1023個)1/3=0.89×108個
1mに、0.89×108個×100＝8.9×109個
平均公転軌道は、1ｍ÷(8.9×109個)＝1.124×10−10ｍ
半径に、2.4764×107ｍ×8.9×109個＝2.204×1017個
表面に、4πｒ2＝4π(2.204×1017個)2＝6.101×1035個
球体積に、4π÷3×(2.204×1017個)3＝4.482×1052個
・表面の原子数は、3.454×1018×質量2/3です。この式を使って、惑星の表面積を計算する。
１Kgの原子数＝１Kg÷(1.66×10−27Kg)＝6.02×1026個
半径にｒ個の原子があるとする。
体積＝4/3×πｒ3＝質量×6.02×1026個
ｒ＝{(質量×6.02×1026個)÷4π/3}1/3
表面の原子数＝4πｒ2＝4π(質量×6.02×1026個÷4π/3)1/3×2＝4π(質量×1.4379×1026個)2/3=4π×質量2/3×0.143792/3×1027×2/3=4π×質量2/3×0.02071/3×1018=4π×質量2/3×0.275×1018=3.454×1018×質量2/3
表面の原子数＝3.454×1018×質量2/3
この式を使って、惑星の表面の原子数を計算する。
水星は、3.454×1018×(3.302×1023Kg)2/3=1.658
×1034(個)です。
金星は、3.454×1018×(4.869×1024Kg)2/3=9.923×1034(個)です。
地球は、3.454×1018×(5.974×1024Kg)2/3=1.658
×1034(個)です。
火星は、3.454×1018×(6.416×1023Kg)2/3=2.535×1034(個)です。
木星は、3.454×1018×(1.899×1027Kg)2/3=5.295×1036(個)です。
土星は、3.454×1018×(5.685×1026Kg)2/3=2.369×1036(個)です。
天王星は、3.454×1018×(8.686×1025Kg)2/3=6.774×1035(個)です。
海王星は、3.454×1018×(1.025×1026Kg)2/3=7.564×1035(個)です。
まとめて表に示す。
表4
2009033965.tif 000028
【請求項１２】
天王星が太陽系の公転軌道に対して垂直の方向に自転しているのはどうしてか。天王星が横倒しのまま公転している事の解明。天王星はどのように自転しているか。
天王星は自転軸が公転面に対して98度傾いている。この事は、天王星は公転軸に対して螺旋回転していることです。天王星の公転速度は、秒速6.81Ｋｍです。
(銀河系の腕は、銀河系の中心のブラックホールの影響より、もっと近い腕の中心のブラックホールの影響を受けるため、腕の中心のブラックホールを中心に螺旋回転している。
これと同じように、天王星は、太陽の影響より、自分の中心の影響を受けている。
天王星の質量は地球質量の14.54倍であり、中心核の質量はほぼこれに近い。
中心核の質量は、ほぼ全体質量に等しい。この事について、私は、2008年9月1日に提出した特願2008−223099の「請求項15」に記した。)
天王星の公転の軌道エネルギー＝公転速度2＝6.812Ｊ＝46.376Ｊ
天王星の螺旋回転速度2＝公転速度2×79.7＝46.376Km×79.7＝3696.175Km
天王星の螺旋回転速度＝(3696.175)1/2Km/s=60.796Km/s
天王星の螺旋回転の軌道エネルギー＝螺旋回転速度2＝60.7962Ｊ＝3696.175
天王星は秒速60.796Kmで螺旋回転(自転)しながら、太陽の周りを、秒速6.81Kmで公転している。
・天王星は自転しているのか螺旋回転しているのか。
自転の場合、1自転で進む距離はいくらか。
1周する距離は、2πｒ＝2×π×天王星の半径＝2×3.14×2.5559×104Km＝1.605×105Kmです。
天王星が1自転する周期は、0.718日です。
秒速60.796Kmで0.718日走る距離は、
60.796Km×0.718×24×60×60＝3.771×106Kmです。
これは、1自転の何倍の距離か。
3.771×106Km÷(1.605×105Km)＝2.350×10
1自転の23.5倍の距離です。
よって、天王星は螺旋回転しながら自転している。  
・螺旋回転の軌道エネルギーはどのようにできるか。
(2008年1月4日に提出した特願2008−23309の「請求項１」に記した、軌道エネルギーは、光子1個のエネルギー×光子の数です。それで、aJは、出発する光子1個のエネルギー×出発する光子の数＝出発する光子1個のエネルギー×太陽の表面の原子数、です。私は、aJは出発する光子1個のエネルギーです。と記しましたが、これは誤りで、aJは出発する光子のエネルギーです。)
上記の軌道エネルギーは公転の軌道エネルギーがどのようにできるかについてです。
螺旋回転の軌道エネルギーも原理は同じで、
螺旋回転の軌道エネルギー＝螺旋回転する物体の表面の原子が出す電気の光子のエネルギー＝螺旋回転する物体の表面の原子数×1個の原子が作る電気の光子1個のエネルギーです。
・1個の原子が1公転で作る電気の光子１個のエネルギーはいくらか。
天王星の表面の原子数は6.909×1035個です。
1個の原子が1公転で作る電気の光子１個のエネルギーは、
3.691×103Ｊ÷(6.909×1035個)＝5.35×10−33Ｊ
1個の原子で、5.35×10−33Ｊの電気の光子と磁気の光子ができる。
・この電子のラブの公転軌道はいくらか。
1.233×10−41Ｊｍ÷(5.35×10−33Ｊ)＝2.3×10−9ｍ
この電子のラブの公転軌道は、2.3×10−9ｍです。
・この場のＡはいくらか。
1.058×10−10ｍ÷Ａ＝2.3×10−9ｍ
Ａ＝1.058×10−10ｍ÷(2.3×10−9ｍ)＝4.6×10−2
・この場の温度はいくらか。
温度＝Ａ2＝(4.6×10−2)2＝2.116×10−3＝0.002116(℃)
この場の温度は、0.002116℃です。          
天王星の表面の１原子が作る1個の電気の光子のエネルギーは、5.35×10−33Ｊです。
天王星の表面の電子のラブの公転軌道は、2.3×10−9ｍで、この場のＡは4.6×10−2で、この場の温度は、0.002116℃です。
この値は、天王星が太陽から受ける輻射量は、地球を1とすると、0.0027とほぼ等しい。
地球を１℃とすると、0.0027℃です。
この事によって理解できること。
1．太陽から受ける輻射量と同じエネルギーを惑星の表面の原子は作っている。
2．螺旋回転速度2＝螺旋回転の軌道エネルギーの考えは正しい。
3．螺旋回転の軌道のエネルギー＝表面の原子数×1原子が1公転で作る電気の光子や磁気の光子のエネルギー
【請求項１３】
海王星の自転軸は公転軌道面に垂直な直線に対して28.8度傾いていて、自転周期は約16時間です。海王星はどうしてこのような回転をするかの解明。海王星はどのように自転しているか。
海王星は、天王星より遠くに位置し、太陽から受けるエネルギーも小さく、公転速度も遅い。その上、質量は地球の17.15倍で、天王星より重い。よって、海王星は自分の中心のエネルギーで、螺旋回転している。
海王星の質量は地球質量の17.15倍であり、中心核の質量はほぼこれに近い。
海王星の公転の軌道エネルギー＝公転速度2＝5.442Ｊ＝29.594Ｊ
海王星の螺旋回転の軌道エネルギー＝螺旋回転速度2＝公転速度2×79.7＝29.5936Ｊ×79.7＝2358.6Ｊ
螺旋回転速度＝(2358.6)1/2=48.566Km
海王星の螺旋回転の軌道エネルギー＝螺旋回転速度2＝48.5662Ｊ＝2358.6J
海王星は秒速48.566Kmで螺旋回転(自転)しながら、太陽の周りを、秒速5.44Kmで公転している。
・海王星は自転しているのか螺旋回転しているのか。
自転の場合、1自転で進む距離はいくらか。
1周する距離は、2πｒ＝2×π×海王星の半径＝2×3.14×2.4764×104Km＝1.555×105Kmです。
海王星が1自転する周期は、0.671日です。
秒速48.566Kmで0.671日走る距離は、
48.566Km×0.671×24×60×60＝2.816×106Kmです。
これは、1自転の何倍の距離か。
2.816×106Km÷(1.555×105Km)＝1.811×10
1自転の18.11倍の距離です。
よって、海王星は螺旋回転しながら自転している。  
・1個の原子が1公転で作る電気の光子１個のエネルギーはいくらか。
海王星の表面の原子数は6.101×1035個です。
2.359×103Ｊ÷(6.101×1035個)＝3.867×10−33Ｊ
1個の原子が1公転で作る電気の光子1個のエネルギーは3.867×10−33Ｊです。
・この電子のラブの公転軌道はいくらか。
1.233×10−41Ｊｍ÷(3.867×10−33Ｊ)＝3.189×10−9ｍ
この電子のラブの公転軌道は、3.189×10−9ｍです。
・この場のＡはいくらか。
Ａ＝1.058×10−10ｍ÷(3.189×10−9ｍ)＝3.318×10−2
この場のＡは、3.318×10−2です。
・この場の温度はいくらか。
温度＝Ａ2＝(3.318×10−2)2＝1.1×10−3＝0.0011(℃)
この場の温度は、0.0011℃です。
海王星の表面の１原子が作る1個の電気の光子のエネルギーは、3.867×10−33Ｊです。
海王星の表面の電子のラブの公転軌道は、3.189×10−9ｍで、この場のＡは3.318×10−2で、この場の温度は、0.0011℃です。
この値は、海王星が太陽から受ける輻射量は地球を1とすると、0.0011と等しい。
地球を１℃とすると、0.0011℃です。
この事によって理解できること。
1．太陽から受ける輻射量と同じエネルギーを惑星の表面の原子は作っている。
2．螺旋回転速度2＝螺旋回転の軌道エネルギーの考えは正しい。
3．螺旋回転の軌道のエネルギー＝表面の原子数×1原子が1公転で作る電気の光子や磁気の光子のエネルギー
これをまとめて表に示す。
表5
2009033965.tif 000029
【請求項１４】
軌道エネルギーでできる速度はいくらか。公転の場合はいくらか。螺旋回転の場合はいくらか。螺旋回転速度は公転速度の何倍か。公転速度は螺旋速度の何倍か。螺旋回転の軌道エネルギーは公転の軌道エネルギーの何倍か。公転の軌道エネルギーは螺旋回転の軌道エネルギーの何倍か。
△公転の場合。
公転の軌道エネルギー(J)＝速度2(Km)
公転軌道エネルギー＝ｎJとすると、速度2Km＝ｎJ
速度Km=ｎ1/2J
よって、ｎJの軌道エネルギーでｎ1/2Kmの公転速度ができる。
△螺旋回転の場合。
螺旋回転の軌道エネルギー(J)＝螺旋回転速度2(Km)＝公転速度2×79.7
螺旋回転の軌道エネルギー＝ｐJとすると、螺旋回転速度2Km＝ｐJ
螺旋回転速度Km=ｐ1/2J＝(公転速度2×79.7)1/2=公転速度×8.927
公転速度＝螺旋回転速度÷8.927＝螺旋回転速度×0.112
公転速度2＝(螺旋回転速度×0.112)2＝螺旋回転速度2×0.01254
螺旋回転速度2＝公転速度2÷0.01254＝公転速度2×79.7
公転の軌道エネルギー＝螺旋回転の軌道エネルギー×0.01254
螺旋回転の軌道エネルギー＝公転の軌道エネルギー÷0.01254＝公転の軌道エネルギー×79.7
よって、ｐJの螺旋回転の軌道エネルギーで、ｐ1/2Kmの螺旋速度ができる。
また、螺旋回転速度＝公転速度×8.927。
公転速度＝螺旋回転速度×0.112
公転の軌道エネルギー＝螺旋回転の軌道エネルギー×0.01254
螺旋回転の軌道エネルギー＝公転の軌道エネルギー×79.7
これを表に示す。
表6
2009033965.tif 000030
【請求項１５】
太陽から受ける輻射量と同じエネルギーを惑星の表面の原子は作っている。この考えに基づき、軌道エネルギーについて考えます。軌道エネルギーとは何か。
太陽から受ける輻射量＝惑星の表面の１原子が作る1個の電気の光子のエネルギー
軌道エネルギー＝惑星の表面の１原子が作る1個の電気の光子のエネルギー×惑星の表面の原子数
太陽から受ける輻射量は地球を1とした場合であるから、地球が受ける輻射量を１℃とすると、惑星が受ける輻射量は、水星は6.67℃、金星は1.91℃、地球は1℃、火星は0.43℃、木星は0.037℃、土星は0.011℃、天王星は0.0027℃、海王星は0.0011℃です。
私は、地表の温度を1℃とし、地表の電子のラブの公転軌道を1.058×10−10ｍとし、地表のＡを１としています。
△水星の場合。
この場の温度＝6.67℃＝Ａ2
Ａ＝(6.67)1/2=2.583
この場の電子のラブの公転軌道は、
1.058×10−10ｍ÷2.583＝4.096×10−11ｍ
この電子のラブが1公転で作る電気の光子１個のエネルギーは、電子のラブの公転軌道と同じ軌道の電気の光子ができるので、
1.233×10−41Ｊ・ｍ÷(4.096×10−11ｍ)＝3.010×10−31Ｊ
1個の原子が1公転で作る電気の光子1個のエネルギーは、3.010×10−31Ｊです。
水星の表面の原子は1.699×1034個ですから、表面の原子でできる軌道エネルギーは、
表面の原子でできる軌道エネルギー＝1原子が1公転で作る電気の光子1個のエネルギー×表面の原子数＝3.010×10−31Ｊ×1.699×1034個＝5.114×103Ｊです。
比較します。
公転速度2＝公転軌道エネルギー＝47.362Ｊ＝2.243×103Ｊ
公転速度2で算出する公転軌道エネルギーは、2.243×103Ｊです。
水星の表面の温度を6.67℃として、算出した場合の、表面の原子でできる軌道エネルギーは、5.114×103Ｊです。
・太陽より受ける輻射の温度を6.67℃とした場合の、表面の原子でできる軌道エネルギーは、公転速度2の軌道エネルギーの何倍か。
5.114×103Ｊ÷(2.243×103Ｊ)＝2.28
2.28倍です。
△金星の場合。
この場の温度＝1.91℃＝Ａ2
Ａ＝(1.91)1/2=1.382
この場の電子のラブの公転軌道は、
1.058×10−10ｍ÷1.382＝7.656×10−11ｍ
この電子のラブが1公転で作る電気の光子１個のエネルギーは、電子のラブの公転軌道と同じ軌道の電気の光子ができるので、
1.233×10−41Ｊ・ｍ÷(7.656×10−11ｍ)＝1.61×10−31Ｊ
1個の原子が1公転で作る電気の光子1個のエネルギーは、1.61×10−31Ｊです。
水星の表面の原子は9.9×1034個ですから、表面の原子でできる軌道エネルギーは、
表面の原子でできる軌道エネルギー＝1原子が1公転で作る電気の光子1個のエネルギー×表面の原子数＝1.61×10−31Ｊ×9.9×1034個＝1.594×104Ｊです。
比較します。
公転速度2＝公転軌道エネルギー＝35.022Ｊ＝1.226×103Ｊ
公転速度2で算出する公転軌道エネルギーは、1.226×103Ｊです。
金星の表面の温度を1.91℃として、算出した場合の表面の原子でできる軌道エネルギーは、1.594×104Ｊです。
・太陽より受ける輻射の温度を1.91℃とした場合の表面の原子でできる軌道エネルギーは、公転速度2の軌道エネルギーの何倍か。
1.594×104Ｊ÷(1.226×103Ｊ)＝13
13倍です。
△地球の場合。
この場の温度＝1℃＝Ａ2
Ａ＝(1)1/2=1
この場の電子のラブの公転軌道は、
1.058×10−10ｍ÷1＝1.058×10−10ｍ
この電子のラブが1公転で作る電気の光子１個のエネルギーは、電子のラブの公転軌道と同じ軌道の電気の光子ができるので、
1.233×10−41Ｊ・ｍ÷(1.058×10−10ｍ)＝1.165×10−31Ｊ
1個の原子が1公転で作る電気の光子1個のエネルギーは、1.165×10−31Ｊです。
地球の表面の原子は1.138×1035個ですから、
表面の原子でできるできる電気の光子のエネルギーは、
表面の原子でできる軌道エネルギー＝1原子が1公転で作る電気の光子1個のエネルギー×表面の原子数＝1.165×10−31Ｊ×1.138×1035個＝1.326×104Ｊです。
比較します。
公転速度2＝公転軌道エネルギー＝29.782Ｊ＝886.8Ｊ
公転速度2で算出する公転軌道エネルギーは、8.868×102Ｊです。
地球の表面の温度を1℃として、算出した場合の表面の原子でできる軌道エネルギーは、1.326×104Ｊです。
・太陽より受ける輻射の温度を1℃とした場合の表面の原子でできる軌道エネルギーは、公転速度2の軌道エネルギーの何倍か。
1.326×104Ｊ÷(8.868×102Ｊ)＝1.495
1.495倍です。
△火星の場合。
この場の温度＝0.43℃＝Ａ2
Ａ＝(0.43)1/2=0.656
この場の電子のラブの公転軌道は、
1.058×10−10ｍ÷0.656＝1.613×10−10ｍ
この電子のラブが1公転で作る電気の光子１個のエネルギーは、電子のラブの公転軌道と同じ軌道の電気の光子ができるので、
1.233×10−41Ｊ・ｍ÷(1.613×10−10ｍ)＝7.644×10−32Ｊ
1個の原子が1公転で作る電気の光子1個のエネルギーは、7.644×10−32Ｊです。
火星の表面の原子は2.574×1034個ですから、
表面の原子でできるできる電気の光子のエネルギーは、
表面の原子でできる軌道エネルギー＝1原子が1公転で作る電気の光子1個のエネルギー×表面の原子数＝7.644×10−32Ｊ×2.574×1034個＝1.968×103Ｊです。
比較します。
公転速度2＝公転軌道エネルギー＝24.082Ｊ＝579.8Ｊ
公転速度2で算出する公転軌道エネルギーは、5.798×102Ｊです。
火星の表面の温度を0.43℃として、算出した場合の表面の原子でできる軌道エネルギーは、1.968×103Ｊです。
・太陽より受ける輻射の温度を0.43℃とした場合の表面の原子でできる軌道エネルギーは、公転速度2の軌道エネルギーの何倍か。
1.968×103Ｊ÷(5.798×102Ｊ)＝3.394
3.394倍です。
△木星の場合。
この場の温度＝0.037℃＝Ａ2
Ａ＝(0.037)1/2=0.1924
この場の電子のラブの公転軌道は、
1.058×10−10ｍ÷0.1924＝5.499×10−10ｍ
この電子のラブが1公転で作る電気の光子１個のエネルギーは、電子のラブの公転軌道と同じ軌道の電気の光子ができるので、
1.233×10−41Ｊ・ｍ÷(5.499×10−10ｍ)＝2.242×10−32Ｊ
1個の原子が1公転で作る電気の光子1個のエネルギーは、2.242×10−32Ｊです。
木星の表面の原子は5.541×1036個ですから、
表面の原子でできるできる電気の光子のエネルギーは、
表面の原子でできる軌道エネルギー＝1原子が1公転で作る電気の光子1個のエネルギー×表面の原子数＝2.242×10−32Ｊ×5.541×1036個＝1.242×105Ｊです。
比較します。
公転速度2＝公転軌道エネルギー＝13.062Ｊ＝170.56Ｊ
公転速度2で算出する公転軌道エネルギーは、1.706×102Ｊです。
木星の表面の温度を0.037℃として、算出した場合の表面の原子でできる軌道エネルギーは、1.242×105Ｊです。
・太陽より受ける輻射の温度を0.037℃とした場合の表面の原子でできる軌道エネルギーは、公転速度2の軌道エネルギーの何倍か。
1.242×105Ｊ÷(1.706×102Ｊ)＝7.282×102
7.282×102倍です。
△土星の場合。
この場の温度＝0.011℃＝Ａ2
Ａ＝(0.011)1/2=0.1049
この場の電子のラブの公転軌道は、
1.058×10−10ｍ÷0.1049＝1.009×10−9ｍ
この電子のラブが1公転で作る電気の光子１個のエネルギーは、電子のラブの公転軌道と同じ軌道の電気の光子ができるので、
1.233×10−41Ｊ・ｍ÷(1.009×10−9ｍ)＝1.222×10−32Ｊ
1個の原子が1公転で作る電気の光子1個のエネルギーは、1.222×10−32Ｊです。
土星の表面の原子は2.539×1036個ですから、
表面の原子でできる電気の光子のエネルギーは、
表面の原子でできる軌道エネルギー＝1原子が1公転で作る電気の光子1個のエネルギー×表面の原子数＝1.222×10−32Ｊ×2.539×1036個＝3.103×104Ｊです。
比較します。
公転速度2＝公転軌道エネルギー＝9.652Ｊ＝93.1225Ｊ
公転速度2で算出する公転軌道エネルギーは、9.312×10Ｊです。
土星の表面の温度を0.011℃として、算出した場合の表面の原子でできる軌道エネルギーは、3.103×104Ｊです。
・太陽より受ける輻射の温度を0.011℃とした場合の表面の原子でできる軌道エネルギーは、公転速度2の軌道エネルギーの何倍か。
3.103×104Ｊ÷(9.312×10Ｊ)＝3.332×102
3.332×102倍です。
・どうして木星の場合、太陽より受ける輻射の温度を0.037℃とした場合の軌道エネルギーは、公転速度2の軌道エネルギーの7.282×102倍になり、土星の場合、3.332×102倍になるのか。
木星と土星はガス型惑星であり、表面の原子数は、1000分の1になっているからです。
木星の場合。
表面はガス体で、1/1000の密度ですから、木星の表面の原子は5.541×1036−3個です。
軌道エネルギー＝1原子が1公転で作る電気の光子1個のエネルギー×表面の原子数＝2.242×10−32Ｊ×5.541×1033個＝1.242×102Ｊ
1.242×102Ｊ÷(1.706×102Ｊ)＝0.728
それで、木星の場合、太陽より受ける輻射の温度を0.037℃とした場合の軌道エネルギーは、公転速度2の軌道エネルギーの0.728倍になります。
土星の場合。
表面はガス体で、1/1000の密度ですから、土星の表面の原子は2.539×1036−3個です。
軌道エネルギー＝1原子が1公転で作る電気の光子1個のエネルギー×表面の原子数＝1.222×10−32Ｊ×2.539×1033個＝3.103×10Ｊ
3.103×10Ｊ÷(9.312×10Ｊ)＝0.333
それで、土星の場合、太陽より受ける輻射の温度を0.011℃とした場合の軌道エネルギーは、公転速度2の軌道エネルギーの0.333倍です。
まとめて表に示す。
表7
2009033965.tif 000031
【請求項１６】
惑星の表面の1原子でできる電気の光子1個のエネルギーはどのような式で求められるか。
太陽より受ける輻射量の値は、1÷太陽からの距離2の比です。地球の値を１としています。
それで、
太陽より受ける輻射量＝1÷太陽と惑星の距離2÷(1÷太陽と地球の距離2)＝太陽と地球の距離2÷太陽と惑星の距離2、です。
惑星の1原子でできる電気の光子1個のエネルギー＝1.233×10−41J・m÷(1.058×10−10ｍ÷輻射量1/2)= 1.233×10−41J・m÷(1.058×10−10ｍ)×輻射量1/2＝1.165×10−31J×輻射量1/2＝1.165×10−31J×(太陽と地球の距離2÷太陽と惑星の距離2)1/2=1.165×10−31J×太陽と地球の距離÷太陽と惑星の距離＝1.165×10−31J×1.496×108Km÷太陽と惑星の距離＝1.743×10−23J・Km÷太陽と惑星の距離
惑星の表面の1原子でできる電気の光子1個のエネルギー＝1.743×10−23J・Km÷太陽と惑星の距離
【請求項１７】
惑星の表面の1原子でできる電気の光子1個のエネルギー＝1.743×10−23J・Km÷太陽と惑星の距離、この式はどのような事を意味するのか。
惑星の表面の1原子でできる電気の光子1個のエネルギー＝1.743×10−23J・Km÷太陽と惑星の距離
具体的に表すと、
水星の場合。
水星の表面の1原子でできる電気の光子1個のエネルギー＝1.743×10−23J・Km÷(0.579×108Km)＝3.010×10−31J
金星の場合。
金星の表面の1原子でできる電気の光子1個のエネルギー＝1.743×10−23J・Km÷(1.089×108Km)＝1.601×10−31J
地球の場合。
地球の表面の1原子でできる電気の光子1個のエネルギー＝1.743×10−23J・Km÷(1.496×108Km)＝1.165×10−31J
火星の場合。
火星の表面の1原子でできる電気の光子1個のエネルギー＝1.743×10−23J・Km÷(2.279×108Km)＝7.648×10−32J
木星の場合。
木星の表面の1原子でできる電気の光子1個のエネルギー＝1.743×10−23J・Km÷(7.783×108Km)＝2.239×10−32J
土星の場合。
土星の表面の1原子でできる電気の光子1個のエネルギー＝1.743×10−23J・Km÷(14.294×108Km)＝1.219×10−32J
まとめて表に示す。
惑星の表面の1原子でできる電気の光子1個のエネルギー＝1.743×10−23J・Km÷太陽と惑星の距離
表8
2009033965.tif 000032
この事から理解できる事。
１．惑星の表面の1原子でできる電気の光子1個のエネルギー＝1.743×10−23J・Km÷太陽と惑星の距離、この式は、太陽から受ける輻射量と同じエネルギーを惑星の表面の原子は作っている事を意味する式です。
２．惑星の表面の1原子でできる電気の光子1個のエネルギー＝1.743×10−23J・Km÷太陽と惑星の距離、この式は、太陽から受ける輻射量＝惑星の表面の１原子が作る1個の電気の光子のエネルギー、を意味する。
３．この式は、「請求項１５」で示した式を、1つの式にまとめた式で、意味する事は同じです。
【請求項１８】
惑星の軌道エネルギーの式はどのようであるか。
Aは太陽と惑星の距離で表す場合。Bは太陽と惑星の軌道で表す場合。
A。太陽と惑星の距離で表す場合。
惑星の軌道エネルギー＝惑星の表面の原子数×惑星の表面の1原子が1公転で作る電気の光子1個のエネルギー＝惑星の表面の原子数×1.743×10−23J・Km÷太陽と惑星の距離
B。太陽と惑星の軌道で表す場合。
惑星の軌道エネルギー＝惑星の表面の原子数×1.743×10−23J・Km÷太陽と惑星の距離＝2×惑星の表面の原子数×1.743×10−23J・Km÷(2×太陽と惑星の距離)＝惑星の表面の原子数×3.486×10−23J・Km÷軌道
【請求項１９】
太陽から届く軌道エネルギーの式はどのようであるか。
Aは太陽と惑星の距離で表す場合。Bは太陽と惑星の軌道で表す場合。
A。太陽と惑星の距離で表す場合。
太陽から届く軌道エネルギー＝1.325×1011J・Km÷距離(この式は、特願2008−23309の「請求項1に記した。)
B。太陽と惑星の軌道で表す場合。
太陽から届く軌道エネルギー＝1.325×1011J・Km÷距離
太陽から届く軌道エネルギー＝2×1.325×1011J・Km÷(2×距離)
太陽から届く軌道エネルギー＝2.65×1011J・Km÷軌道
【請求項２０】
太陽から届く軌道エネルギーは、1.325×1011J・Km÷距離です。太陽から惑星に届く軌道エネルギーと惑星の軌道エネルギーが等しい場合の条件は何か。
太陽から届く軌道エネルギー＝1.325×1011J・Km÷距離(この式は、特願2008−23309の「請求項1に記した。)
惑星の軌道エネルギー＝惑星の表面の原子数×1.743×10−23J・Km÷太陽と惑星の距離
太陽から惑星に届く軌道エネルギーと惑星の軌道エネルギーが等しい場合。
1.325×1011J・Km÷太陽と惑星の距離＝惑星の表面の原子数×1.743×10−23J・Km÷太陽と惑星の距離
1.325×1011J・Km＝惑星の表面の原子数×1.743×10−23J・Km
惑星の表面の原子数＝1.325×1011J・Km÷(1.743×10−23J・Km)＝7.602×1033(個)
よって、太陽から惑星に届く軌道エネルギーと惑星の軌道エネルギーが等しい場合の条件は、惑星の表面の原子数が7.602×1033個であることです。
【請求項２１】
惑星の表面の原子数が7.602×1033個である場合、惑星の軌道エネルギー＝2.65×1011J・Km÷軌道です。太陽から出発する光子のエネルギー÷軌道＝2.65×1011J・Km÷軌道、との関係はどのようであるか。
惑星の軌道エネルギー＝2.65×1011J・Km÷惑星の軌道＝惑星の表面の原子が1公転で作る電気の光子のエネルギー
惑星の表面の原子が1公転で作る電気の光子のエネルギー＝惑星の軌道エネルギー＝2.65×1011J・Km÷惑星の軌道
惑星の軌道＝2.65×1011J・Km÷惑星の表面の原子が1公転で作る電気の光子のエネルギー
太陽から出発する光子のエネルギー÷惑星の軌道＝2.65×1011J・Km÷惑星の軌道＝2.65×1011J・Km÷(2.65×1011J・Km÷惑星の表面の原子が1公転で作る電気の光子のエネルギー)＝惑星の表面の原子が1公転で作る電気の光子のエネルギー
太陽から出発する光子のエネルギー÷惑星の軌道＝惑星の表面の原子が1公転で作る電気の光子のエネルギー＝惑星の表面の原子が1公転で作る磁気の光子のエネルギー
この事によって理解できる事。
1．太陽から出発する光子のエネルギーが太陽圏の軌道のエネルギーを作っている。
2．太陽から惑星に届く電気の光子のエネルギーは、惑星の表面の原子が作る電気の光子のエネルギーと磁気の光子のエネルギーを作っている。
3．太陽から惑星に届く電気の光子のエネルギーは、惑星の表面の原子が1公転で作る電気の光子のエネルギーに等しい。
4．太陽から惑星に届く磁気の光子のエネルギーは、惑星の表面の原子が1公転で作る磁気の光子のエネルギーに等しい。
【請求項２２】
太陽の引力と惑星の引力はつりあっている事はどのようなことか。太陽が惑星を引っ張っているとはどのようなことか。太陽と惑星の引力の解明。
太陽が惑星を引っ張っている事は、太陽が出す磁気の光子が作る軌道エネルギーが、惑星が出す磁気の光子の軌道エネルギーに等しい事です。
太陽の引力は、太陽から届く磁気の光子のエネルギーです。
惑星の引力は、惑星から出る磁気の光子のエネルギーです。
太陽から届く電気の光子のエネルギーは、太陽の表面の原子数×太陽から出発する電気の光子1個のエネルギー×105Km÷距離＝1.325×1037個×10−31J×105Km÷距離＝1.325×1011J・Km÷距離、です。
1公転でできる電気の光子のエネルギー＝1公転でできる磁気の光子のエネルギー、ですから、
太陽から届く磁気の光子のエネルギー＝太陽の表面の原子数×太陽から出発する磁気の光子のエネルギー×105Km÷距離＝1.325×1037個×10−31J×105Km÷距離＝1.325×1011J・Km÷距離、です。
よって、太陽が作る磁気の光子の軌道エネルギーの式は、太陽が作る電気の光子の軌道エネルギーの式と同じです。
また、
惑星が作る電気の光子の軌道エネルギーの式と、惑星が作る磁気の光子の軌道エネルギーの式は同じです。
惑星が作る電気の光子の軌道エネルギーの式＝惑星が作る磁気の光子の軌道エネルギーの式＝惑星の軌道エネルギーの式＝惑星の軌道エネルギー＝惑星の表面の原子数×1.743×10−23J・Km÷太陽と惑星の距離
惑星の表面の原子数が7.602×1033個である場合、太陽から惑星に届く軌道エネルギーと惑星の軌道エネルギーが等しい。
この事は何を意味するか。
1．惑星の表面に存在する7.602×1033個の原子が電気の光子と磁気の光子を出している。
2．太陽の表面に存在する1.325×1037個の原子が電気の光子と磁気の光子を出している。
3．惑星の軌道において、太陽から惑星の軌道に届く磁気の光子のエネルギーと、惑星が出す磁気の光子のエネルギーは等しい。
4．引力がつりあっている事は、惑星の軌道において、太陽から惑星の軌道に届く磁気の光子のエネルギーと、惑星が出す磁気の光子のエネルギーは等しい事です。
磁気の光子のエネルギーは等しく方向が反対です。
5．惑星は、太陽が作る磁気の光子の軌道エネルギーと自分が作る磁気の光子の軌道エネルギーが等しい軌道に存在する。
6．惑星が作る磁気の光子の軌道エネルギーと、太陽から届く磁気の光子の軌道エネルギーは等しい。
7．磁気の光子の軌道エネルギーは引力になり、電気の光子の軌道エネルギーは速度2になっている。
8．太陽が作る軌道エネルギーには2種類あり、1つは電気の光子の軌道エネルギーであり、1つは磁気の光子の軌道エネルギーである。
9．惑星が作る軌道エネルギーには2種類あり、1つは電気の光子の軌道エネルギーであり、1つは磁気の光子の軌道エネルギーである。
まとめて表に示す。
表9
2009033965.tif 000033
【請求項２３】
惑星の表面の原子数が7.6×1033個であるとすると、「請求項11」で求めた惑星の表面の原子数は7.6×1033個の何倍か。
惑星の表面の原子数÷(7.6×1033個)
表1０
2009033965.tif 000034
「請求項１５」を参照。
この表から理解できる事。
惑星の表面の状態から、惑星の表面の原子数は全て、7.6×1033個であると推察できる。
【請求項２４】
電子のラブと陽子のラブはどのような状態になっているか。惑星の軌道エネルギーとの比較。
△地上の電子のラブの場合。式は、特願2006−336352に記した。
地上で、電子のラブは自転しながら公転している。
公転軌道は1.058×10−10ｍです。
電子のラブのエネルギーは、
8.665×10−24J・ｍ÷(1.058×10−10ｍ)＝8.190×10−14Jです。
１公転でできる電気の光子１個のエネルギーは、
1.233×10−41J・ｍ÷(1.058×10−10ｍ)＝1.165×10−31Jです。
１自転でできる磁気の光子1個のエネルギーは、
1.549×10−49J・ｍ÷(1.058×10−10ｍ)＝1.464×10−39Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝1.165×10−31J÷(1.464×10−39J)＝7.958×107個できます。
1公転で、7.958×107回自転します。
電子のラブが公転している軌道に、電気の光子と磁気の光子は、電子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、電子のラブのエネルギーと同じエネルギーの電気の光子と磁気の光子は、電子のラブの軌道を走っている。電子のラブも電子のラブの軌道を走っている。
電子のラブの軌道に、何公転の電気の光子と磁気の光子が走っているか。
電子のラブのエネルギー÷電気の光子１個のエネルギー＝8.19×10−14J÷(1.165×10−31J)＝7.030×1017
7.030×1017公転でできる電気の光子と磁気の光子が、電子のラブの軌道に存在し、回転している。
電子のラブの秒速は、
π×公転軌道×7.030×1017公転＝3.14×1.058×10−10ｍ×7.030×1017公転＝2.335×108ｍです。
電子のラブは、秒速2.335×108ｍで公転し、1秒間にできた電気の光子と磁気の光子と共に回転している。
△地上の陽子のラブの場合。
地上で、陽子のラブは自転しながら公転している。
陽子のラブの公転軌道は、
1.058×10−10ｍ×5.444×10−4倍＝5.760×10−14ｍですから、
陽子のラブのエネルギーは、
8.665×10−24J・ｍ÷(5.7598×10−14ｍ)＝1.504×10−10Jです。
１公転でできる電気の光子１個のエネルギーは、
1.233×10−41J・ｍ÷(5.760×10−14ｍ)＝2.141×10−28Jです。
１自転でできる磁気の光子1個のエネルギーは、
1.549×10−49J・ｍ÷(5.760×10−14ｍ)＝2.689×10−36Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝2.141×10−28J÷(2.689×10−36J)＝7.962×107個できます。
1公転で、7.962×107回自転します。
陽子のラブが公転している軌道に、できた電気の光子と磁気の光子は、陽子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、陽子のラブのエネルギーと同じエネルギーの電気の光子と磁気の光子は、陽子のラブの軌道を走っている。陽子のラブも陽子のラブの軌道を走っている。
陽子のラブの軌道に、何公転の電気の光子と磁気の光子が走っているか。
陽子のラブのエネルギー÷電気の光子１個のエネルギー＝1.504×10−10J÷(2.141×10−28J )＝7.025×1017
7.025×1017公転でできる電気の光子と磁気の光子が、陽子のラブの軌道に存在し、回転している。
陽子のラブの秒速は、
π×公転軌道×7.025×1017公転＝3.14×5.760×10−14ｍ×7.025×1017公転＝1.271×105ｍです。
陽子のラブは、秒速1.271×105ｍで公転し、1秒間にできた電気の光子と磁気の光子と共に回転している。
△電子のラブの公転軌道が10−11ｍの場の場合。
電子のラブの公転軌道が10−11ｍの場で、電子のラブは自転しながら公転している。
公転軌道は10−11ｍです。
電子のラブのエネルギーは、
8.665×10−24J・ｍ÷10−11ｍ＝8.665×10−13Jです。
１公転でできる電気の光子１個のエネルギーは、
1.233×10−41J・ｍ÷10−11ｍ＝1.233×10−30Jです。
1自転でできる磁気の光子1個のエネルギーは、
1.549×10−49J・ｍ÷10−11ｍ＝1.549×10−38Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝1.233×10−30J÷(1.549×10−38J)＝7.960×107個できます。
1公転で、7.960×107回自転します。
電子のラブが公転している軌道に、できた電気の光子と磁気の光子は、電子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、電子のラブのエネルギーと同じエネルギーの電気の光子と磁気の光子は、電子のラブの軌道を走っている。電子のラブも電子のラブの軌道を走っている。
電子のラブの軌道に、何公転の電気の光子と磁気の光子が走っているか。
電子のラブのエネルギー÷電気の光子１個のエネルギー＝8.665×10−13J ÷(1.233×10−30J )＝7.028×1017
7.028×1017公転でできる電気の光子と磁気の光子が、電子のラブの軌道に存在し、回転している。
電子のラブの秒速は、
π×公転軌道×7.028×1017公転＝3.14×10−11ｍ×7.028×1017公転＝2.207×107ｍです。
電子のラブは、秒速2.207×107ｍで公転し、1秒間にできた電気の光子と磁気の光子と共に回転している。
△陽子のラブの場合。電子のラブの公転軌道が10−11ｍの場の場合。
陽子のラブは自転しながら公転している。
陽子のラブの公転軌道は、
10−11ｍ×5.444×10−4倍＝5.444×10−15ｍですから、
陽子のラブのエネルギーは、
8.665×10−24J・ｍ÷(5.444×10−15ｍ)＝1.592×10−9Jです。
１公転でできる電気の光子１個のエネルギーは、
1.233×10−41J・ｍ÷(5.444×10−15ｍ)＝2.265×10−27Jです。
１自転でできる磁気の光子1個のエネルギーは、
1.549×10−49J・ｍ÷(5.444×10−15ｍ)＝2.845×10−35Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝2.265×10−27J÷(2.845×10−35J)＝7.961×107個できます。
1公転で、7.961×107回自転します。
陽子のラブが公転している軌道に、できた電気の光子と磁気の光子は、陽子のラブのエネルギーと同じエネルギーで回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、陽子のラブのエネルギーと同じエネルギーの電気の光子と磁気の光子は、陽子のラブの軌道を走っている。陽子のラブも陽子のラブの軌道を走っている。
陽子のラブの軌道に、何公転の電気の光子と磁気の光子が走っているか。
陽子のラブのエネルギー÷電気の光子１個のエネルギー＝1.592×10−9J÷(2.265×10−27J)＝7.029×1017
7.029×1017公転でできる電気の光子と磁気の光子が、陽子のラブの軌道に存在し、回転している。
陽子のラブは1秒間に、7.029×1017公転し、その回転によってできた電気の光子と磁気の光子が陽子のラブの軌道を回転している。
陽子のラブの秒速は、
π×公転軌道×7.029×1017公転＝3.14×5.444×10−15ｍ×7.029×1017公転＝1.202×104ｍです。
陽子のラブは、秒速1.202×104ｍで公転し、1秒間にできた電気の光子と磁気の光子と共に回転している。
まとめて表に示す。式は特願2006−336352に記したものを用いる。
表1１
2009033965.tif 000035
【請求項２５】
太陽系の軌道エネルギーと原子の軌道エネルギーの相似性。
△太陽系の軌道エネルギーについて。
太陽系の軌道エネルギーは、
太陽系の軌道エネルギー＝2.65×1011J・Km÷軌道、です。
これは、中心に太陽が存在し、そこから出発する電気の光子のエネルギーは、
太陽の表面の原子×1原子から出発する電気の光子1個のエネルギー×見かけ上に換算するための距離＝1.325×1037個×10−31J×105Km＝1.325×1011J・Km
これを、軌道エネルギーにすると、
1.325×1011J・Km×2=2.65×1011J・Km、です。
この太陽の軌道エネルギーは、太陽の表面の原子が1公転で作る軌道エネルギーです。
この軌道に存在する惑星は、太陽が作りその軌道に届く光子のエネルギーと同じエネルギーを持って、軌道に存在している。
別な言い方をすると、
この軌道に存在する惑星は、太陽が作りその軌道に届く光子のエネルギーと同じエネルギーの電気の光子と磁気の光子を作って、軌道に存在している。
惑星の表面の原子数を7.6×1033個とする。
惑星が作っている電気の光子と磁気の光子のエネルギー＝惑星の表面の原子が1公転で作る電気の光子や磁気の光子のエネルギー＝惑星の表面の原子数×1原子が1公転で作る電気の光子や磁気の光子のエネルギー＝7.6×1033個×1原子が1公転で作る電気の光子や磁気の光子のエネルギー
水星の場合。
太陽が作る軌道エネルギー＝2.65×1011J・Km÷(2×0.579×108Km)＝2.288×103J
水星の表面の原子が1公転で作る電気の光子や磁気の光子のエネルギー＝7.6×1033個×3.010×10−31J＝2.288×103J
金星の場合。
太陽が作る軌道エネルギー＝2.65×1011J・Km÷(2×1.082×108Km)＝1.224×103J
金星の表面の原子が1公転で作る電気の光子や磁気の光子のエネルギー＝7.6×1033個×1.610×10−31J＝1.225×103J
地球の場合。
太陽が作る軌道エネルギー＝2.65×1011J・Km÷(2×1.496×108Km)＝8.857×102J
地球の表面の原子が1公転で作る電気の光子や磁気の光子のエネルギー＝7.6×1033個×1.165×10−31J＝8.854×102J
火星の場合。
太陽が作る軌道エネルギー＝2.65×1011J・Km÷(2×2.279×108Km)＝5.814×102J
火星の表面の原子が1公転で作る電気の光子や磁気の光子のエネルギー＝7.6×1033個×7.644×10−32J＝5.809×102J
木星の場合。
太陽が作る軌道エネルギー＝2.65×1011J・Km÷(2×7.783×108Km)＝1.702×102J
木星の表面の原子が1公転で作る電気の光子や磁気の光子のエネルギー＝7.6×1033個×2.242×10−32J＝1.704×102J
土星の場合。
太陽が作る軌道エネルギー＝2.65×1011J・Km÷(2×14.294×108Km)＝9.270×10J
土星の表面の原子が1公転で作る電気の光子や磁気の光子のエネルギー＝7.6×1033個×1.222×10−32J＝9.287×10J
この事によって理解できる事。
1．太陽が作る軌道のエネルギーは、2.65×1011J・Km÷軌道であり、この軌道に存在する電気の光子のエネルギーは、2.65×1011J・Km÷軌道であり、磁気の光子は、2.65×1011J・Km÷軌道です。
そして、この軌道には、この電気の光子と磁気の光子のエネルギーを1公転で作っている惑星が存在する。
△原子の軌道エネルギーについて。
原子の軌道エネルギー＝8.665×10−24J・ｍ÷軌道
これは、原子の中央に、8.665×10−24Jのエネルギーが存在するとみなす。
これは、ラブが作る見かけ上のエネルギーです。
軌道に存在するラブは、軌道エネルギーと同じエネルギーを持って存在している。
言い換えると、
軌道に存在するラブは、軌道エネルギーと同じエネルギーを作って存在している。
・陽子のラブの場合。
・公転軌道が、5.444×10−15ｍの陽子のラブの場合。
この軌道に存在する、陽子のラブのエネルギーは、
8.665×10−24J・ｍ÷(5.444×10−15ｍ)＝1.592×10−9Jです。
この軌道に存在する電気の光子のエネルギーは、
電気の光子1個のエネルギー×電気の光子の個数＝2.265×10−27J×7.029×1017個＝1.592×10−9Jです。
この軌道に存在する磁気の光子のエネルギーは、
2.845×10−35J×5.596×1025個＝1.592×10−9Jです。
5.444×10−15ｍの軌道には、1.592×10−9Jの陽子のラブと、2.265×10−27Jの電気の光子が7.029×1017個、2.845×10−35Jの磁気の光子が5.596×1025個存在する。
1.592×10−9Jの軌道には、1.592×10−9Jの陽子のラブと、1.592×10−9Jの電気の光子と、1.592×10−9Jの磁気の光子が存在する。
・公転軌道が5.760×10−14ｍの陽子のラブの場合。
この軌道に存在する、陽子のラブのエネルギーは、
8.665×10−24J・ｍ÷(5.760×10−14ｍ)＝1.504×10−10Jです。
この軌道に存在する電気の光子のエネルギーは、
電気の光子1個のエネルギー×電気の光子の個数＝2.141×10−28J×7.025×1017個＝1.504×10−10Jです。
この軌道に存在する磁気の光子のエネルギーは、
磁気の光子1個のエネルギー×磁気の光子の個数＝2.689×10−36J×5.593×1025個＝1.504×10−10Jです。
5.760×10−14ｍの軌道には、1.504×10−10Jの陽子のラブと、2.141×10−28Jの電気の光子が7.025×1017個、2.689×10−36Jの磁気の光子が5.593×1025個存在する。
1.504×10−10Jの軌道には、1.504×10−10Jの陽子のラブと、1.504×10−10Jの電気の光子と、1.504×10−10Jの磁気の光子が存在する。
・電子のラブの場合。
・公転軌道が、10−11ｍの電子のラブの場合。
この軌道に存在する、電子のラブのエネルギーは、
8.665×10−24J・ｍ÷10−11ｍ＝8.665×10−13Jです。
この軌道に存在する電気の光子のエネルギーは、
電気の光子1個のエネルギー×電気の光子の個数＝1.233×10−30J×7.028×1017個＝8.665×10−13Jです。
この軌道に存在する磁気の光子のエネルギーは、
磁気の光子1個のエネルギー×磁気の光子の個数＝1.549×10−38J×5.601×1025個＝8.665×10−13Jです。
10−11ｍの軌道には、8.665×10−13Jの電子のラブと、1.233×10−30Jの電気の光子が7.028×1017個、1.549×10−38Jの磁気の光子が5.601×1025個存在する。
8.665×10−13Jの軌道には、8.556×10−13Jの電子のラブと、8.556×10−13Jの電気の光子と、8.556×10−13Jの磁気の光子が存在する。
・公転軌道が、1.058×10−10ｍの電子のラブの場合。
この軌道に存在する、電子のラブのエネルギーは、
8.665×10−24J・ｍ÷(1.058×10−10ｍ)＝8.190×10−14Jです。
この軌道に存在する電気の光子のエネルギーは、
電気の光子1個のエネルギー×電気の光子の個数＝1.165×10−31J×7.030×1017個＝8.190×10−14Jです。
この軌道に存在する磁気の光子のエネルギーは、
磁気の光子1個のエネルギー×磁気の光子の個数＝1.464×10−39J×5.594×1025個＝8.190×10−14Jです。
1.058×10−10ｍの軌道には、8.190×10−14Jの電子のラブと、1.165×10−31Jの電気の光子が7.030×1017個、1.464×10−39Jの磁気の光子が5.594×1025個存在する。
8.190×10−14Jの軌道には、8.190×10−14Jの電子のラブと、8.190×10−14Jの電気の光子と、8.190×10−14Jの磁気の光子が存在する。
【請求項２６】
惑星の表面の１原子が1公転でできる電気の光子と磁気の光子のエネルギー＝3.486×10−23J・Km÷惑星の軌道(Km)、であり、ラブの軌道エネルギーは、8.674×10−24J・m÷軌道(ｍ)です。この違いは何か。
3.486×10−23J・Km÷惑星の軌道(Km)は、惑星の表面の１原子が1公転でできる電気の光子と磁気の光子のエネルギーであり
8.674×10−24J・m÷軌道(ｍ)は、ラブが1秒間に作る電気の光子のエネルギーと磁気の光子のエネルギーです。
即ち、7×1017個の電気の光子のエネルギーと、5.6×1025個の磁気の光子のエネルギーです。
まとめて表に示す。
太陽系の軌道エネルギー。
太陽が作る軌道のエネルギー＝太陽の表面の原子数×太陽の表面の1原子から出発する電気の光子1個のエネルギー×見かけ上に換算するための距離×2÷(2×距離)＝1.325×1037個×10−31J×105Km×2÷(2×距離)＝2.65×1011Jkm÷軌道
惑星が作る軌道のエネルギー＝惑星の表面の原子数×惑星の表面の原子が1公転で作る光子のエネルギー＝惑星の表面の原子数×3.486×10−23J・Km÷惑星の軌道(Km)＝7.6×1033個×3.486×10−23J・Km÷惑星の軌道(Km)＝2.65×1011J・Km÷惑星の軌道
表１２
2009033965.tif 000036
2009033965.tif 000037
1秒間では、この7×1017倍の光子のエネルギーができる。引力もこの7×1017倍になる。
原子の軒道エネルギー。
軌道エネルギー＝8.665×10−24Jm÷軌道＝1秒間にできる電気の光子のエネルギーと磁気の光子のエネルギー
表１３
2009033965.tif 000038
【請求項２７】
軌道のエネルギーとは何か。
軌道のエネルギーとは、中心に存在する物が作る軌道におけるエネルギーであり、その軌道には軌道のエネルギーを持つ物が存在する。
【請求項２８】
陽子のラブや電子のラブの質量エネルギーは変化する。E=mc2が成立するのは、地上のみで、電子のラブの公転軌道が1.058×10−10ｍの場合のみです。
陽子のラブや電子のラブの質量エネルギーは、E=mc2として計算される。
陽子の質量エネルギー＝ｍｃ2＝陽子の静止質量×c2＝1.67265×10−27Kg×(3×108ｍ)2＝1.5×10−10J
電子の質量エネルギー＝ｍｃ2＝電子の静止質量×ｃ2＝9.1095×10−31Kg×(3×108ｍ)2＝8.199×10−14J
私は、2006年11月15日に提出した、特願2006−336352において、ラブの軌道エネルギーは、8.665×10−24J・ｍとした。
この事は、陽子のラブと電子のラブは、公転軌道によってエネルギーは変わることを示す。
陽子のラブと電子のラブのエネルギーは、公転する軌道に現れる。
E=ｍｃ2の値は、ｍは常に一定です。ｃ2も常に一定です。それで、E=ｍｃ2は常に一定です。
しかし、10−15mの場では、電子のラブのエネルギーは、
8.665×10−24J・ｍ÷10−15＝8.665×10−9Jです。
陽子のラブの公転軌道は、電子のラブの公転軌道の、
9.1095×10−31Kg÷(1.67265×10−27Kg)＝5.444×10−4倍ですから、
10−15ｍ×5.444×10−4倍＝5.444×10−19ｍです。
この陽子のラブのエネルギーは、
8.665×10−24J・ｍ÷(5.444×10−19ｍ)＝1.592×10−5Jです。
これらのエネルギーの値は、E=ｍｃ2ではありません。
陽子のラブと電子のラブの質量エネルギーが、E=ｍｃ2であるのは、地上の場で、電子の公転軌道が、1.058×10−10ｍである場合だけです。
【請求項２９】
E=mc2をどのような場においても適応できる式にする方法。
陽子のラブと電子のラブの質量エネルギーが、E=ｍｃ2であるのは、地上の場で、電子の公転軌道が、1.058×10−10ｍである場合だけです。
それでは、E=mc2をどのような高エネルギーの場又は低エネルギーの場においても適応できる式にする方法はないでしょうか。
E=mc2を軌道エネルギーの式にすると、どのような高エネルギー又は低エネルギーの場においても適応できる。
電子のラブの場合。
E=mc2は電子のラブの公転軌道が1.058×10−10ｍの場だけに適応します。
エネルギー×公転軌道＝E×1.058×10−10ｍ＝mc2×1.058×10−10ｍ＝9.1093×10−31Kg×(3×108ｍ)2×1.058×10−10ｍ＝8.674×10−24
E×1.058×10−10ｍ＝8.199×10−14J×1.058×10−10ｍ＝8.675×10−24Jm
よって、E×公転軌道＝mc2×公転軌道＝8.675×10−24Jm
E=mc2をどのような場においても適応できる式にするためには、これを軌道エネルギーの式にする事です。
E×1.058×10−10ｍ＝mc2×1.058×10−10ｍ＝8.674×10−24Jm
E=mc2をどのような場においても適応できる式にすると、
E×1.058×10−10ｍ＝mc2×1.058×10−10ｍ＝8.674×10−24Jm、です。
陽子のラブの場合。
E=mc2は電子のラブの公転軌道が1.058×10−10ｍの場だけに適応します。
陽子のラブの公転軌道は、電子のラブの公転軌道×電子のラブの静止質量÷陽子のラブの静止質量＝1.058×10−10ｍ×9.1095×10−31Kg÷1.67265×10−27Kg＝5.762×10−14ｍ
エネルギー×公転軌道＝E×5.762×10−14ｍ＝mc2×5.762×10−14ｍ＝1.67265×10−27Kg×(3×108ｍ)2×5.762×10−14ｍ＝8.674×10−24
E×5.762×10−14ｍ＝1.505385×10−10J×5.762×10−14ｍ＝8.674×10−24Jm
よって、E×公転軌道＝mc2×公転軌道＝8.674×10−24Jm
E=mc2をどのような場においても適応できる式にするためには、これを軌道エネルギーの式にする事です。
E×5.762×10−14ｍ＝mc2×5.762×10−14ｍ＝8.674×10−24Jm
E=mc2をどのような場においても適応できる式にすると、
E×5.762×10−14ｍ＝mc2×5.762×10−14ｍ＝8.674×10−24J・m、です。
E×公転軌道＝8.674×10−24J・m
E=8.674×10−24J・m÷公転軌道
公転軌道＝8.674×10−24Jm÷E
【請求項３０】
高速加速器で観測される電気の光子と磁気の光子のエネルギーと波長と数と方向はどのようであるか。
高速加速器でぶつけても、電子のラブや陽子のラブは小さいので検出できない。
電子のラブの軌道を走っている電気の光子と磁気の光子は飛散するので観測できる。
観測される電気の光子と磁気の光子はどのようであるか。
１．観測される電気の光子のエネルギーと磁気の光子のエネルギーについて。
a.もし、高エネルギーの電子のラブ、即ち、公転軌道の小さい電子のラブの場合。
電子のラブの軌道を回転している高エネルギーの電気の光子と磁気の光子が飛散し、観測される。
もし、低エネルギーの電子のラブ、即ち、公転軌道の大きい電子のラブの場合。
電子のラブの軌道を回転している低エネルギーの電気の光子と磁気の光子が飛散し、観測される。
もし、高エネルギーの陽子のラブ、即ち、公転軌道の小さい陽子のラブの場合。
陽子のラブの軌道を回転している高エネルギーの電気の光子と磁気の光子が飛散し、観測される。
もし、低エネルギーの陽子のラブ、即ち、公転軌道の大きい陽子のラブの場合。
陽子のラブの軌道を回転している低エネルギーの電気の光子と磁気の光子が飛散し、観測される。
b.7.03×1017公転でできる電気の光子と磁気の光子が、電子のラブの軌道に存在し、回転しているので、それらが飛散し、観測される。
c. 観測される電気の光子のエネルギーと磁気の光子の総合のエネルギーは同じです。
d.電気の光子1個のエネルギー：磁気の光子1個のエネルギー＝1.165×10−31J：1.464×10−39J＝7.968×107：1です。
２．観測される電気の光子の数と磁気の光子の数について。
電気の光子の数：磁気の光子の数＝7.030×1017公転(個)：5.594×1025自転(個)＝１：7.958×107
３．観測される電気の光子の波長と磁気の光子の波長について。
電気の光子の波長：磁気の光子の波長＝公転軌道：自転軌道＝1.058×10−10ｍ：1.058×10−10ｍ÷(7.958×107個)＝1：1.2566×10−8＝7.958×107：1
４．電気の光子と磁気の光子が飛散する方向について。
a.磁気の光子は螺旋回転しているので、磁気の光子の回転方向は、電気の光子の回転方向に斜めであるので、飛散後も、お互い、斜め方向に走る。
b.公転軌道を走るを電気の光子の数は、7.030×1017個も存在するので、飛散方向は千差万別であり特定できない。
c.自転する磁気の光子は螺旋回転し、その数は5.594×1025個もあるので、飛散する方向は特定できない。
５．電気の光子と磁気の光子が飛散する場合3種類の状態が考えられる。
a.電気の光子と磁気の光子が別々に分かれて飛散する場合。
b.電気の光子1個に磁気の光子が7.958×107個巻きついて飛散する場合。
c.複数の電気の光子に磁気の光子が巻きついて電磁気の束として飛散する場合。
まとめて表に記す。
表１４
2009033965.tif 000039
【請求項３１】
電子のラブと陽子のラブは、衝突後どのようになるか。
電子のラブと陽子のラブは小さいので、衝突しない。そして、高速加速器の外に出るか、又は、そのまま高速加速器の中を回転する。
1．高速加速器の外に出る場合。
高速加速器の外に出ると、電子のラブと陽子のラブは、自転し、公転し、電気の光子と磁気の光子を作る。
1秒間にできた電気の光子と磁気の光子は、電子のラブと陽子のラブの軌道を回転する。
再び元の電子と陽子ができる。
２．そのまま高速加速器の中を回転する場合。
陽子のラブが高速加速器の中を回転する場合、2つの状態が考えられる。
１つは、
高速加速器の中を回転する陽子のラブは、ブラックホールであるから、陽子のラブであるブラックホールが高速加速器の中を回転する。しかし、陽子のラブであるブラックホールは蒸発しない。
陽子のラブは、ビッグバンのエネルギーでできた質量であり、この質量を持つ球体である陽子のラブは、いかなるエネルギーによっても分解されない。
私は、この事について、2006年12月30日に提出した、特願2006−357550の「質量の誕生とE=mc2」に記した。
１つは、
高速加速器の中を回転する陽子のラブは、自転し公転しながら、磁気の光子と電気の光子を作る。そして、再びもとの陽子になる。そして再度衝突し、電気の光子と磁気の光子を飛散する。
【請求項３２】
宇宙は膨張後、どのようになるか。
宇宙を構成する電子のラブと陽子のラブは存在し続ける。
宇宙を構成する電子のラブと陽子のラブの質量は変わらない。
しかし、電子のラブと陽子のラブの質量エネルギーは小さくなる。
電子のラブと陽子のラブは自転だけするダークマターになる。
電子のラブと陽子のラブは自転し、磁気の光子を作るので、電子のラブは集まる。陽子のラブは集まる。電子のラブの塊ができる。陽子のラブの塊ができる。
それで、宇宙は収縮する。
その後、再びビッグバンが起きる。このビッグバンは、陽子のラブの塊と、電子のラブの塊が衝突しておきる。
もし、ダークマターは自転しないのであるならば、磁気の光子はできないので、集合しない。よって、宇宙は膨張し続ける。
【発明の詳細な説明】
【技術分野】
【０００１】
この発明は、惑星がどのようにできたか。木星と土星の質量が大きく、水素が多いのはどうしてか。天王星の輪が公転軌道に対して垂直に回転し、海王星の輪も公転軌道に対し傾いて回転しているのはどうしてか。太陽から受ける輻射熱と、惑星の表面の原子が作る電気のエネルギーと磁気のエネルギーの関係はどのようであるか。惑星の軌道エネルギーの状態と、原子の電子と陽子の状態の相似性について。電子の状態と陽子の状態を理解し、それが高速加速器で衝突した場合どのような状態に成るかについて。電子の状態と陽子の状態を理解し、宇宙は膨張後どのように成るかについて。これら一連の問題に関する。
【背景技術】
【０００２】
惑星は、小さい岩石が衝突してできたと考えられている。天王星の輪と海王星の輪が、公転軌道に対し、横倒しの状態になって公転している理由については解明されていない。太陽から受ける輻射熱と、惑星の表面の原子が作る電気のエネルギーと磁気のエネルギーの関係は理解されていない。惑星の軌道エネルギーの状態と、原子の電子と陽子の状態の相似性については理解されていない。電子の状態と陽子の状態を理解し、それが高速加速器で衝突した場合どのような状態に成るかについては理解されていない。電子の状態と陽子の状態を理解し、宇宙は膨張後どのように成るかについては理解されていない。  
【特許文献１】特開2006−336352
【特許文献２】特開2006−357550
【特許文献３】特開2007−150959
【特許文献４】特開2008−23309
【特許文献５】特願2008−223099
【発明の開示】
【発明が解決しようとする課題】
【０００３】
１．惑星はどのようにできたか。
２．太陽系の惑星は岩石の衝突によってできたのではない。
３．クエーサーが銀河系になり、球体から円盤状になったのはどうしてか。太陽の親である第1世代の星の周囲は水素の球体であった。それがレコード状になったのはどうしてか。太陽系の惑星は、親である第1世代の星の超新星爆発によって球状に飛散した元素でできたのに、レコード状に並んでいるのはどうしてか。
４．オルトーの雲はどのようにでき、成分は何で、半径どれくらいに存在するか。
５．なぜ木星の質量は大きく水素が多いのか。木星の質量になった物は何か。なぜ土星の質量は大きく水素が多いのか。土星の質量になった物は何か。
６．どうして、木星の衛星数は多いのか。土星の衛星数は多いのか。天王星の衛星数は多いのか。衛星は何でできたか。
７．木星の軌道の小惑星は何でできたか。
８．第1世代の星でできた“水素の小惑星”は太陽系の何になったか。
９．“水素の小惑星”はどうして1つの大きな惑星に成らなかったのか。
１０．火星と木星の間の小惑星はどうして1つの大きな惑星に成らなかったのか。
１１．惑星の表面の原子数はいくらか。
１２．天王星が太陽系の公転軌道に対して垂直の方向に自転しているのはどうしてか。天王星が横倒しのまま公転している事の解明。天王星はどのように自転しているか。
１３．海王星の自転軸は公転軌道面に垂直な直線に対して28.8度傾いていて、自転周期は約16時間です。海王星はどうしてこのような回転をするかの解明。海王星はどのように自転しているか。
１４．軌道エネルギーでできる速度はいくらか。公転の場合はいくらか。螺旋回転の場合はいくらか。螺旋回転速度は公転速度の何倍か。公転速度は螺旋速度の何倍か。螺旋回転の軌道エネルギーは公転の軌道エネルギーの何倍か。公転の軌道エネルギーは螺旋回転の軌道エネルギーの何倍か。
１５．太陽から受ける輻射量と同じエネルギーを惑星の表面の原子は作っている。この考えに基づき、軌道エネルギーについて考えます。軌道エネルギーとは何か。
１６．惑星の表面の1原子でできる電気の光子1個のエネルギーはどのような式で求められるか。
１７．惑星の表面の1原子でできる電気の光子1個のエネルギー＝1.743×10−23J・Km÷太陽と惑星の距離、この式はどのような事を意味するのか。
１８．惑星の軌道エネルギーの式はどのようであるか。
１９．太陽から届く軌道エネルギーの式はどのようであるか。
２０．太陽から届く軌道エネルギーは、1.325×1011J・Km÷距離です。太陽から惑星に届く軌道エネルギーと惑星の軌道エネルギーが等しい場合の条件は何か。
２１．惑星の表面の原子数が7.602×1033個である場合、惑星の軌道エネルギー＝2.65×1011J・Km÷軌道です。太陽から出発する光子のエネルギー÷軌道＝2.65×1011J・Km÷軌道、との関係はどのようであるか。
２２．太陽の引力と惑星の引力はつりあっている事はどのようなことか。太陽が惑星を引っ張っているとはどのようなことか。太陽と惑星の引力の解明。
２３．惑星の表面の原子数が7.6×1033個であるとすると、「請求項11」で求めた惑星の表面の原子数は7.6×1033個の何倍か。
２４．電子のラブと陽子のラブはどのような状態になっているか。惑星の軌道エネルギーとの比較。
２５．太陽系の軌道エネルギーと原子の軌道エネルギーの相似性。
２６．惑星の表面の１原子が1公転でできる電気の光子と磁気の光子のエネルギー＝3.486×10−23J・Km÷惑星の軌道(Km)、であり、ラブの軌道エネルギーは、8.674×10−24J・m÷軌道(ｍ)です。この違いは何か。
２７．軌道のエネルギーとは何か。
２８．陽子のラブや電子のラブの質量エネルギーは変化する。E=mc2が成立するのは、地上のみで、電子のラブの公転軌道が1.058×10−10ｍの場合のみです。
２９．E=mc2をどのような場においても適応できる式にする方法。
３０．高速加速器で観測される電気の光子と磁気の光子のエネルギーと波長と数と方向はどのようであるか。
３１．電子のラブと陽子のラブは、衝突後どのようになるか。
３２．宇宙は膨張後、どのようになるか。
【課題を解決するための手段】
【０００４】
火星と木星の間の小惑星は衝突する事もなく公転している。公転軌道の速度が一定であるからです。それならば、惑星ができる時、同じ軌道を公転していた岩石は同じ速度で走るので、衝突しません。よって、惑星は岩石の衝突によってできたのではない。
惑星はどのようにできたか。
惑星の材料になったのは、第1世代の星の中でできた元素が、超新星爆発によって球状に飛散した元素です。
この元素は、球状の軌道の中でランダムに回転していました。
第1世代の星が超新星爆発した後、中心に残ったものは、中性子星です。
この中性子星が、軌道エネルギーを作りました。軌道エネルギーは公転速度に成りました。
それで、球状の軌道の中でランダムに回転していた元素は、公転軌道上を公転しました。
球状の軌道の体積に存在した元素は、公転軌道上を公転しました。
この事によって、元素の密度は大きくなりました。
元素が公転軌道上を公転する事によって、元素は同じ方向に、同じ速度で走るので、引く力が生まれました。引く力は、磁気の光子のエネルギーでできます。元素の1番外側の電子のラブの自転によってできます。この力によって元素は集合しました。
大きくなった元素の集合体に、更に元素が加わり、惑星ができました。
惑星の自転により惑星の中央には重い元素が集まりました。
即ち、公転する事によって、元素の密度は大きくなり、引く力ができる。
この2つの働きによって、惑星ができる。
惑星ができた過程を6段階に分けて考える。
a.球状の軌道の中でランダムに回転していた原子は、１Km3に何個であったか。
b.中性子星が作った軌道エネルギーと公転速度はいくらか。
c.公転軌道を公転する原子は、１Km2に何個であったか。
d.この軌道の元素の1番外側の電子のラブが1公転で作る磁気の光子のエネルギーはいくらか。
e.惑星の原子は、１Km3に何個であるか。
f.自転により、重い元素は中央に成った。
木星と土星の質量は大きく水素の量が多い。この水素は、太陽の以前に存在した、第1世代の星が作った物である。第1世代の星の核融合反応を起こしたジェットが作った小惑星である。その時代は、水素より存在しなかったので、できた小惑星は水素だった。それで、この水素の小惑星を“水素の小惑星”と名づける。
この“水素の小惑星”が第1世代の星の超新星爆発により軌道を拡大し、現在、木星と土星の存在する軌道まで移動した。
木星と土星の質量は大きく、水素の量が多い理由は、木星と土星ができる時、この“水素の小惑星”が加わったためです。
木星の衛星、土星の衛星、天王星の衛星は、“水素の小惑星”に、第1世代の星が超新星爆発して飛散した元素がプラスされた物です。
木星の小惑星も“水素の小惑星”に、第1世代の星が超新星爆発して飛散した元素がプラスされた物です。
天王星のリングと海王星のリングが公転面に対し傾いているのは、天王星と海王星は螺旋回転しているからです。
軌道の公転速度から螺旋回転速度を求め、螺旋回転の軌道のエネルギーを求める。この場の電子のラブのAを求め、A2は温度になる。この温度は、天王星が太陽から受ける輻射熱になる。
この事より、太陽から受ける輻射熱と同じエネルギーを惑星の表面の原子は作っていることを理解する。
この事を、各惑星について検討する。
太陽から惑星に届く軌道エネルギーと、惑星の軌道エネルギーが等しい場合の条件を求める。惑星の軌道エネルギーの状態から、原子の電子のラブの軌道の状態と陽子のラブの軌道の状態がどのようになっているのかを理解する。
電子のラブの軌道の状態と陽子のラブの軌道の状態がどのようになっているのか。その事から、加速器で、陽子と陽子を衝突させた場合、どのような状態に成るかを検討する。
電子のラブと陽子のラブがどのようになっているか。その事から宇宙はどのように成るかを検討する。
【発明の効果】
【０００５】
次のことが理解できた。
1．惑星はどのようにできるか。太陽の中心の中性子星は公転速度を作ることによって、球状の軌道に存在していた元素は、公転軌道を公転する。この事によって、原子密度は大きくなり、同じ方向に回転するので、引く力ができる。
この事によって、大きな元素の塊ができる。大きな元素の塊は、自転することによって中心に重い元素が集まった。そして惑星ができた。
２．岩石と岩石がぶつかって惑星はできたのではない。同じ軌道の岩石は同じ速度で公転するからです。火星と木星の間の小惑星は、衝突しない。同じ軌道の公転速度は同じであるからです。
３．クエーサーが銀河になり、球体から円盤状になったのは、中心のブラックホールが公転速度を作ったからです。クエーサーの1番大きい軌道の速度は光速でした。
第一世代の星の周囲が球状から円盤状になったのは、中心のブラックホールが高速の公転軌道を作ったからです。
太陽系が球状から円盤状になったのは、中心の中性子星が高速の公転軌道を作ったからです。
４．第一世代の中心のブラックホールから放出するジェットは、1.125×1011Ｋｍまで届いた。その後、100倍に拡大したので、オルトーの雲は、約1013Kmの軌道に存在する。
５．第一世代の星の中心のブラックホールは高速の公転軌道を作った。その後、第一世代の星の核融合反応を起こすジェットが公転軌道に当たり、“水素の小惑星”を作った。それで、“水素の小惑星”は大きい水素の惑星に成らず、そのまま存在した。
６．“水素の小惑星”は超新星爆発で位置が拡大し、木星や土星の軌道まで移動した。
そして、木星の1部になり、土星の1部になった。
木星の衛星や土星の衛星や天王星の衛星は、“水素の小惑星”に元素がプラスしてできた。
木星の軌道の小惑星は、“水素の小惑星”に元素がプラスしてできた。
７．太陽の中心の中性子星は公転軌道を作った。その後、核融合反応を起こすジェットが、半径5.91×108Ｋｍの公転軌道に届き、火星と木星の間の小惑星を作った。それで、小惑星は、同じ速度で公転するので、衝突する事もなく1つの大きな惑星に成らなかった。
８．天王星は螺旋回転している。螺旋回転速度は、60.796Km/s です。螺旋軌道エネルギーは3696.175Ｊです。天王星の表面の原子数は6.909×1035個です。1個の原子が1公転で作る電気の光子１個のエネルギーは、5.35×10−33Ｊです。電子のラブの公転軌道は、2.3×10−9ｍです。Aは4.6×10−2です。温度は0.002116℃です。太陽から受ける輻射熱は0.0027℃です。
９．海王星は螺旋回転している。螺旋回転速度は、48.566Km /s です。螺旋軌道エネルギーは2358.6ＪＪです。天王星の表面の原子数は6.101×1035個です。1個の原子が1公転で作る電気の光子１個のエネルギーは、3.867×10−33Ｊです。電子のラブの公転軌道は、3.189×10−9ｍです。Aは3.318×10−2です。温度は0.0011℃です。太陽から受ける輻射熱は0.0011℃です。
１０．天王星と海王星の事から理解できる事。
1．太陽から受ける輻射量と同じエネルギーを惑星の表面の原子は作っている。
2．螺旋回転速度2＝螺旋回転の軌道エネルギーの考えは正しい。
3．螺旋回転の軌道のエネルギー＝表面の原子数×1原子が1公転で作る電気の光子や磁気の光子のエネルギー
１１．太陽から受ける輻射量＝惑星の表面の１原子が作る1個の電気の光子のエネルギー
軌道エネルギー＝惑星の表面の１原子が作る1個の電気の光子のエネルギー×惑星の表面の原子数
太陽から受ける輻射量は地球を1とした場合であるから、地球が受ける輻射量を１℃とすると、惑星が受ける輻射量は、水星は6.67℃、金星は1.91℃、地球は1℃、火星は0.43℃、木星は0.037℃、土星は0.011℃、天王星は0.0027℃、海王星は0.0011℃です。
私は、地表の温度を1℃とし、地表の電子のラブの公転軌道を1.058×10−10ｍとし、地表のＡを１としています。
この事を基に次のように理解した。
表1
2009033965.tif 000003
１２．惑星の1原子でできる電気の光子1個のエネルギー＝1.743×10−23J・Km÷太陽と惑星の距離、この式は、太陽から受ける輻射量＝惑星の表面の１原子が作る1個の電気の光子のエネルギー、を意味する。
１３．太陽から出発する光子のエネルギー÷惑星の軌道＝惑星の表面の原子が1公転で作る電気の光子のエネルギー＝惑星の表面の原子が1公転で作る磁気の光子のエネルギー
この事によって理解できる事。
1．太陽から出発する光子のエネルギーが太陽圏の軌道のエネルギーを作っている。
2．太陽から惑星に届く電気の光子のエネルギーは、惑星の表面の原子が作る電気の光子のエネルギーと磁気の光子のエネルギーを作っている。
3．太陽から惑星に届く電気の光子のエネルギーは、惑星の表面の原子が1公転で作る電気の光子のエネルギーに等しい。
4．太陽から惑星に届く磁気の光子のエネルギーは、惑星の表面の原子が1公転で作る磁気の光子のエネルギーに等しい。
１４．惑星の表面の原子数が7.602×1033個である場合、太陽から惑星に届く軌道エネルギーと惑星の軌道エネルギーが等しい。
この事は何を意味するか。
1．惑星の表面に存在する7.602×1033個の原子が電気の光子と磁気の光子を出している。
2．太陽の表面に存在する1.325×1037個の原子が電気の光子と磁気の光子を出している。
3．惑星の軌道において、太陽から惑星の軌道に届く磁気の光子のエネルギーと、惑星が出す磁気の光子のエネルギーは等しい。
4．引力がつりあっている事は、惑星の軌道において、太陽から惑星の軌道に届く磁気の光子のエネルギーと、惑星が出す磁気の光子のエネルギーは等しい事です。
磁気の光子のエネルギーは等しく方向が反対です。
5．惑星は、太陽が作る磁気の光子の軌道エネルギーと自分が作る磁気の光子の軌道エネルギーが等しい軌道に存在する。
6．惑星が作る磁気の光子の軌道エネルギーと、太陽が惑星に届く磁気の光子の軌道エネルギーは等しい。
7．磁気の光子の軌道エネルギーは引力になり、電気の光子の軌道エネルギーは速度2になっている。
8．太陽が作る軌道エネルギーには2種類あり、1つは電気の光子の軌道エネルギーであり、1つは磁気の光子の軌道エネルギーである。
9．惑星が作る軌道エネルギーには2種類あり、1つは電気の光子の軌道エネルギーであり、1つは磁気の光子の軌道エネルギーである。
１５．太陽から届く光子のエネルギーと惑星の軌道エネルギーを次のように理解した。
表2
2009033965.tif 000004
１６．惑星の表面の原子数が7.6×1033個であるとすると、「請求項11」で求めた惑星の表面の原子数は7.6×1033個の何倍か。
惑星の表面の原子数÷(7.6×1033個)
表３
2009033965.tif 000005
「請求項１５」を参照。
この表から理解できる事。
惑星の表面の状態から、惑星の表面の原子数は全て、7.6×1033個であると推察できる。
１７．電子のラブが公転している軌道に、電気の光子と磁気の光子は、電子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、電子のラブのエネルギーと同じエネルギーの電気の光子と磁気の光子は、電子のラブの軌道を走っている。電子のラブも電子のラブの軌道を走っている。
陽子の場合も同じです。
１８．太陽系の軌道のエネルギーと存在する物、と原子の軌道のエネルギーと存在する物を次のように理解した。
太陽系の軌道エネルギー。
太陽が作る軌道のエネルギー＝太陽の表面の原子数×太陽の表面の1原子から出発する電気の光子1個のエネルギー×見かけ上に換算するための距離×2÷(2×距離)＝1.325×1037個×10−31J×105Km×2÷(2×距離)＝2.65×1011Jkm÷軌道
惑星が作る軌道のエネルギー＝惑星の表面の原子数×惑星の表面の原子が1公転で作る光子のエネルギー＝惑星の表面の原子数×3.486×10−23J・Km÷惑星の軌道(Km)＝7.6×1033個×3.486×10−23J・Km÷惑星の軌道(Km)＝2.65×1011J・Km÷惑星の軌道
表4
2009033965.tif 000006
2009033965.tif 000007
1秒間では、この7×1017倍の光子のエネルギーができる。引力もこの7×1017倍になる。
原子の軌道エネルギー。
軌道エネルギー＝8.665×10−24Jm÷軌道＝1秒間にできる電気の光子のエネルギーと磁気の光子のエネルギー
表５
2009033965.tif 000008
１９．軌道のエネルギーとは、中心に存在する物が作る軌道におけるエネルギーであり、その軌道には軌道のエネルギーを持つ物が存在する。
２０．陽子のラブや電子のラブの質量エネルギーは変化する。E=mc2が成立するのは、地上のみで、電子のラブの公転軌道が1.058×10−10ｍの場合のみです。
２１．E=mc2をどのような場においても適応できる式にすると、
E×1.058×10−10ｍ＝mc2×1.058×10−10ｍ＝8.674×10−24Jm、です。
２２．電子のラブと陽子のラブの状態から、高速加速器で観測される電気の光子と磁気の光子のエネルギーと波長と数と方向はどのようであるかを理解した。
表６
2009033965.tif 000009
２３．電子のラブと陽子のラブの状態から、電子のラブと陽子のラブは、衝突後どのようになるかを理解した。
２４．電子のラブと陽子のラブの状態から、宇宙は膨張後、どのようになるかを理解した。
【発明を実施するための最良の形態】
【０００６】
１．  惑星はどのようにできたか。
惑星はどのようにできたか。
惑星の材料になったのは、第1世代の星の中でできた元素が、超新星爆発によって球状に飛散した元素です。
この元素は、球状の軌道の中でランダムに回転していました。
第1世代の星が超新星爆発した中心に残ったものは、中性子星です。
この中性子星が、軌道エネルギーを作りました。軌道エネルギーは公転速度に成りました。
それで、球状の軌道の中でランダムに回転していた元素は、公転軌道上を公転しました。
球状の軌道の体積に存在した元素は、公転軌道上を公転しました。
この事によって、元素の密度は大きくなりました。
元素が公転軌道上を公転する事によって、元素は同じ方向に、同じ速度で走るので、引く力が生まれました。引く力は、磁気の光子のエネルギーでできます。元素の1番外側の電子のラブの自転によってできます。
この力によって元素は集合しました。
大きくなった元素の集合体に、更に元素が加わり、惑星ができました。
惑星の自転により惑星の中央には重い元素が集まりました。
即ち、公転する事によって、元素の密度は大きくなり、引く力ができる。
この2つの働きによって、惑星ができます。
・この考えに基ずき次のように考える。
a.球状の軌道の中でランダムに回転していた原子は、１Km3に何個であったか。
b.中性子星が作った軌道エネルギーと公転速度はいくらか。
c.公転軌道を公転する原子は、１Km2に何個であったか。
d.この軌道の元素の1番外側の電子のラブが1公転で作る磁気の光子のエネルギーはいくらか。
e.惑星の原子は、１Km3に何個であるか。
f.自転により、重い元素は中央に成った。
・これらを求める式はどのようであるか。
a.球状の軌道の中でランダムに回転していた原子は、１Km3に何個であったか。
１Km3の原子数＝惑星の原子数÷(大きい軌道の体積−小さい軌道の体積)
大きい軌道＝太陽から遠い惑星と惑星の中間の軌道
小さい軌道＝惑星と太陽に近い惑星の中間の軌道
惑星の元素が存在した軌道の範囲＝小さい軌道から大きい軌道まで
b.中性子星が作った軌道エネルギーと公転速度はいくらか。
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
公転速度＝(5.4×1018J・Km÷半径)1/2
c.公転軌道を公転する原子は、１Km2に何個であったか。
１Km2の原子数＝惑星の原子数÷(大きい軌道の平面積−小さい軌道の平面積)
d.この軌道の元素の1番外側の電子のラブが1公転で作る磁気の光子のエネルギーはいくらか。
1公転でできる磁気の光子7.6×107個のエネルギー＝1.233×10−41Jm÷公転軌道
e.惑星の原子は、１Km3に何個であるか。
惑星の１Km3の原子数＝惑星の原子数÷惑星の体積
△水星の場合。
a.球状の軌道の中でランダムに回転していた原子(元素を原子に換算する)は、１Km3に何個であったか。
金星と水星の中間の軌道は、(金星の軌道−水星の軌道)÷2＋水星の軌道＝(1.082×108Km−0.579×108Km)÷2＋0.579×108Km＝0.8305×108Km
水星と太陽の中間の軌道は、水星の軌道÷2＝(0.579×108Km)÷2＝0.2895×108Km
水星の元素が存在していた軌道の体積＝金星と水星の中間の軌道の球体積−水星と太陽の中間の軌道の球体積＝4π÷3×(0.8305×108Km)3−4π÷3×(0.2895×108Km)3＝2.398×1024Km3−0.1016×1024Km3＝2.2964×1024Km3
この体積に存在していた元素が水星になった。
水星の原子数＝１Kgの原子数×地球の質量×地球の質量の倍数＝6×1026個×5.974×1024Kg×0.05527＝1.970×1050個
１Km3の原子数＝1.970×1050個÷(2.2964×1024Km3)＝8.579×1025個/Km3
１Km3に8.579×1025個の原子が存在し、ランダムに回転していた。
b.水星ができた軌道の公転速度はいくらだったか。
公転速度＝｛5.4×1018J・Km÷(0.579×108Km)｝1/2＝(9.326×1010J)1/2＝3.054×105Km
秒速約3.×105Kmの光速で元素は公転し、元素は平面軌道上を公転した。
元素が光速で同じ方向に公転し、引く力が生まれた。
c.公転軌道を公転する原子は、１Km2に何個であったか。
水星の軌道の平面積＝π(0.8305×108Km)2−π(0.2895×108Km)2＝2.166×1016Km2−0.263×1016Km2＝1.903×1016Km2
平面の原子密度＝水星の原子数÷平面積＝1.970×1050個÷(1.903×1016Km2)＝1.035×1034個/Km2
平面を公転する事によって、原子の密度は、8.579×1025個/Km3から1.035×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(4.096×10−11ｍ)＝3.010×10−31J
この引力で元素は引き合った。
e.水星の原子は、１Km3に何個であるか。
水星の１Km3の原子数＝水星の原子数÷水星の体積＝1.970×1050個÷｛4π÷3×(2.44×103Km)3｝＝1.970×1050個÷(6.082×1010Km3)＝3.239×1039個/Km3
3.239×1039個/Km3の原子の集合体である水星ができた。
f.自転により重い元素は中央に成った。
△金星の場合。
a.球状の軌道の中でランダムに回転していた原子は、１Km3に何個であったか。
地球と金星の中間の軌道は、(地球の軌道−金星の軌道)÷2＋金星の軌道＝(1.496×108Km−1.082×108Km)÷2＋1.082×108Km＝0.207×108Km＋1.082×108Km＝1.289×108Km
金星の元素が存在していた軌道の体積＝地球と金星の中間の軌道の球体積−金星と水星の中間の軌道の球体積＝4π÷3×(1.289×108Km)3−4π÷3×(0.8305×108Km)3＝4π÷3×1.569×1024Km3＝6.569×1024Km3
この体積に存在した元素が金星の元素になった。
金星の原子数＝１Kgの原子数×地球の質量×地球の質量の倍数＝6×1026個×5.974×1024Kg×0.8150＝2.921×1051個
１Km3の原子数＝2.921×1051個÷(6.569×1024Km3)＝4.447×1026個/Km3
１Km3に4.447×1026個の原子が存在し、ランダムに回転していた。
b.中性子星が作った公転速度はいくらか。
公転速度＝｛5.4×1018J・Km÷(1.082×108Km)｝1/2＝(4.991×1010J)1/2＝2.234×105Km
秒速2.234×105Kmの光速で元素は公転し、元素は平面軌道上を公転した。
元素が同じ方向に高速で公転し、引く力が生まれた。
c.公転軌道を公転する原子は、１Km2に何個であったか。
金星の軌道の平面積＝0.8305×108Kmの軌道から1.289×108Kmの軌道までの面積＝π(1.289×108Km)2−π(0.8305×108Km)2＝π(1.662−0.6897)1016Km2＝3.053×1016Km2
平面の原子密度＝金星の原子数÷平面積＝2.921×1051個÷(3.053×1016Km2)＝9.568×1034個/Km2
平面を公転する事によって、原子の密度は、4.447×1026個/Km3から9.568×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(7.656×10−11ｍ)＝1.611×10−31J
この引力で元素は引き合った。
e.金星の原子は、１Km3に何個であるか。
金星の１Km3の原子数＝金星の原子数÷金星の体積＝2.921×1051個÷｛4π÷3×(6.052×103Km)3｝＝2.921×1051個÷(9.280×1011Km3)＝3.145×1039個/Km3
3.145×1039個/Km3の原子の集合体である金星ができた。
f.自転により重い元素は中央に成った。
△地球の場合。
a.球状の軌道の中でランダムに回転していた原子は、１Km3に何個であったか。
火星と地球の中間の軌道は、(火星の軌道−地球の軌道)÷2＋地球の軌道＝(2.279×108Km−1.496×108Km)÷2＋1.496×108Km＝0.3915×108Km＋1.496×108Km＝1.888×108Km
地球の元素が存在していた軌道の体積＝火星と地球の中間の軌道の球体積−地球と金星の中間の軌道の球体積＝4π÷3×(1.888×108Km)3−4π÷3×(1.289×108Km)3＝4π÷3×4.583×1024Km3＝1.919×1025Km3
この体積に存在した元素が地球の元素になった。
地球の原子数＝１Kgの原子数×地球の質量＝6×1026個×5.974×1024Kg＝3.584×1051個
１Km3の原子数＝3.584×1051個÷(1.919×1025Km3)＝1.868×1026個/Km3 
１Km3に4.447×1026個の原子が存在し、ランダムに回転していた。
b.中性子星が作った公転速度はいくらか。
公転速度＝｛5.4×1018J・Km÷(1.496×108Km)｝1/2＝(3.610×1010J)1/2＝1.900×105Km
秒速1.900×105Kmの光速で元素は公転し、元素は平面軌道上を公転した。
元素が同じ方向に高速で公転し、引く力が生まれた。
c.公転軌道を公転する原子は、１Km2に何個であったか。
地球の軌道の平面積＝1.289×108Kmの軌道から1.888×108Kmの軌道までの面積＝π(1.888×108Km)2−π(1.289×108Km)2＝π(3.565−1.662)1016Km2＝5.975×1016Km2
平面の原子密度＝地球の原子数÷平面積＝3.584×1051個÷(5.975×1016Km2)＝5.998×1034個/Km2
平面を公転する事によって、原子の密度は、1.868×1026個/Km3から5.998×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(1.058×10−10ｍ)＝1.165×10−31J
この引力で元素は引き合った。
e.地球の原子は、１Km3に何個であるか。
地球の１Km3の原子数＝地球の原子数÷地球の体積＝3.584×1051個÷｛4π÷3×(6.378×103Km)3｝＝3.584×1051個÷(1.086×1012Km3)＝3.300×1039個/Km3
3.300×1039個/Km3の原子の集合体である地球ができた。
f.自転により重い元素は中央に成った。
△火星と小惑星の場合。
a.球状の軌道の中でランダムに回転していた原子は、１Km3に何個であったか。
木星と火星の中間の軌道は、(木星の軌道−火星の軌道)÷2＋火星の軌道＝(7.783×108Km−2.279×108Km)÷2＋2.279×108Km＝2.752×108Km＋2.279×108Km＝5.031×108Km
小惑星と火星の元素が存在していた軌道の体積＝木星と火星の中間の軌道の球体積−火星と地球の中間の軌道の球体積＝4π÷3×(5.031×108Km)3−4π÷3×(1.888×108Km)3＝4π÷3×(127.339−6.730)1024Km3＝5.0495×1026Km3
この体積に存在した原子数がが火星の原子数と小惑星の原子数になった。
小惑星の合計の原子数をY個とする。
火星の原子数＝１Kgの原子数×地球の質量×地球の質量の倍数＝6×1026個×5.974×1024Kg×0.1074＝3.850×1050個
１Km3の原子数＝(Y個＋3.850×1050個)÷(5.049×1026Km3)
・火星と小惑星の軌道の１Km3の原子数はどれくらいか。
水星の場合、１Km3の原子数は、8.214×1025個、
金星の場合、１Km3の原子数は、4.447×1026個、
地球の場合、１Km3の原子数は、1.868×1026個です。
地球の密度は1番大きく、5.52です。
火星の密度は地球型惑星では1番小さく、3.93です。
この事は、重い元素は地球の軌道に多い。第1世代の超新星爆発で飛散した元素が、地球の軌道にたくさん集まった。
それで、火星と小惑星の場合、地球の１Km3の原子数より少ない。
火星と小惑星の１Km3の原子数を、1.5×1026個と仮定します。
そうしますと、
１Km3の原子数＝(Y個＋3.850×1050個)÷(5.049×1026Km3)＝1.5×1026個
Y個＝1.5×1026個×(5.049×1026Km3)−3.850×1050個＝7.5735×1052−3.850×1050個＝7.535×1052個
小惑星の原子数の合計は、7.535×1052個です。
これは地球の質量の何倍か。
7.535×1052個÷(6×1026個×5.974×1024Kg)＝2.102×10(倍)
小惑星の原子数の合計は、地球の原子数の21.02倍です。
第1世代の星の超新星爆発によって、1.888×108Km から5.031×108Kmの球体の軌道には、1Km3に1.5×1026個の原子が存在した。
１Km3に1.5×1026個の原子が存在し、ランダムに回転していた。
b.中性子星が作った公転速度はいくらか。火星の軌道の場合。
公転速度＝｛5.4×1018J・Km÷(2.279×108Km)｝1/2＝(2.369×1010J)1/2＝1.539×105Km
秒速1.539×105Kmの光速で元素は公転し、元素は平面軌道上を公転した。
元素が同じ方向に高速で公転し、引く力が生まれた。
c.公転軌道を公転する原子は、１Km2に何個であったか。
火星と小惑星の軌道の平面積＝1.888×108Kmの軌道から5.031×108Kmの軌道までの面積＝π(5.031×108Km)2−π(1.888×108Km)2＝π(25.311−3.565)1016Km2＝6.828×1017Km2
平面の原子密度＝火星と小惑星の原子数÷平面積＝(3.850×1050個＋7.535×1052個)÷(6.828×1017Km2)＝1.109×1035個/Km2
平面を公転する事によって、原子の密度は、1.5×1026個/Km3から1.109×1035個/Km2になった。
d.この軌道の元素の1番外側の電子のラブが1公転で作る磁気の光子のエネルギーはいくらか。火星の場合。
1公転でできる磁気の光子7.6×107個のエネルギー＝1.233×10−41Jm÷(1.613×10−10ｍ)＝7.644×10−32J
この引力で元素は引き合った。
e.火星の原子は、１Km3に何個であるか。
火星の１Km3の原子数＝火星の原子数÷火星の体積＝3.850×1050個÷｛4π÷3×(3.396×103Km)3｝＝3.850×1050個÷(1.640×1011Km3)＝2.348×1039個/Km3
2.348×1039個/Km3の原子の集合体である火星ができた。
f.自転により重い元素は中央に成った。
△木星の場合。
a.球状の軌道の中でランダムに回転していた原子は、１Km3に何個であったか。
土星と木星の中間の軌道は、
(土星の軌道―木星の軌道)÷2＋木星の軌道＝(14.294×108Km−7.783×108Km)÷2＋7.783×108Km＝1.1039×109Km
木星の元素が存在していた軌道の体積＝土星と木星の中間の軌道の球体積−木星と火星の中間の軌道の球体積＝4π÷3×(1.1039×109Km)3−4π÷3×(5.031×108Km)3＝4π÷3×12.177×1026Km3＝5.098×1027Km3
この体積に存在した元素が木星の元素になった。
木星の原子数＝１Kgの原子数×地球の質量×地球の質量の倍数＝6×1026個×5.974×1024Kg×317.83＝1.139×1054個
１Km3の原子数＝1.139×1054個÷(5.098×1027Km3)＝2.234×1026個/Km3
１Km3に4.447×1026個の原子が存在し、ランダムに回転していた。
b.中性子星が作った公転速度はいくらか。
公転速度＝｛5.4×1018J・Km÷(7.783×108Km)｝1/2＝(69.382×108J)1/2＝8.330×104Km
秒速8.330×104Kmの高速で元素は公転し、元素は平面軌道上を公転した。
元素が同じ方向に高速で公転し、引く力が生まれた。
c.公転軌道を公転する原子は、１Km2に何個であったか。
木星の軌道の平面積＝5.031×108Kmの軌道から1.1039×109Kmの軌道までの面積＝π(11.039×108Km)2−π(5.031×108Km)2＝π(121.860−25.311)1016Km2＝3.032×1018Km2
平面の原子密度＝木星の原子数÷平面積＝1.139×1054個÷(3.032×1018Km2)＝3.757×1035個/Km2
平面を公転する事によって、原子の密度は、2.234×1026個/Km3から3.757×1035個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(5.499×10−10ｍ)＝2.242 ×10−32J
この引力で元素は引き合った。
e.木星の原子は、１Km3に何個であるか。
木星の１Km3の原子数＝木星の原子数÷木星体積＝1.139×1054個÷｛4π÷3×(7.1492×104Km)3｝＝1.139×1054個÷(1.530×1015Km3)＝7.444×1038個/Km3
7.444×1038個/Km3の原子の集合体である木星ができた。
f.自転により重い元素は中央に成った。
△土星の場合。
a.球状の軌道の中でランダムに回転していた原子は、１Km3に何個であったか。
天王星と土星の中間の軌道は、
(天王星の軌道―土星の軌道)÷2＋土星の軌道＝(28.750×108Km−14.294×108Km)÷2＋14.294×108Km＝2.1522×109Km
土星の元素が存在していた軌道の体積＝天王星と土星の中間の軌道の球体積−土星と木星の中間の軌道の球体積＝4π÷3×(21.522×108Km)3−4π÷3×(11.038×108Km)3＝4π÷3×(9.969−1.345)×1027Km3＝3.611×1028Km3
この体積に存在した元素が土星の元素になった。
土星の原子数＝１Kgの原子数×地球の質量×地球の質量の倍数＝6×1026個×5.974×1024Kg×95.16＝3.411×1053個
１Km3の原子数＝3.411×1053個÷(3.611×1028Km3)＝9.446×1024個
１Km3に9.446×1024個の原子が存在し、ランダムに回転していた。
b.中性子星が作った公転速度はいくらか。
公転速度＝｛5.4×1018J・Km÷(14.294×108Km)｝1/2＝(37.778×108J)1/2＝6.146×104Km
秒速6.146×104Kmの高速で元素は公転し、元素は平面軌道上を公転した。
元素が同じ方向に高速で公転し、引く力が生まれた。
c.公転軌道を公転する原子は、１Km2に何個であったか。
土星の軌道の平面積＝11.038×108Kmの軌道から21.522×108Kmの軌道までの面積＝π(21.522×108Km)2−π(11.038×108Km)2＝π(4.632−1.218)1018Km2＝1.072×1019Km2
平面の原子密度＝土星の原子数÷平面積＝3.411×1053個÷(1.072×1019Km2)＝3.182×1034個/Km2
平面を公転する事によって、原子の密度は、9.446×1024個/Km3から3.182×1034個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(1.009×10−9ｍ)＝1.222×10−32J
この引力で元素は引き合った。
e.土星の原子は、１Km3に何個であるか。
土星の１Km3の原子数＝土星の原子数÷土星の体積＝3.411×1053個÷｛4π÷3×(6.0268×104Km)3｝＝3.411×1053個÷(9.165×1014Km3)＝3.722×1038個/Km3
3.722×1038個/Km3の原子の集合体である土星ができた。
f.自転により重い元素は中央に成った。
△天王星の場合。
a.球状の軌道の中でランダムに回転していた原子は、１Km3に何個であったか。
海王星と天王星の中間の軌道は、
(海王星の軌道―天王星の軌道)÷2＋天王星の軌道＝(45.044×108Km−28.750×108Km)÷2＋28.750×108Km＝3.6897×109Km
天王星の元素が存在していた軌道の体積＝海王星と天王星の中間の軌道の球体積−天王星と土星の中間の軌道の球体積＝4π÷3×(36.897×108Km)3−4π÷3×(21.522×108Km)3＝4π÷3×(50.23−9.969)×1027Km3＝1.686×1029Km3
この体積に存在した元素が天王星の元素になった。
天王星の原子数＝１Kgの原子数×地球の質量×地球の質量の倍数＝6×1026個×5.974×1024Kg×14.54＝5.212×1052個
１Km3の原子数＝5.212×1052個÷(1.686×1029Km3)＝3.091×1023個/Km3
１Km3に3.091×1023個の原子が存在し、ランダムに回転していた。
b.中性子星が作った公転速度はいくらか。
公転速度＝｛5.4×1018J・Km÷(28.750×108Km)｝1/2＝(1.879×109J)1/2＝4.335×104Km
秒速4.335×104Kmの高速で元素は公転し、元素は平面軌道上を公転した。
元素が同じ方向に高速で公転し、引く力が生まれた。
c.公転軌道を公転する原子は、１Km2に何個であったか。
天王星の軌道の平面積＝2.1522×109Kmの軌道から3.6897×109Kmの軌道までの面積＝π(3.6897×109Km)2−π(2.1522×109Km)2＝π(13.614−4.632)1018Km2＝2.820×1019Km2
平面の原子密度＝天王星の原子数÷平面積＝5.212×1052個÷(2.820×1019Km2)＝1.848×1033個/Km2
平面を公転する事によって、原子の密度は、3.091×1023個/Km3から1.848×1033個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(2.3×10−9ｍ)＝5.361×10−33J
この引力で元素は引き合った。
e.天王星の原子は、１Km3に何個であるか。
天王星の１Km3の原子数＝天王星の原子数÷天王星の体積＝5.212×1052個÷｛4π÷3×(2.5559×104Km)3｝＝5.212×1052個÷(6.990×1013Km3)＝7.456×1038個/Km3
7.456×1038個/Km3の原子の集合体である地球ができた。
f.自転により重い元素は中央に成った。
△海王星の場合。
a.球状の軌道の中でランダムに回転していた原子は、１Km3に何個であったか。
海王星の場合は、冥王星と海王星の中間の軌道と、海王星と天王星の中間の軌道の間の体積に存在していた元素が、海王星の元素になったとする。
海王星と天王星の中間の軌道は、
(冥王星の軌道―海王星の軌道)÷2＋海王星の軌道＝(59.152×108Km−45.044×108Km)÷2＋45.044×108Km＝5.210×109Km
海王星の元素が存在していた軌道の体積＝冥王星と海王星の中間の軌道の球体積−海王星と天王星の中間の軌道の球体積＝4π÷3×(5.210×109Km)3−4π÷3×(3.690×109Km)3＝4π÷3×(141.42−50.24)×1027Km3＝3.817×1029Km3
この体積に存在した元素が海王星の元素になった。
海王星の原子数＝１Kgの原子数×地球の質量×地球の質量の倍数＝6×1026個×5.974×1024Kg×17.15＝6.147×1052個
１Km3の原子数＝6.147×1052個÷(3.817×1029Km3)＝1.610×1023個/Km3 
１Km3に1.610×1023個の原子が存在し、ランダムに回転していた。
b.中性子星が作った公転速度はいくらか。
公転速度＝｛5.4×1018J・Km÷(45.044×108Km)｝1/2＝(1.199×109J)1/2＝3.463×104Km
秒速3.463×104Kmの高速で元素は公転し、元素は平面軌道上を公転した。
元素が同じ方向に高速で公転し、引く力が生まれた。
c.公転軌道を公転する原子は、１Km2に何個であったか。
海王星の軌道の平面積＝3.690×109Kmの軌道から5.210×109Kmの軌道までの面積＝π(5.210×109Km)2−π(3.690×109Km)2＝π(2.714−1.362)1019Km2＝4.245×1019Km2
平面の原子密度＝海王星の原子数÷平面積＝6.147×1052個÷(4.245×1019Km2)＝1.448×1033個/Km2
平面を公転する事によって、原子の密度は、1.610×1023個/Km3から1.448×1033個/Km2になった。
d.この軌道の元素の1番外側の電子のラブが1公転で作る磁気の光子のエネルギーはいくらか。
1公転でできる磁気の光子7.6×107個のエネルギー＝1.233×10−41Jm÷(3.189×10−9ｍ)＝3.866×10−33J
この引力で元素は引き合った。
e.海王星の原子は、１Km3に何個であるか。
海王星の１Km3の原子数＝海王星の原子数÷海王星の体積＝6.147×1052個÷｛4π÷3×(2.4764×104Km)3｝＝6.147×1052個÷(6.358×1013Km3)＝9.668×1038個/Km3
9.668×1038個/Km3の原子の集合体である地球ができた。
f.自転により重い元素は中央に成った。
まとめて表に示す。
表7
2009033965.tif 000010
２．  太陽系の惑星は岩石の衝突によってできたのではない。
従来、太陽系惑星は、小さな岩石が衝突してできたと考えられている。
しかし、私は、太陽系惑星は、小さな岩石が衝突してできたのではない、と考えます。
その理由は、太陽から同じ距離の軌道の速度は同じであるからです。
太陽から同じ距離の軌道に存在する岩石は、同じ速度で公転するので、火星と木星の間の小惑星のように衝突しない。
同じ軌道の岩石は、同じ速度で公転しているので、衝突しない。
よって、惑星は岩石の衝突によってできたのではない。
３．  クエーサーが銀河系になり、球体から円盤状になったのはどうしてか。太陽の親である第1世代の星の周囲は水素の球体であった。それがレコード状になったのはどうしてか。太陽系の惑星は、親である第1世代の星の超新星爆発によって球状に飛散した元素でできたのに、レコード状に並んでいるのはどうしてか。
球体が円盤状になった理由は、中心のブラックホールが作る軌道速度が高速で公転であったからです。軌道は公転運動をします。それで、軌道に球状に飛散した元素は公転軌道上を公転する。
この事によって、球体は円盤状になる。
△クエーサーが銀河系になって球体から円盤状になったのはどうしてか。
クエーサーの中心はブラックホールです。このブラックホールがクエーサーの軌道エネルギーを作る。軌道エネルギーは速度を作る。
その式は、軌道エネルギー＝公転速度2＝5.4×1018×102n/3J・Km÷半径、です。
10nは10n太陽質量です。
・クエーサーが作る軌道のエネルギー＝公転速度2はいくらか。
クエーサーの質量を6×1011太陽質量とする。6×1011＝100.7782＋11＝1011.7782
クエーサーが作る軌道エネルギー＝公転速度2＝5.4×1018×102n/3J・Km÷半径＝5.4×1018×102×11.7782/3J・Km÷半径＝5.4×1018×107.852J・Km÷半径＝5.4×1018＋7×100.852J・Km÷半径＝5.4×1025×7.083J・Km÷半径＝3.825×1026J・Km÷半径
クエーサーが作る軌道のエネルギー＝公転速度2＝3.825×1026J・Km÷半径
・クエーサーが作る軌道のエネルギー＝公転速度2＝3.825×1026J・Km÷半径、の式により、クエーサーの半径の公転速度を求める。
公転速度＝(3.825×1026J・Km÷半径)1/2
・公転速度が光速である半径はいくらか。
公転速度＝(3.825×1026J・Km÷半径)1/2＝3×105Km
3.825×1026J・Km÷半径＝9×1010Km
半径＝3.825×1026J・Km÷(9×1010Km)＝4.25×1015Km
クエーサーの中心から、半径4.25×1015Kmの軌道は光速です。
・現在、銀河系の半径は5×104光年です。
10−16ｍ時代の大きさは、現在の大きさの7.851×10−5倍です。この事について、私は、特願2008−223099の「請求項15」に記した。
よって、10−16ｍ時代、銀河系の大きさは、5×104×9.46×1012Km×7.851×10−5＝3.714×1013Kmでした。
それで、この軌道は光速です。
10−16ｍ時代、クエーサーは光速です。
このように、クエーサーの球体が銀河系の円盤状になったのは、軌道の公転速度が光速であったからです。
△太陽の親である第1世代の星の軌道が球状からレコード状になったのはどうしてか。
太陽の親である第1世代の星の中心に存在したブラックホールから噴出したジェットは、球体の空間からダークマターを集め水素とした。それで、太陽の親である第1世代の星の周囲は水素の球体であった。それが太陽系と同じようにレコード状になった。
これは、太陽の親である第1世代の星の中央に存在するブラックホールが作る軌道の公転速度が高速であったからです。
太陽の親である第1世代の星の質量は、太陽質量の8.246倍です。この事につて、私は、特願2007−150959の「請求項７」に記した。
太陽質量の8.246倍は、100.9162です。
太陽の親である第1世代の星の中心に存在したブラックホールが作る軌道エネルギー＝公転速度2＝5.4×1018×102×0.9162/3J・Km÷半径＝5.4×1018×100.6108J・Km÷半径＝5.4×1018×4.081J・Km÷半径＝2.204×1019J・Km÷半径
太陽の親である第1世代の星の中心に存在したブラックホールが作る軌道エネルギー＝公転速度2＝2.204×1019J・Km÷半径
公転速度＝(2.204×1019J・Km÷半径)1/2
・光速になる半径はいくらか。
公転速度＝(2.204×1019J・Km÷半径)1/2＝3×105Km
2.204×1019J・Km÷半径＝(3×105Km)2
半径＝2.204×1019J・Km÷(9×1010Km)＝2.449×108Km
第1世代の星の中心から、2.449×108Kmは光速です。
この距離は火星の距離に近い。
・核融合反応を起こすジェットが届く軌道にできた“水素の小惑星”達の公転速度はいくらだったか。
核融合反応を起こすジェットが届く半径＝太陽の半径×849×核融合の場のＡ÷核融合の場のＡ＝6.96×105Ｋｍ×849×1＝5.9×108Ｋｍ
この軌道の公転速度は、
公転速度＝｛2.204×1019J・Km÷(5.9×108Km)｝1/2＝(3.736×1010J)1/2＝1.933×105Kmでした。
核融合反応を起こすジェットが届く軌道にできた“水素の小惑星”達の公転速度は、1.933×105Kmでした。
・オルトーの雲になった水素雲が存在する軌道の公転速度はいくらだったか。
オルトーの雲ができた距離は、
ジェットが届いた距離(半径)＝太陽の半径×849×ブラックホールのＡ÷核融合の場のＡ＝6.96×105Ｋｍ×849×7.375×105÷(3.873×103)＝1.125×1011Ｋｍです。
この軌道の公転速度は、
公転速度＝｛2.204×1019J・Km÷(1.125×1011Ｋｍ)｝1/2＝(1.959×108J)1/2＝1.399×104Km
オルトーの雲になった水素雲が存在する軌道の公転速度は、1.4×104Kmです。
この考えですと、オルトーの雲は、円盤状に存在することになる。
このように、太陽の親である第1世代の星の中心に存在したブラックホールが作る、軌道の公転速度は高速であったので、球体からレコードになった。
△太陽系の惑星は、親である第1世代の星の超新星爆発によって球状に飛散した元素でできたのに、レコード状に並んでいるのはどうしてか。(これは「請求項1」と重複します。)
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
太陽の中心に存在した中性子星が作った軌道エネルギー＝公転速度2＝5.4×1018J・Km÷半径
公転速度＝(5.4×1018J・Km÷半径)1/2
・光速になる半径はいくらか。
公転速度＝(5.4×1018J・Km÷半径)1/2＝3×105Km
5.4×1018J・Km÷半径＝(3×105Km)2
半径＝5.4×1018J・Km÷(9×1010Km)＝6×107Km
光速になる半径は、6×107Kmです。
この距離は水星の距離に近い。
それでは、惑星ができた軌道の公転速度はいくらだったか。
水星ができた軌道の公転速度はいくらだったか。
公転速度＝｛5.4×1018J・Km÷(0.579×108Km)｝1/2＝(9.326×1010J)1/2＝3.054×105Km
金星のできた軌道の公転速度はいくらだったか。
公転速度＝｛5.4×1018J・Km÷(1.082×108Km)｝1/2＝(4.991×1010J)1/2＝2.234×105Km
地球のできた軌道の公転速度はいくらだったか。
公転速度＝｛5.4×1018J・Km÷(1.496×108Km)｝1/2＝(3.610×1010J)1/2＝1.900×105Km
火星のできた軌道の公転速度はいくらだったか。
公転速度＝｛5.4×1018J・Km÷(2.279×108Km)｝1/2＝(2.369×1010J)1/2＝1.539×105Km
木星のできた軌道の公転速度はいくらだったか。
公転速度＝｛5.4×1018J・Km÷(7.783×108Km)｝1/2＝(6.938×109J)1/2＝8.329×104Km
土星のできた軌道の公転速度はいくらだったか。
公転速度＝｛5.4×1018J・Km÷(14.294×108Km)｝1/2＝(3.778×109J)1/2＝6.147×104Km
天王星のできた軌道の公転速度はいくらだったか。
公転速度＝｛5.4×1018J・Km÷(28.750×108Km)｝1/2＝(1.879×109J)1/2＝4.335×104Km
海王星のできた軌道の公転速度はいくらだったか。
公転速度＝｛5.4×1018J・Km÷(45.044×108Km)｝1/2＝(1.199×109J)1/2＝3.463×104Km
惑星が存在するようになる軌道の公転速度は、いずれの場合にも、高速でした。
・核融合反応を起こすジェットが届く軌道にできた小惑星達の公転速度はいくらだったか。
核融合反応を起こすジェットが届く半径＝太陽の半径×849×核融合の場のＡ÷核融合の場のＡ＝6.96×105Ｋｍ×849×1＝5.9×108Ｋｍ
この軌道の公転速度は、
公転速度＝｛5.4×1018J・Km÷(5.9×108Km)｝1/2＝(0.9153×1010J)1/2＝0.957×105Km＝9.57×104Kmでした。
核融合反応を起こすジェットが届く軌道にできた小惑星達の公転速度は、9.57×104Kmでした。
・エッジワース・カイパーベルトができた軌道の公転速度はいくらだったか。
ジェットが届いた距離(半径)＝太陽の半径×849×中性子星のＡ÷核融合の場のＡ＝6.96×105Ｋｍ×849×1.968×105÷(3.873×103)＝3×1010Ｋｍ
この軌道の速度は、
速度＝｛5.4×1018J・Km÷(3×1010Km)｝1/2＝(1.8×108J)1/2＝1.342×104Km
エッジワース・カイパーベルトができた軌道の公転速度は、1.342×104Kmでした。
このように、太陽の中心の中性子星が作る、太陽圏の公転速度は高速であったので、球体に飛散した元素はレコード状になった。
まとめて表に示す。
表8
2009033965.tif 000011
４．  オルトーの雲はどのようにでき、成分は何で、半径どれくらいに存在するか。
・オルトーの雲はどのようにでき、成分は何か。
太陽の以前に存在した、第1世代の星の中央には、ブラックホールが存在した。
・ブラックホールから放出するジェットは、どこまで届いたか。
届いた距離(半径)＝太陽の半径×849×ブラックホールのＡ÷核融合の場のＡ＝6.96×105Ｋｍ×849×7.375×105÷(3.873×103)＝1.125×1011Ｋｍ
ブラックホールから放出するジェットは、1.125×1011Ｋｍまで届いた。
その時、宇宙空間に存在したのは、自転する電子のラブと自転する陽子のラブであった。
ジェットである電気の光子は、これらに付加し、公転させ、中性水素を作った。この水素が集まって水素雲になり、オルトーの雲になった。
それで、オルトーの雲の成分は中性水素です。
・現在、オルトーの雲は、半径どれくらいに存在するか。
オルトーの雲ができたのは、10−16ｍ時代です。
現代は、10−14ｍ時代ですから、軌道は100倍になり、空間は100倍になった。
それで、オルトーの雲は、半径、
1.125×1011Ｋｍ×100＝1.125×1013Ｋｍに存在する。
現在、オルトーの雲は、半径約1013Ｋｍに存在する。
５．  なぜ木星の質量は大きく水素が多いのか。木星の質量になった物は何か。なぜ土星の質量は大きく水素が多いのか。土星の質量になった物は何か。
木星の質量になった物は、太陽の以前に存在した、第1世代の星が作った物です。
・第1世代の原始星の核融合反応を起こすジェットは、どこまで届いたか。
第1世代の原始星の核融合反応を起こすジェットは、いわば、核融合反応を起こす発火点です。この場のＡは、核融合の場のＡとほぼ等しい。
それで、原始星の核融合反応を起こすジェットのＡ＝核融合の場のＡ＝3.873×103とする。
ジェットが届いた距離(半径)＝太陽の半径×849×ジェットのＡ÷核融合の場のＡ＝6.96×105Ｋｍ×849×3.873×103÷(3.873×103)＝5.91×108Ｋｍ
第1世代の原始星の核融合反応を起こすジェットは、5.91×108Ｋｍまで届いた。
・このジェットが届いた半径に、何ができたか。
第1世代の星が存在した時に存在したものは、ダークマターである自転する電子のラブと自転する陽子のラブです。
それがジェットである電気の光子により、ダークマターである自転する電子のラブと陽子のラブは活性化し、公転し、できた物は、中性水素だけです。
中性水素以外の元素は存在しなかった。
ジェットが届いた半径に、中性水素ができた。
水素が集まって、水素雲ができた。
第1世代の原始星の核融合反応を起こすジェットは、5.91×108Ｋｍまで届き、この範囲に水素雲を作った。
また、原始太陽の核融合反応を起こすジェットが、火星と木星の間の小惑星を作ったように、第1世代の原始星の核融合反応を起こすジェットは、水素雲の塊を作った。
これを、“水素の小惑星”と名づける。
第1世代の原始星の核融合反応を起こすジェットは、半径5.91×108Ｋｍの軌道に、“水素の小惑星”を作った。
・この“水素の小惑星”は、第1世代の星が超新星爆発した後どのようになったか。
この“水素の小惑星”は、第1世代の星が超新星爆発した後、移動した。
・“水素の小惑星”は、第1世代の星が超新星爆発した後、どれくらい移動したか。
地球型惑星は、密度も高く、たくさんの種類の元素が存在するので、第1世代の星の中でできた元素は、火星まで届いた。
第1世代の星が爆発し、中心のブラックホールは中性子星になり、中心の位置は同じですから、中性子星が太陽になったので、移動した距離は、ほぼ、太陽と火星の間の距離です。
約2.3×108Ｋｍです。
“水素の小惑星”は、第1世代の星が超新星爆発した後、約2.3×108Ｋｍ移動した。
・“水素の小惑星”はどこまで移動したか。
“水素の小惑星”は、
ジェットが届いた距離＋移動した距離＝5.91×108Ｋｍ＋2.3×108Ｋｍ＝8.21×108Ｋｍ、まで移動した。
木星の元素は、5.031×108Kmから1.104×109Kmまでの軌道に存在する元素ですから、“水素の小惑星”も、木星の元素に成った。
木星の質量が大きく水素が多いのは、第1世代の原始星の核融合反応を起こすジェットが作った“水素の小惑星”が加わったためです。
木星の質量になった物は、第1世代の原始星の核融合反応を起こすジェットが作った“水素の小惑星”です。
・なぜ土星の質量は大きく水素が多いか。土星の質量になった物は何か。
火星と木星の間の小惑星には、重い元素が含まれているので、第1世代の星の中でできた元素は小惑星ができた軌道まで飛散した。
小惑星ができた軌道を、約5.91×108Kmとすると、
“水素の小惑星”は、第1世代の星が超新星爆発した後、火星と木星の間の小惑星の距離である約5.91×108Ｋｍ移動した。
・“水素の小惑星”はどこまで移動したか。
“水素の小惑星”は、
ジェットが届いた距離＋移動した距離＝5.91×108Ｋｍ＋5.91×108Ｋｍ＝11.82×108Ｋｍ、まで移動した。
土星の元素は、11.038×108Kmから2.1522×109Kmまでの軌道に存在する元素ですから、“水素の小惑星”も、土星の元素に成った。
それで、土星には水素が多い。
まとめて表に示す。
表９
2009033965.tif 000012
６．  どうして、木星の衛星数は多いのか。土星の衛星数は多いのか。天王星の衛星数は多いのか。衛星は何でできたか。
木星の衛星と土星の衛星と天王星の衛星は、第1世代の星の“水素の小惑星”に、第1世代の星が超新星爆発した時、噴出した元素がプラスされてできた。
それで、木星の衛星と土星の衛星と天王星の衛星は多い。
７．  木星の軌道の小惑星は何でできたか。
“水素の小惑星”は超新星爆発により移動し、木星ができた軌道に移動した。“水素の小惑星”に元素が結合して木星の軌道の小惑星ができた。
８．  第1世代の星でできた“水素の小惑星”は太陽系の何になったか。
“水素の小惑星”は、木星と土星の水素に成った。
“水素の小惑星”は、木星の衛星、土星の衛星、天王星の衛星に成った。
“水素の小惑星”は、木星の軌道の小惑星に成った。
９．  “水素の小惑星”はどうして1つの大きな惑星に成らなかったのか。
まず初めに、第1世代の星の中心のブラックホールは公転軌道を作った。
その後、核融合反応を起こすジェットができ、半径5.91×108Ｋｍの公転軌道に届き、この公転軌道に“水素の小惑星”を作った。公転軌道上にできた“水素の小惑星”は、同じ速度で公転するので、衝突する事もなく1つの大きな惑星に成らなかった。
１０．  火星と木星の間の小惑星はどうして1つの大きな惑星に成らなかったのか。
まず初めに、太陽の中心の中性子星は公転軌道を作った。
その後、核融合反応を起こすジェットができ、半径5.91×108Ｋｍの公転軌道に届き、この公転軌道に、火星と木星の間の小惑星を作った。公転軌道上にできた小惑星は、同じ速度で公転するので、衝突する事もなく1つの大きな惑星に成らなかった。
１１．  惑星の表面の原子数はいくらか。
△水星の場合。
密度は5.43ですから、１cm3は5.43ｇです。
1cm3の原子数は、5.43ｇ÷(1.66×10−24ｇ)＝3.271×1024個
1cmに、(3.271×1024個)1/3=1.485×108個
1mに、1.485×108個×100＝1.485×1010個
平均公転軌道は、1ｍ÷(1.485×1010個)＝6.734×10−11ｍ
半径に、2.44×106ｍ×1.485×1010個＝3.623×1016個
表面に、4πｒ2＝4π(3.623×1016個)2＝1.649×1034個
球体積に、4π÷3×(3.623×1016個)3＝1.991×1050個
△金星の場合。
密度は5.24ですから、１cm3は5.24ｇです。
1cm3の原子数は、5.24ｇ÷(1.66×10−24ｇ)＝3.157×1024個
1cmに、(3.157×1024個)1/3=1.467×108個
1mに、1.467×108個×100＝1.467×1010個
平均公転軌道は、1ｍ÷(1.467×1010個)＝6.817×10−11ｍ
半径に、6.052×106ｍ×1.467×1010個＝8.878×1016個
表面に、4πｒ2＝4π(8.878×1016個)2＝9.900×1034個
球体積に、4π÷3×(8.878×1016個)3＝2.930×1051個
△地球の場合。
密度は5.52ですから、１cm3は5.52ｇです。
1cm3の原子数は、5.52ｇ÷(1.66×10−24ｇ)＝3.325×1024個
1cmに、(3.325×1024個)1/3=1.493×108個
1mに、1.493×108個×100＝1.493×1010個
平均公転軌道は、1ｍ÷(1.493×1010個)＝6.698×10−11ｍ
半径に、6.378×106ｍ×1.493×1010個＝9.522×1016個
表面に、4πｒ2＝4π(9.522×1016個)2＝1.138×1035個
球体積に、4π÷3×(9.522×1016個)3＝3.584×1051個
△火星の場合。
密度は3.93ですから、１cm3は3.93ｇです。
1cm3の原子数は、3.93ｇ÷(1.66×10−24ｇ)＝2.367×1024個
1cmに、(2.367×1024個)1/3=1.333×108個
1mに、1.333×108個×100＝1.333×1010個
平均公転軌道は、1ｍ÷(1.333×1010個)＝7.502×10−11ｍ
半径に、3.396×106ｍ×1.333×1010個＝4.527×1016個
表面に、4πｒ2＝4π(4.527×1016個)2＝2.574×1034個
球体積に、4π÷3×(4.527×1016個)3＝3.884×1051個
△木星の場合。
密度は1.33ですから、１cm3は1.33ｇです。
1cm3の原子数は、1.33ｇ÷(1.66×10−24ｇ)＝8.012×1023個
1cmに、(8.012×1023個)1/3=0.929×108個
1mに、0.929×108個×100＝9.29×109個
平均公転軌道は、1ｍ÷(9.29×109個)＝1.076×10−10ｍ
半径に、7.1492×107ｍ×9.29×109個＝6.642×1017個
表面に、4πｒ2＝4π(6.642×1017個)2＝5.541×1036個
球体積に、4π÷3×(6.642×1017個)3＝1.227×1054個
△土星の場合。
密度は0.69ですから、１cm3は0.69ｇです。
1cm3の原子数は、0.69ｇ÷(1.66×10−24ｇ)＝4.157×1023個
1cmに、(4.157×1023個)1/3=0.746×108個
1mに、0.746×108個×100＝7.46×109個
平均公転軌道は、1ｍ÷(7.46×109個)＝1.340×10−10ｍ
半径に、6.0268×107ｍ×7.46×109個＝4.496×1017個
表面に、4πｒ2＝4π(4.496×1017個)2＝2.539×1036個
球体積に、4π÷3×(4.496×1017個)3＝1.141×1054個
△天王星の場合。
密度は1.27ですから、１cm3は1.27ｇです。
1cm3の原子数は、1.57ｇ÷(1.66×10−24ｇ)＝7.651×1023個
1cmに、(7.651×1023個)1/3=0.9146×108個
1mに、0.9146×108個×100＝9.146×109個
平均公転軌道は、1ｍ÷(9.146×109個)＝1.093×10−10ｍ
半径に、2.5559×107ｍ×9.146 ×109個＝2.338×1017個
表面に、4πｒ2＝4π(2.338×1017個)2＝6.909×1035個
球体積に、4π÷3×(2.338×1017個)3＝5.351×1052個
△海王星の場合。
密度は1.17ですから、１cm3は1.17ｇです。
1cm3の原子数は、1.17ｇ÷(1.66×10−24ｇ)＝7.048×1023個
1cmに、(7.048×1023個)1/3=0.89×108個
1mに、0.89×108個×100＝8.9×109個
平均公転軌道は、1ｍ÷(8.9×109個)＝1.124×10−10ｍ
半径に、2.4764×107ｍ×8.9×109個＝2.204×1017個
表面に、4πｒ2＝4π(2.204×1017個)2＝6.101×1035個
球体積に、4π÷3×(2.204×1017個)3＝4.482×1052個
・表面の原子数は、3.454×1018×質量2/3です。この式を使って、惑星の表面積を計算する。
１Kgの原子数＝１Kg÷(1.66×10−27Kg)＝6.02×1026個
半径にｒ個の原子があるとする。
体積＝4/3×πｒ3＝質量×6.02×1026個
ｒ＝{(質量×6.02×1026個)÷4π/3}1/3
表面の原子数＝4πｒ2＝4π(質量×6.02×1026個÷4π/3)1/3×2＝4π(質量×1.4379×1026個)2/3=4π×質量2/3×0.143792/3×1027×2/3=4π×質量2/3×0.02071/3×1018=4π×質量2/3×0.275×1018=3.454×1018×質量2/3
表面の原子数＝3.454×1018×質量2/3
この式を使って、惑星の表面の原子数を計算する。
水星は、3.454×1018×(3.302×1023Kg)2/3=1.658
×1034(個)です。
金星は、3.454×1018×(4.869×1024Kg)2/3=9.923×1034(個)です。
地球は、3.454×1018×(5.974×1024Kg)2/3=1.658
×1034(個)です。
火星は、3.454×1018×(6.416×1023Kg)2/3=2.535×1034(個)です。
木星は、3.454×1018×(1.899×1027Kg)2/3=5.295×1036(個)です。
土星は、3.454×1018×(5.685×1026Kg)2/3=2.369×1036(個)です。
天王星は、3.454×1018×(8.686×1025Kg)2/3=6.774×1035(個)です。
海王星は、3.454×1018×(1.025×1026Kg)2/3=7.564×1035(個)です。
まとめて表に示す。
表１０
2009033965.tif 000013
１２．  天王星が太陽系の公転軌道に対して垂直の方向に自転しているのはどうしてか。天王星が横倒しのまま公転している事の解明。天王星はどのように自転しているか。
天王星は自転軸が公転面に対して98度傾いている。この事は、天王星は公転軸に対して螺旋回転していることです。天王星の公転速度は、秒速6.81Ｋｍです。
(銀河系の腕は、銀河系の中心のブラックホールの影響より、もっと近い腕の中心のブラックホールの影響を受けるため、腕の中心のブラックホールを中心に螺旋回転している。
これと同じように、天王星は、太陽の影響より、自分の中心の影響を受けている。
天王星の質量は地球質量の14.54倍であり、中心核の質量はほぼこれに近い。
中心核の質量は、ほぼ全体質量に等しい。この事について、私は、2008年9月1日に提出した特願2008−223099の「請求項15」に記した。)
天王星の公転の軌道エネルギー＝公転速度2＝6.812Ｊ＝46.376Ｊ
天王星の螺旋回転速度2＝公転速度2×79.7＝46.376Km×79.7＝3696.175Km
天王星の螺旋回転速度＝(3696.175)1/2Km/s=60.796Km/s
天王星の螺旋回転の軌道エネルギー＝螺旋回転速度2＝60.7962Ｊ＝3696.175
天王星は秒速60.796Kmで螺旋回転(自転)しながら、太陽の周りを、秒速6.81Kmで公転している。
・天王星は自転しているのか螺旋回転しているのか。
自転の場合、1自転で進む距離はいくらか。
1周する距離は、2πｒ＝2×π×天王星の半径＝2×3.14×2.5559×104Km＝1.605×105Kmです。
天王星が1自転する周期は、0.718日です。
秒速60.796Kmで0.718日走る距離は、
60.796Km×0.718×24×60×60＝3.771×106Kmです。
これは、1自転の何倍の距離か。
3.771×106Km÷(1.605×105Km)＝2.350×10
1自転の23.5倍の距離です。
よって、天王星は螺旋回転しながら自転している。  
・螺旋回転の軌道エネルギーはどのようにできるか。
(2008年1月4日に提出した特願2008−23309の「請求項１」に記した、軌道エネルギーは、光子1個のエネルギー×光子の数です。それで、aJは、出発する光子1個のエネルギー×出発する光子の数＝出発する光子1個のエネルギー×太陽の表面の原子数、です。私は、aJは出発する光子1個のエネルギーです。と記しましたが、これは誤りで、aJは出発する光子のエネルギーです。)
上記の軌道エネルギーは公転の軌道エネルギーがどのようにできるかについてです。
螺旋回転の軌道エネルギーも原理は同じで、
螺旋回転の軌道エネルギー＝螺旋回転する物体の表面の原子が出す電気の光子のエネルギー＝螺旋回転する物体の表面の原子数×1個の原子が作る電気の光子1個のエネルギーです。
・1個の原子が1公転で作る電気の光子１個のエネルギーはいくらか。
天王星の表面の原子数は6.909×1035個です。
1個の原子が1公転で作る電気の光子１個のエネルギーは、
3.691×103Ｊ÷(6.909×1035個)＝5.35×10−33Ｊ
1個の原子で、5.35×10−33Ｊの電気の光子と磁気の光子ができる。
・この電子のラブの公転軌道はいくらか。
1.233×10−41Ｊｍ÷(5.35×10−33Ｊ)＝2.3×10−9ｍ
この電子のラブの公転軌道は、2.3×10−9ｍです。
・この場のＡはいくらか。
1.058×10−10ｍ÷Ａ＝2.3×10−9ｍ
Ａ＝1.058×10−10ｍ÷(2.3×10−9ｍ)＝4.6×10−2
・この場の温度はいくらか。
温度＝Ａ2＝(4.6×10−2)2＝2.116×10−3＝0.002116(℃)
この場の温度は、0.002116℃です。          
天王星の表面の１原子が作る1個の電気の光子のエネルギーは、5.35×10−33Ｊです。
天王星の表面の電子のラブの公転軌道は、2.3×10−9ｍで、この場のＡは4.6×10−2で、この場の温度は、0.002116℃です。
この値は、天王星が太陽から受ける輻射量は、地球を1とすると、0.0027とほぼ等しい。
地球を１℃とすると、0.0027℃です。
この事によって理解できること。
1．太陽から受ける輻射量と同じエネルギーを惑星の表面の原子は作っている。
2．螺旋回転速度2＝螺旋回転の軌道エネルギーの考えは正しい。
3．螺旋回転の軌道のエネルギー＝表面の原子数×1原子が1公転で作る電気の光子や磁気の光子のエネルギー
１３．  海王星の自転軸は公転軌道面に垂直な直線に対して28.8度傾いていて、自転周期は約16時間です。海王星はどうしてこのような回転をするかの解明。海王星はどのように自転しているか。
海王星は、天王星より遠くに位置し、太陽から受けるエネルギーも小さく、公転速度も遅い。その上、質量は地球の17.15倍で、天王星より重い。よって、海王星は自分の中心のエネルギーで、螺旋回転している。
海王星の質量は地球質量の17.15倍であり、中心核の質量はほぼこれに近い。
海王星の公転の軌道エネルギー＝公転速度2＝5.442Ｊ＝29.594Ｊ
海王星の螺旋回転の軌道エネルギー＝螺旋回転速度2＝公転速度2×79.7＝29.5936Ｊ×79.7＝2358.6Ｊ
螺旋回転速度＝(2358.6)1/2=48.566Km
海王星の螺旋回転の軌道エネルギー＝螺旋回転速度2＝48.5662Ｊ＝2358.6J
海王星は秒速48.566Kmで螺旋回転(自転)しながら、太陽の周りを、秒速5.44Kmで公転している。
・海王星は自転しているのか螺旋回転しているのか。
自転の場合、1自転で進む距離はいくらか。
1周する距離は、2πｒ＝2×π×海王星の半径＝2×3.14×2.4764×104Km＝1.555×105Kmです。
海王星が1自転する周期は、0.671日です。
秒速48.566Kmで0.671日走る距離は、
48.566Km×0.671×24×60×60＝2.816×106Kmです。
これは、1自転の何倍の距離か。
2.816×106Km÷(1.555×105Km)＝1.811×10
1自転の18.11倍の距離です。
よって、海王星は螺旋回転しながら自転している。  
・1個の原子が1公転で作る電気の光子１個のエネルギーはいくらか。
海王星の表面の原子数は6.101×1035個です。
2.359×103Ｊ÷(6.101×1035個)＝3.867×10−33Ｊ
1個の原子が1公転で作る電気の光子1個のエネルギーは3.867×10−33Ｊです。
・この電子のラブの公転軌道はいくらか。
1.233×10−41Ｊｍ÷(3.867×10−33Ｊ)＝3.189×10−9ｍ
この電子のラブの公転軌道は、3.189×10−9ｍです。
・この場のＡはいくらか。
Ａ＝1.058×10−10ｍ÷(3.189×10−9ｍ)＝3.318×10−2
この場のＡは、3.318×10−2です。
・この場の温度はいくらか。
温度＝Ａ2＝(3.318×10−2)2＝1.1×10−3＝0.0011(℃)
この場の温度は、0.0011℃です。
海王星の表面の１原子が作る1個の電気の光子のエネルギーは、3.867×10−33Ｊです。
海王星の表面の電子のラブの公転軌道は、3.189×10−9ｍで、この場のＡは3.318×10−2で、この場の温度は、0.0011℃です。
この値は、海王星が太陽から受ける輻射量は地球を1とすると、0.0011と等しい。
地球を１℃とすると、0.0011℃です。
この事によって理解できること。
1．太陽から受ける輻射量と同じエネルギーを惑星の表面の原子は作っている。
2．螺旋回転速度2＝螺旋回転の軌道エネルギーの考えは正しい。
3．螺旋回転の軌道のエネルギー＝表面の原子数×1原子が1公転で作る電気の光子や磁気の光子のエネルギー
これをまとめて表に示す。
表１３
2009033965.tif 000014
１４．  軌道エネルギーでできる速度はいくらか。公転の場合はいくらか。螺旋回転の場合はいくらか。螺旋回転速度は公転速度の何倍か。公転速度は螺旋速度の何倍か。螺旋回転の軌道エネルギーは公転の軌道エネルギーの何倍か。公転の軌道エネルギーは螺旋回転の軌道エネルギーの何倍か。
△公転の場合。
公転の軌道エネルギー(J)＝速度2(Km)
公転軌道エネルギー＝ｎJとすると、速度2Km＝ｎJ
速度Km=ｎ1/2J
よって、ｎJの軌道エネルギーでｎ1/2Kmの公転速度ができる。
△螺旋回転の場合。
螺旋回転の軌道エネルギー(J)＝螺旋回転速度2(Km)＝公転速度2×79.7
螺旋回転の軌道エネルギー＝ｐJとすると、螺旋回転速度2Km＝ｐJ
螺旋回転速度Km=ｐ1/2J＝(公転速度2×79.7)1/2=公転速度×8.927
公転速度＝螺旋回転速度÷8.927＝螺旋回転速度×0.112
公転速度2＝(螺旋回転速度×0.112)2＝螺旋回転速度2×0.01254
螺旋回転速度2＝公転速度2÷0.01254＝公転速度2×79.7
公転の軌道エネルギー＝螺旋回転の軌道エネルギー×0.01254
螺旋回転の軌道エネルギー＝公転の軌道エネルギー÷0.01254＝公転の軌道エネルギー×79.7
よって、ｐJの螺旋回転の軌道エネルギーで、ｐ1/2Kmの螺旋速度ができる。
また、螺旋回転速度＝公転速度×8.927。
公転速度＝螺旋回転速度×0.112
公転の軌道エネルギー＝螺旋回転の軌道エネルギー×0.01254
螺旋回転の軌道エネルギー＝公転の軌道エネルギー×79.7
これを表に示す。
表１４
2009033965.tif 000015
１５．  太陽から受ける輻射量と同じエネルギーを惑星の表面の原子は作っている。この考えに基づき、軌道エネルギーについて考えます。軌道エネルギーとは何か。
太陽から受ける輻射量＝惑星の表面の１原子が作る1個の電気の光子のエネルギー
軌道エネルギー＝惑星の表面の１原子が作る1個の電気の光子のエネルギー×惑星の表面の原子数
太陽から受ける輻射量は地球を1とした場合であるから、地球が受ける輻射量を１℃とすると、惑星が受ける輻射量は、水星は6.67℃、金星は1.91℃、地球は1℃、火星は0.43℃、木星は0.037℃、土星は0.011℃、天王星は0.0027℃、海王星は0.0011℃です。
私は、地表の温度を1℃とし、地表の電子のラブの公転軌道を1.058×10−10ｍとし、地表のＡを１としています。
△水星の場合。
この場の温度＝6.67℃＝Ａ2
Ａ＝(6.67)1/2=2.583
この場の電子のラブの公転軌道は、
1.058×10−10ｍ÷2.583＝4.096×10−11ｍ
この電子のラブが1公転で作る電気の光子１個のエネルギーは、電子のラブの公転軌道と同じ軌道の電気の光子ができるので、
1.233×10−41Ｊ・ｍ÷(4.096×10−11ｍ)＝3.010×10−31Ｊ
1個の原子が1公転で作る電気の光子1個のエネルギーは、3.010×10−31Ｊです。
水星の表面の原子は1.699×1034個ですから、表面の原子でできる軌道エネルギーは、
表面の原子でできる軌道エネルギー＝1原子が1公転で作る電気の光子1個のエネルギー×表面の原子数＝3.010×10−31Ｊ×1.699×1034個＝5.114×103Ｊです。
比較します。
公転速度2＝公転軌道エネルギー＝47.362Ｊ＝2.243×103Ｊ
公転速度2で算出する公転軌道エネルギーは、2.243×103Ｊです。
水星の表面の温度を6.67℃として、算出した場合の、表面の原子でできる軌道エネルギーは、5.114×103Ｊです。
・太陽より受ける輻射の温度を6.67℃とした場合の、表面の原子でできる軌道エネルギーは、公転速度2の軌道エネルギーの何倍か。
5.114×103Ｊ÷(2.243×103Ｊ)＝2.28
2.28倍です。
△金星の場合。
この場の温度＝1.91℃＝Ａ2
Ａ＝(1.91)1/2=1.382
この場の電子のラブの公転軌道は、
1.058×10−10ｍ÷1.382＝7.656×10−11ｍ
この電子のラブが1公転で作る電気の光子１個のエネルギーは、電子のラブの公転軌道と同じ軌道の電気の光子ができるので、
1.233×10−41Ｊ・ｍ÷(7.656×10−11ｍ)＝1.61×10−31Ｊ
1個の原子が1公転で作る電気の光子1個のエネルギーは、1.61×10−31Ｊです。
水星の表面の原子は9.9×1034個ですから、表面の原子でできる軌道エネルギーは、
表面の原子でできる軌道エネルギー＝1原子が1公転で作る電気の光子1個のエネルギー×表面の原子数＝1.61×10−31Ｊ×9.9×1034個＝1.594×104Ｊです。
比較します。
公転速度2＝公転軌道エネルギー＝35.022Ｊ＝1.226×103Ｊ
公転速度2で算出する公転軌道エネルギーは、1.226×103Ｊです。
金星の表面の温度を1.91℃として、算出した場合の表面の原子でできる軌道エネルギーは、1.594×104Ｊです。
・太陽より受ける輻射の温度を1.91℃とした場合の表面の原子でできる軌道エネルギーは、公転速度2の軌道エネルギーの何倍か。
1.594×104Ｊ÷(1.226×103Ｊ)＝13
13倍です。
△地球の場合。
この場の温度＝1℃＝Ａ2
Ａ＝(1)1/2=1
この場の電子のラブの公転軌道は、
1.058×10−10ｍ÷1＝1.058×10−10ｍ
この電子のラブが1公転で作る電気の光子１個のエネルギーは、電子のラブの公転軌道と同じ軌道の電気の光子ができるので、
1.233×10−41Ｊ・ｍ÷(1.058×10−10ｍ)＝1.165×10−31Ｊ
1個の原子が1公転で作る電気の光子1個のエネルギーは、1.165×10−31Ｊです。
地球の表面の原子は1.138×1035個ですから、
表面の原子でできるできる電気の光子のエネルギーは、
表面の原子でできる軌道エネルギー＝1原子が1公転で作る電気の光子1個のエネルギー×表面の原子数＝1.165×10−31Ｊ×1.138×1035個＝1.326×104Ｊです。
比較します。
公転速度2＝公転軌道エネルギー＝29.782Ｊ＝886.8Ｊ
公転速度2で算出する公転軌道エネルギーは、8.868×102Ｊです。
地球の表面の温度を1℃として、算出した場合の表面の原子でできる軌道エネルギーは、1.326×104Ｊです。
・太陽より受ける輻射の温度を1℃とした場合の表面の原子でできる軌道エネルギーは、公転速度2の軌道エネルギーの何倍か。
1.326×104Ｊ÷(8.868×102Ｊ)＝1.495
1.495倍です。
△火星の場合。
この場の温度＝0.43℃＝Ａ2
Ａ＝(0.43)1/2=0.656
この場の電子のラブの公転軌道は、
1.058×10−10ｍ÷0.656＝1.613×10−10ｍ
この電子のラブが1公転で作る電気の光子１個のエネルギーは、電子のラブの公転軌道と同じ軌道の電気の光子ができるので、
1.233×10−41Ｊ・ｍ÷(1.613×10−10ｍ)＝7.644×10−32Ｊ
1個の原子が1公転で作る電気の光子1個のエネルギーは、7.644×10−32Ｊです。
火星の表面の原子は2.574×1034個ですから、
表面の原子でできるできる電気の光子のエネルギーは、
表面の原子でできる軌道エネルギー＝1原子が1公転で作る電気の光子1個のエネルギー×表面の原子数＝7.644×10−32Ｊ×2.574×1034個＝1.968×103Ｊです。
比較します。
公転速度2＝公転軌道エネルギー＝24.082Ｊ＝579.8Ｊ
公転速度2で算出する公転軌道エネルギーは、5.798×102Ｊです。
火星の表面の温度を0.43℃として、算出した場合の表面の原子でできる軌道エネルギーは、1.968×103Ｊです。
・太陽より受ける輻射の温度を0.43℃とした場合の表面の原子でできる軌道エネルギーは、公転速度2の軌道エネルギーの何倍か。
1.968×103Ｊ÷(5.798×102Ｊ)＝3.394
3.394倍です。
△木星の場合。
この場の温度＝0.037℃＝Ａ2
Ａ＝(0.037)1/2=0.1924
この場の電子のラブの公転軌道は、
1.058×10−10ｍ÷0.1924＝5.499×10−10ｍ
この電子のラブが1公転で作る電気の光子１個のエネルギーは、電子のラブの公転軌道と同じ軌道の電気の光子ができるので、
1.233×10−41Ｊ・ｍ÷(5.499×10−10ｍ)＝2.242×10−32Ｊ
1個の原子が1公転で作る電気の光子1個のエネルギーは、2.242×10−32Ｊです。
木星の表面の原子は5.541×1036個ですから、
表面の原子でできるできる電気の光子のエネルギーは、
表面の原子でできる軌道エネルギー＝1原子が1公転で作る電気の光子1個のエネルギー×表面の原子数＝2.242×10−32Ｊ×5.541×1036個＝1.242×105Ｊです。
比較します。
公転速度2＝公転軌道エネルギー＝13.062Ｊ＝170.56Ｊ
公転速度2で算出する公転軌道エネルギーは、1.706×102Ｊです。
木星の表面の温度を0.037℃として、算出した場合の表面の原子でできる軌道エネルギーは、1.242×105Ｊです。
・太陽より受ける輻射の温度を0.037℃とした場合の表面の原子でできる軌道エネルギーは、公転速度2の軌道エネルギーの何倍か。
1.242×105Ｊ÷(1.706×102Ｊ)＝7.282×102
7.282×102倍です。
△土星の場合。
この場の温度＝0.011℃＝Ａ2
Ａ＝(0.011)1/2=0.1049
この場の電子のラブの公転軌道は、
1.058×10−10ｍ÷0.1049＝1.009×10−9ｍ
この電子のラブが1公転で作る電気の光子１個のエネルギーは、電子のラブの公転軌道と同じ軌道の電気の光子ができるので、
1.233×10−41Ｊ・ｍ÷(1.009×10−9ｍ)＝1.222×10−32Ｊ
1個の原子が1公転で作る電気の光子1個のエネルギーは、1.222×10−32Ｊです。
土星の表面の原子は2.539×1036個ですから、
表面の原子でできる電気の光子のエネルギーは、
表面の原子でできる軌道エネルギー＝1原子が1公転で作る電気の光子1個のエネルギー×表面の原子数＝1.222×10−32Ｊ×2.539×1036個＝3.103×104Ｊです。
比較します。
公転速度2＝公転軌道エネルギー＝9.652Ｊ＝93.1225Ｊ
公転速度2で算出する公転軌道エネルギーは、9.312×10Ｊです。
土星の表面の温度を0.011℃として、算出した場合の表面の原子でできる軌道エネルギーは、3.103×104Ｊです。
・太陽より受ける輻射の温度を0.011℃とした場合の表面の原子でできる軌道エネルギーは、公転速度2の軌道エネルギーの何倍か。
3.103×104Ｊ÷(9.312×10Ｊ)＝3.332×102
3.332×102倍です。
・どうして木星の場合、太陽より受ける輻射の温度を0.037℃とした場合の軌道エネルギーは、公転速度2の軌道エネルギーの7.282×102倍になり、土星の場合、3.332×102倍になるのか。
木星と土星はガス型惑星であり、表面の原子数は、1000分の1になっているからです。
木星の場合。
表面はガス体で、1/1000の密度ですから、木星の表面の原子は5.541×1036−3個です。
軌道エネルギー＝1原子が1公転で作る電気の光子1個のエネルギー×表面の原子数＝2.242×10−32Ｊ×5.541×1033個＝1.242×102Ｊ
1.242×102Ｊ÷(1.706×102Ｊ)＝0.728
それで、木星の場合、太陽より受ける輻射の温度を0.037℃とした場合の軌道エネルギーは、公転速度2の軌道エネルギーの0.728倍になります。
土星の場合。
表面はガス体で、1/1000の密度ですから、土星の表面の原子は2.539×1036−3個です。
軌道エネルギー＝1原子が1公転で作る電気の光子1個のエネルギー×表面の原子数＝1.222×10−32Ｊ×2.539×1033個＝3.103×10Ｊ
3.103×10Ｊ÷(9.312×10Ｊ)＝0.333
それで、土星の場合、太陽より受ける輻射の温度を0.011℃とした場合の軌道エネルギーは、公転速度2の軌道エネルギーの0.333倍です。
まとめて表に示す。
表１５
2009033965.tif 000016
１６．  惑星の表面の1原子でできる電気の光子1個のエネルギーはどのような式で求められるか。
太陽より受ける輻射量の値は、1÷太陽からの距離2の比です。地球の値を１としています。
それで、
太陽より受ける輻射量＝1÷太陽と惑星の距離2÷(1÷太陽と地球の距離2)＝太陽と地球の距離2÷太陽と惑星の距離2、です。
惑星の1原子でできる電気の光子1個のエネルギー＝1.233×10−41J・m÷(1.058×10−10ｍ÷輻射量1/2)= 1.233×10−41J・m÷(1.058×10−10ｍ)×輻射量1/2＝1.165×10−31J×輻射量1/2＝1.165×10−31J×(太陽と地球の距離2÷太陽と惑星の距離2)1/2=1.165×10−31J×太陽と地球の距離÷太陽と惑星の距離＝1.165×10−31J×1.496×108Km÷太陽と惑星の距離＝1.743×10−23J・Km÷太陽と惑星の距離
惑星の表面の1原子でできる電気の光子1個のエネルギー＝1.743×10−23J・Km÷太陽と惑星の距離
１７．  惑星の表面の1原子でできる電気の光子1個のエネルギー＝1.743×10−23J・Km÷太陽と惑星の距離、この式はどのような事を意味するのか。
惑星の表面の1原子でできる電気の光子1個のエネルギー＝1.743×10−23J・Km÷太陽と惑星の距離
具体的に表すと、
水星の場合。
水星の表面の1原子でできる電気の光子1個のエネルギー＝1.743×10−23J・Km÷(0.579×108Km)＝3.010×10−31J
金星の場合。
金星の表面の1原子でできる電気の光子1個のエネルギー＝1.743×10−23J・Km÷(1.089×108Km)＝1.601×10−31J
地球の場合。
地球の表面の1原子でできる電気の光子1個のエネルギー＝1.743×10−23J・Km÷(1.496×108Km)＝1.165×10−31J
火星の場合。
火星の表面の1原子でできる電気の光子1個のエネルギー＝1.743×10−23J・Km÷(2.279×108Km)＝7.648×10−32J
木星の場合。
木星の表面の1原子でできる電気の光子1個のエネルギー＝1.743×10−23J・Km÷(7.783×108Km)＝2.239×10−32J
土星の場合。
土星の表面の1原子でできる電気の光子1個のエネルギー＝1.743×10−23J・Km÷(14.294×108Km)＝1.219×10−32J
まとめて表に示す。
惑星の表面の1原子でできる電気の光子1個のエネルギー＝1.743×10−23J・Km÷太陽と惑星の距離
表１６
2009033965.tif 000017
この事から理解できる事。
１．惑星の表面の1原子でできる電気の光子1個のエネルギー＝1.743×10−23J・Km÷太陽と惑星の距離、この式は、太陽から受ける輻射量と同じエネルギーを惑星の表面の原子は作っている事を意味する式です。
２．惑星の表面の1原子でできる電気の光子1個のエネルギー＝1.743×10−23J・Km÷太陽と惑星の距離、この式は、太陽から受ける輻射量＝惑星の表面の１原子が作る1個の電気の光子のエネルギー、を意味する。
３．この式は、「請求項１５」で示した式を、1つの式にまとめた式で、意味する事は同じです。
１８．  惑星の軌道エネルギーの式はどのようであるか。
Aは太陽と惑星の距離で表す場合。Bは太陽と惑星の軌道で表す場合。
A。太陽と惑星の距離で表す場合。
惑星の軌道エネルギー＝惑星の表面の原子数×惑星の表面の1原子が1公転で作る電気の光子1個のエネルギー＝惑星の表面の原子数×1.743×10−23J・Km÷太陽と惑星の距離
B。太陽と惑星の軌道で表す場合。
惑星の軌道エネルギー＝惑星の表面の原子数×1.743×10−23J・Km÷太陽と惑星の距離＝2×惑星の表面の原子数×1.743×10−23J・Km÷(2×太陽と惑星の距離)＝惑星の表面の原子数×3.486×10−23J・Km÷軌道
１９．  太陽から届く軌道エネルギーの式はどのようであるか。
Aは太陽と惑星の距離で表す場合。Bは太陽と惑星の軌道で表す場合。
A。太陽と惑星の距離で表す場合。
太陽から届く軌道エネルギー＝1.325×1011J・Km÷距離(この式は、特願2008−23309の「請求項1に記した。)
B。太陽と惑星の軌道で表す場合。
太陽から届く軌道エネルギー＝1.325×1011J・Km÷距離
太陽から届く軌道エネルギー＝2×1.325×1011J・Km÷(2×距離)
太陽から届く軌道エネルギー＝2.65×1011J・Km÷軌道
２０．  太陽から届く軌道エネルギーは、1.325×1011J・Km÷距離です。太陽から惑星に届く軌道エネルギーと惑星の軌道エネルギーが等しい場合の条件は何か。
太陽から届く軌道エネルギー＝1.325×1011J・Km÷距離(この式は、特願2008−23309の「請求項1に記した。)
惑星の軌道エネルギー＝惑星の表面の原子数×1.743×10−23J・Km÷太陽と惑星の距離
太陽から惑星に届く軌道エネルギーと惑星の軌道エネルギーが等しい場合。
1.325×1011J・Km÷太陽と惑星の距離＝惑星の表面の原子数×1.743×10−23J・Km÷太陽と惑星の距離
1.325×1011J・Km＝惑星の表面の原子数×1.743×10−23J・Km
惑星の表面の原子数＝1.325×1011J・Km÷(1.743×10−23J・Km)＝7.602×1033(個)
よって、太陽から惑星に届く軌道エネルギーと惑星の軌道エネルギーが等しい場合の条件は、惑星の表面の原子数が7.602×1033個であることです。
２１．  惑星の表面の原子数が7.602×1033個である場合、惑星の軌道エネルギー＝2.65×1011J・Km÷軌道です。太陽から出発する光子のエネルギー÷軌道＝2.65×1011J・Km÷軌道、との関係はどのようであるか。
惑星の軌道エネルギー＝2.65×1011J・Km÷惑星の軌道＝惑星の表面の原子が1公転で作る電気の光子のエネルギー
惑星の表面の原子が1公転で作る電気の光子のエネルギー＝惑星の軌道エネルギー＝2.65×1011J・Km÷惑星の軌道
惑星の軌道＝2.65×1011J・Km÷惑星の表面の原子が1公転で作る電気の光子のエネルギー
太陽から出発する光子のエネルギー÷惑星の軌道＝2.65×1011J・Km÷惑星の軌道＝2.65×1011J・Km÷(2.65×1011J・Km÷惑星の表面の原子が1公転で作る電気の光子のエネルギー)＝惑星の表面の原子が1公転で作る電気の光子のエネルギー
太陽から出発する光子のエネルギー÷惑星の軌道＝惑星の表面の原子が1公転で作る電気の光子のエネルギー＝惑星の表面の原子が1公転で作る磁気の光子のエネルギー
この事によって理解できる事。
1．太陽から出発する光子のエネルギーが太陽圏の軌道のエネルギーを作っている。
2．太陽から惑星に届く電気の光子のエネルギーは、惑星の表面の原子が作る電気の光子のエネルギーと磁気の光子のエネルギーを作っている。
3．太陽から惑星に届く電気の光子のエネルギーは、惑星の表面の原子が1公転で作る電気の光子のエネルギーに等しい。
4．太陽から惑星に届く磁気の光子のエネルギーは、惑星の表面の原子が1公転で作る磁気の光子のエネルギーに等しい。
２２．  太陽の引力と惑星の引力はつりあっている事はどのようなことか。太陽が惑星を引っ張っているとはどのようなことか。太陽と惑星の引力の解明。
太陽が惑星を引っ張っている事は、太陽が出す磁気の光子が作る軌道エネルギーが、惑星が出す磁気の光子の軌道エネルギーに等しい事です。
太陽の引力は、太陽から届く磁気の光子のエネルギーです。
惑星の引力は、惑星から出る磁気の光子のエネルギーです。
太陽から届く電気の光子のエネルギーは、太陽の表面の原子数×太陽から出発する電気の光子1個のエネルギー×105Km÷距離＝1.325×1037個×10−31J×105Km÷距離＝1.325×1011J・Km÷距離、です。
1公転でできる電気の光子のエネルギー＝1公転でできる磁気の光子のエネルギー、ですから、
太陽から届く磁気の光子のエネルギー＝太陽の表面の原子数×太陽から出発する磁気の光子のエネルギー×105Km÷距離＝1.325×1037個×10−31J×105Km÷距離＝1.325×1011J・Km÷距離、です。
よって、太陽が作る磁気の光子の軌道エネルギーの式は、太陽が作る電気の光子の軌道エネルギーの式と同じです。
また、
惑星が作る電気の光子の軌道エネルギーの式と、惑星が作る磁気の光子の軌道エネルギーの式は同じです。
惑星が作る電気の光子の軌道エネルギーの式＝惑星が作る磁気の光子の軌道エネルギーの式＝惑星の軌道エネルギーの式＝惑星の軌道エネルギー＝惑星の表面の原子数×1.743×10−23J・Km÷太陽と惑星の距離
惑星の表面の原子数が7.602×1033個である場合、太陽から惑星に届く軌道エネルギーと惑星の軌道エネルギーが等しい。
この事は何を意味するか。
1．惑星の表面に存在する7.602×1033個の原子が電気の光子と磁気の光子を出している。
2．太陽の表面に存在する1.325×1037個の原子が電気の光子と磁気の光子を出している。
3．惑星の軌道において、太陽から惑星の軌道に届く磁気の光子のエネルギーと、惑星が出す磁気の光子のエネルギーは等しい。
4．引力がつりあっている事は、惑星の軌道において、太陽から惑星の軌道に届く磁気の光子のエネルギーと、惑星が出す磁気の光子のエネルギーは等しい事です。
磁気の光子のエネルギーは等しく方向が反対です。
5．惑星は、太陽が作る磁気の光子の軌道エネルギーと自分が作る磁気の光子の軌道エネルギーが等しい軌道に存在する。
6．惑星が作る磁気の光子の軌道エネルギーと、太陽から届く磁気の光子の軌道エネルギーは等しい。
7．磁気の光子の軌道エネルギーは引力になり、電気の光子の軌道エネルギーは速度2になっている。
8．太陽が作る軌道エネルギーには2種類あり、1つは電気の光子の軌道エネルギーであり、1つは磁気の光子の軌道エネルギーである。
9．惑星が作る軌道エネルギーには2種類あり、1つは電気の光子の軌道エネルギーであり、1つは磁気の光子の軌道エネルギーである。
まとめて表に示す。
表１７
2009033965.tif 000018
２３．  惑星の表面の原子数が7.6×1033個であるとすると、「請求項11」で求めた惑星の表面の原子数は7.6×1033個の何倍か。
惑星の表面の原子数÷(7.6×1033個)
表１８
2009033965.tif 000019
「請求項１５」を参照。
この表から理解できる事。
惑星の表面の状態から、惑星の表面の原子数は全て、7.6×1033個であると推察できる。
２４．  電子のラブと陽子のラブはどのような状態になっているか。惑星の軌道エネルギーとの比較。
△地上の電子のラブの場合。式は、特願2006−336352に記した。
地上で、電子のラブは自転しながら公転している。
公転軌道は1.058×10−10ｍです。
電子のラブのエネルギーは、
8.665×10−24J・ｍ÷(1.058×10−10ｍ)＝8.190×10−14Jです。
１公転でできる電気の光子１個のエネルギーは、
1.233×10−41J・ｍ÷(1.058×10−10ｍ)＝1.165×10−31Jです。
１自転でできる磁気の光子1個のエネルギーは、
1.549×10−49J・ｍ÷(1.058×10−10ｍ)＝1.464×10−39Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝1.165×10−31J÷(1.464×10−39J)＝7.958×107個できます。
1公転で、7.958×107回自転します。
電子のラブが公転している軌道に、電気の光子と磁気の光子は、電子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、電子のラブのエネルギーと同じエネルギーの電気の光子と磁気の光子は、電子のラブの軌道を走っている。電子のラブも電子のラブの軌道を走っている。
電子のラブの軌道に、何公転の電気の光子と磁気の光子が走っているか。
電子のラブのエネルギー÷電気の光子１個のエネルギー＝8.19×10−14J÷(1.165×10−31J)＝7.030×1017
7.030×1017公転でできる電気の光子と磁気の光子が、電子のラブの軌道に存在し、回転している。
電子のラブの秒速は、
π×公転軌道×7.030×1017公転＝3.14×1.058×10−10ｍ×7.030×1017公転＝2.335×108ｍです。
電子のラブは、秒速2.335×108ｍで公転し、1秒間にできた電気の光子と磁気の光子と共に回転している。
△地上の陽子のラブの場合。
地上で、陽子のラブは自転しながら公転している。
陽子のラブの公転軌道は、
1.058×10−10ｍ×5.444×10−4倍＝5.760×10−14ｍですから、
陽子のラブのエネルギーは、
8.665×10−24J・ｍ÷(5.7598×10−14ｍ)＝1.504×10−10Jです。
１公転でできる電気の光子１個のエネルギーは、
1.233×10−41J・ｍ÷(5.760×10−14ｍ)＝2.141×10−28Jです。
１自転でできる磁気の光子1個のエネルギーは、
1.549×10−49J・ｍ÷(5.760×10−14ｍ)＝2.689×10−36Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝2.141×10−28J÷(2.689×10−36J)＝7.962×107個できます。
1公転で、7.962×107回自転します。
陽子のラブが公転している軌道に、できた電気の光子と磁気の光子は、陽子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、陽子のラブのエネルギーと同じエネルギーの電気の光子と磁気の光子は、陽子のラブの軌道を走っている。陽子のラブも陽子のラブの軌道を走っている。
陽子のラブの軌道に、何公転の電気の光子と磁気の光子が走っているか。
陽子のラブのエネルギー÷電気の光子１個のエネルギー＝1.504×10−10J÷(2.141×10−28J )＝7.025×1017
7.025×1017公転でできる電気の光子と磁気の光子が、陽子のラブの軌道に存在し、回転している。
陽子のラブの秒速は、
π×公転軌道×7.025×1017公転＝3.14×5.760×10−14ｍ×7.025×1017公転＝1.271×105ｍです。
陽子のラブは、秒速1.271×105ｍで公転し、1秒間にできた電気の光子と磁気の光子と共に回転している。
△電子のラブの公転軌道が10−11ｍの場の場合。
電子のラブの公転軌道が10−11ｍの場で、電子のラブは自転しながら公転している。
公転軌道は10−11ｍです。
電子のラブのエネルギーは、
8.665×10−24J・ｍ÷10−11ｍ＝8.665×10−13Jです。
１公転でできる電気の光子１個のエネルギーは、
1.233×10−41J・ｍ÷10−11ｍ＝1.233×10−30Jです。
1自転でできる磁気の光子1個のエネルギーは、
1.549×10−49J・ｍ÷10−11ｍ＝1.549×10−38Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝1.233×10−30J÷(1.549×10−38J)＝7.960×107個できます。
1公転で、7.960×107回自転します。
電子のラブが公転している軌道に、できた電気の光子と磁気の光子は、電子のラブのエネルギーと同じエネルギーだけ回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、電子のラブのエネルギーと同じエネルギーの電気の光子と磁気の光子は、電子のラブの軌道を走っている。電子のラブも電子のラブの軌道を走っている。
電子のラブの軌道に、何公転の電気の光子と磁気の光子が走っているか。
電子のラブのエネルギー÷電気の光子１個のエネルギー＝8.665×10−13J ÷(1.233×10−30J )＝7.028×1017
7.028×1017公転でできる電気の光子と磁気の光子が、電子のラブの軌道に存在し、回転している。
電子のラブの秒速は、
π×公転軌道×7.028×1017公転＝3.14×10−11ｍ×7.028×1017公転＝2.207×107ｍです。
電子のラブは、秒速2.207×107ｍで公転し、1秒間にできた電気の光子と磁気の光子と共に回転している。
△陽子のラブの場合。電子のラブの公転軌道が10−11ｍの場の場合。
陽子のラブは自転しながら公転している。
陽子のラブの公転軌道は、
10−11ｍ×5.444×10−4倍＝5.444×10−15ｍですから、
陽子のラブのエネルギーは、
8.665×10−24J・ｍ÷(5.444×10−15ｍ)＝1.592×10−9Jです。
１公転でできる電気の光子１個のエネルギーは、
1.233×10−41J・ｍ÷(5.444×10−15ｍ)＝2.265×10−27Jです。
１自転でできる磁気の光子1個のエネルギーは、
1.549×10−49J・ｍ÷(5.444×10−15ｍ)＝2.845×10−35Jです。
1公転で、電気の光子1個と同じ磁気の光子のエネルギーができますから、1公転でできる磁気の光子の数は、
1公転でできる磁気の光子のエネルギー÷磁気の光子1個のエネルギー＝2.265×10−27J÷(2.845×10−35J)＝7.961×107個できます。
1公転で、7.961×107回自転します。
陽子のラブが公転している軌道に、できた電気の光子と磁気の光子は、陽子のラブのエネルギーと同じエネルギーで回転しながら存在します。
この原理は、太陽から惑星の軌道に届いた電気の光子と磁気の光子と同じエネルギーの電気の光子と磁気の光子を作る惑星がその軌道に存在するからです。
太陽から惑星の軌道に届いた電気の光子と磁気の光子と同じエネルギーの電気の光子と磁気の光子が、惑星の軌道に存在するからです。
それで、陽子のラブのエネルギーと同じエネルギーの電気の光子と磁気の光子は、陽子のラブの軌道を走っている。陽子のラブも陽子のラブの軌道を走っている。
陽子のラブの軌道に、何公転の電気の光子と磁気の光子が走っているか。
陽子のラブのエネルギー÷電気の光子１個のエネルギー＝1.592×10−9J÷(2.265×10−27J)＝7.029×1017
7.029×1017公転でできる電気の光子と磁気の光子が、陽子のラブの軌道に存在し、回転している。
陽子のラブは1秒間に、7.029×1017公転し、その回転によってできた電気の光子と磁気の光子が陽子のラブの軌道を回転している。
陽子のラブの秒速は、
π×公転軌道×7.029×1017公転＝3.14×5.444×10−15ｍ×7.029×1017公転＝1.202×104ｍです。
陽子のラブは、秒速1.202×104ｍで公転し、1秒間にできた電気の光子と磁気の光子と共に回転している。
まとめて表に示す。式は特願2006−336352に記したものを用いる。
表１９
2009033965.tif 000020
２５．  太陽系の軌道エネルギーと原子の軌道エネルギーの相似性。
△太陽系の軌道エネルギーについて。
太陽系の軌道エネルギーは、
太陽系の軌道エネルギー＝2.65×1011J・Km÷軌道、です。
これは、中心に太陽が存在し、そこから出発する電気の光子のエネルギーは、
太陽の表面の原子×1原子から出発する電気の光子1個のエネルギー×見かけ上に換算するための距離＝1.325×1037個×10−31J×105Km＝1.325×1011J・Km
これを、軌道エネルギーにすると、
1.325×1011J・Km×2=2.65×1011J・Km、です。
この太陽の軌道エネルギーは、太陽の表面の原子が1公転で作る軌道エネルギーです。
この軌道に存在する惑星は、太陽が作りその軌道に届く光子のエネルギーと同じエネルギーを持って、軌道に存在している。
別な言い方をすると、
この軌道に存在する惑星は、太陽が作りその軌道に届く光子のエネルギーと同じエネルギーの電気の光子と磁気の光子を作って、軌道に存在している。
惑星の表面の原子数を7.6×1033個とする。
惑星が作っている電気の光子と磁気の光子のエネルギー＝惑星の表面の原子が1公転で作る電気の光子や磁気の光子のエネルギー＝惑星の表面の原子数×1原子が1公転で作る電気の光子や磁気の光子のエネルギー＝7.6×1033個×1原子が1公転で作る電気の光子や磁気の光子のエネルギー
水星の場合。
太陽が作る軌道エネルギー＝2.65×1011J・Km÷(2×0.579×108Km)＝2.288×103J
水星の表面の原子が1公転で作る電気の光子や磁気の光子のエネルギー＝7.6×1033個×3.010×10−31J＝2.288×103J
金星の場合。
太陽が作る軌道エネルギー＝2.65×1011J・Km÷(2×1.082×108Km)＝1.224×103J
金星の表面の原子が1公転で作る電気の光子や磁気の光子のエネルギー＝7.6×1033個×1.610×10−31J＝1.225×103J
地球の場合。
太陽が作る軌道エネルギー＝2.65×1011J・Km÷(2×1.496×108Km)＝8.857×102J
地球の表面の原子が1公転で作る電気の光子や磁気の光子のエネルギー＝7.6×1033個×1.165×10−31J＝8.854×102J
火星の場合。
太陽が作る軌道エネルギー＝2.65×1011J・Km÷(2×2.279×108Km)＝5.814×102J
火星の表面の原子が1公転で作る電気の光子や磁気の光子のエネルギー＝7.6×1033個×7.644×10−32J＝5.809×102J
木星の場合。
太陽が作る軌道エネルギー＝2.65×1011J・Km÷(2×7.783×108Km)＝1.702×102J
木星の表面の原子が1公転で作る電気の光子や磁気の光子のエネルギー＝7.6×1033個×2.242×10−32J＝1.704×102J
土星の場合。
太陽が作る軌道エネルギー＝2.65×1011J・Km÷(2×14.294×108Km)＝9.270×10J
土星の表面の原子が1公転で作る電気の光子や磁気の光子のエネルギー＝7.6×1033個×1.222×10−32J＝9.287×10J
この事によって理解できる事。
1．太陽が作る軌道のエネルギーは、2.65×1011J・Km÷軌道であり、この軌道に存在する電気の光子のエネルギーは、2.65×1011J・Km÷軌道であり、磁気の光子は、2.65×1011J・Km÷軌道です。
そして、この軌道には、この電気の光子と磁気の光子のエネルギーを1公転で作っている惑星が存在する。
△原子の軌道エネルギーについて。
原子の軌道エネルギー＝8.665×10−24J・ｍ÷軌道
これは、原子の中央に、8.665×10−24Jのエネルギーが存在するとみなす。
これは、ラブが作る見かけ上のエネルギーです。
軌道に存在するラブは、軌道エネルギーと同じエネルギーを持って存在している。
言い換えると、
軌道に存在するラブは、軌道エネルギーと同じエネルギーを作って存在している。
・陽子のラブの場合。
・公転軌道が、5.444×10−15ｍの陽子のラブの場合。
この軌道に存在する、陽子のラブのエネルギーは、
8.665×10−24J・ｍ÷(5.444×10−15ｍ)＝1.592×10−9Jです。
この軌道に存在する電気の光子のエネルギーは、
電気の光子1個のエネルギー×電気の光子の個数＝2.265×10−27J×7.029×1017個＝1.592×10−9Jです。
この軌道に存在する磁気の光子のエネルギーは、
2.845×10−35J×5.596×1025個＝1.592×10−9Jです。
5.444×10−15ｍの軌道には、1.592×10−9Jの陽子のラブと、2.265×10−27Jの電気の光子が7.029×1017個、2.845×10−35Jの磁気の光子が5.596×1025個存在する。
1.592×10−9Jの軌道には、1.592×10−9Jの陽子のラブと、1.592×10−9Jの電気の光子と、1.592×10−9Jの磁気の光子が存在する。
・公転軌道が5.760×10−14ｍの陽子のラブの場合。
この軌道に存在する、陽子のラブのエネルギーは、
8.665×10−24J・ｍ÷(5.760×10−14ｍ)＝1.504×10−10Jです。
この軌道に存在する電気の光子のエネルギーは、
電気の光子1個のエネルギー×電気の光子の個数＝2.141×10−28J×7.025×1017個＝1.504×10−10Jです。
この軌道に存在する磁気の光子のエネルギーは、
磁気の光子1個のエネルギー×磁気の光子の個数＝2.689×10−36J×5.593×1025個＝1.504×10−10Jです。
5.760×10−14ｍの軌道には、1.504×10−10Jの陽子のラブと、2.141×10−28Jの電気の光子が7.025×1017個、2.689×10−36Jの磁気の光子が5.593×1025個存在する。
1.504×10−10Jの軌道には、1.504×10−10Jの陽子のラブと、1.504×10−10Jの電気の光子と、1.504×10−10Jの磁気の光子が存在する。
・電子のラブの場合。
・公転軌道が、10−11ｍの電子のラブの場合。
この軌道に存在する、電子のラブのエネルギーは、
8.665×10−24J・ｍ÷10−11ｍ＝8.665×10−13Jです。
この軌道に存在する電気の光子のエネルギーは、
電気の光子1個のエネルギー×電気の光子の個数＝1.233×10−30J×7.028×1017個＝8.665×10−13Jです。
この軌道に存在する磁気の光子のエネルギーは、
磁気の光子1個のエネルギー×磁気の光子の個数＝1.549×10−38J×5.601×1025個＝8.665×10−13Jです。
10−11ｍの軌道には、8.665×10−13Jの電子のラブと、1.233×10−30Jの電気の光子が7.028×1017個、1.549×10−38Jの磁気の光子が5.601×1025個存在する。
8.665×10−13Jの軌道には、8.556×10−13Jの電子のラブと、8.556×10−13Jの電気の光子と、8.556×10−13Jの磁気の光子が存在する。
・公転軌道が、1.058×10−10ｍの電子のラブの場合。
この軌道に存在する、電子のラブのエネルギーは、
8.665×10−24J・ｍ÷(1.058×10−10ｍ)＝8.190×10−14Jです。
この軌道に存在する電気の光子のエネルギーは、
電気の光子1個のエネルギー×電気の光子の個数＝1.165×10−31J×7.030×1017個＝8.190×10−14Jです。
この軌道に存在する磁気の光子のエネルギーは、
磁気の光子1個のエネルギー×磁気の光子の個数＝1.464×10−39J×5.594×1025個＝8.190×10−14Jです。
1.058×10−10ｍの軌道には、8.190×10−14Jの電子のラブと、1.165×10−31Jの電気の光子が7.030×1017個、1.464×10−39Jの磁気の光子が5.594×1025個存在する。
8.190×10−14Jの軌道には、8.190×10−14Jの電子のラブと、8.190×10−14Jの電気の光子と、8.190×10−14Jの磁気の光子が存在する。
２６．  惑星の表面の１原子が1公転でできる電気の光子と磁気の光子のエネルギー＝3.486×10−23J・Km÷惑星の軌道(Km)、であり、ラブの軌道エネルギーは、8.674×10−24J・m÷軌道(ｍ)です。この違いは何か。
3.486×10−23J・Km÷惑星の軌道(Km)は、惑星の表面の１原子が1公転でできる電気の光子と磁気の光子のエネルギーであり
8.674×10−24J・m÷軌道(ｍ)は、ラブが1秒間に作る電気の光子のエネルギーと磁気の光子のエネルギーです。
即ち、7×1017個の電気の光子のエネルギーと、5.6×1025個の磁気の光子のエネルギーです。
まとめて表に示す。
太陽系の軌道エネルギー。
太陽が作る軌道のエネルギー＝太陽の表面の原子数×太陽の表面の1原子から出発する電気の光子1個のエネルギー×見かけ上に換算するための距離×2÷(2×距離)＝1.325×1037個×10−31J×105Km×2÷(2×距離)＝2.65×1011Jkm÷軌道
惑星が作る軌道のエネルギー＝惑星の表面の原子数×惑星の表面の原子が1公転で作る光子のエネルギー＝惑星の表面の原子数×3.486×10−23J・Km÷惑星の軌道(Km)＝7.6×1033個×3.486×10−23J・Km÷惑星の軌道(Km)＝2.65×1011J・Km÷惑星の軌道
表２０
2009033965.tif 000021
2009033965.tif 000022
1秒間では、この7×1017倍の光子のエネルギーができる。引力もこの7×1017倍になる。
原子の軒道エネルギー。
軌道エネルギー＝8.665×10−24Jm÷軌道＝1秒間にできる電気の光子のエネルギーと磁気の光子のエネルギー
表２１
2009033965.tif 000023
２７．  軌道のエネルギーとは何か。
軌道のエネルギーとは、中心に存在する物が作る軌道におけるエネルギーであり、その軌道には軌道のエネルギーを持つ物が存在する。
２８．  陽子のラブや電子のラブの質量エネルギーは変化する。E=mc2が成立するのは、地上のみで、電子のラブの公転軌道が1.058×10−10ｍの場合のみです。
陽子のラブや電子のラブの質量エネルギーは、E=mc2として計算される。
陽子の質量エネルギー＝ｍｃ2＝陽子の静止質量×c2＝1.67265×10−27Kg×(3×108ｍ)2＝1.5×10−10J
電子の質量エネルギー＝ｍｃ2＝電子の静止質量×ｃ2＝9.1095×10−31Kg×(3×108ｍ)2＝8.199×10−14J
私は、2006年11月15日に提出した、特願2006−336352において、ラブの軌道エネルギーは、8.665×10−24J・ｍとした。
この事は、陽子のラブと電子のラブは、公転軌道によってエネルギーは変わることを示す。
陽子のラブと電子のラブのエネルギーは、公転する軌道に現れる。
E=ｍｃ2の値は、ｍは常に一定です。ｃ2も常に一定です。それで、E=ｍｃ2は常に一定です。
しかし、10−15mの場では、電子のラブのエネルギーは、
8.665×10−24J・ｍ÷10−15＝8.665×10−9Jです。
陽子のラブの公転軌道は、電子のラブの公転軌道の、
9.1095×10−31Kg÷(1.67265×10−27Kg)＝5.444×10−4倍ですから、
10−15ｍ×5.444×10−4倍＝5.444×10−19ｍです。
この陽子のラブのエネルギーは、
8.665×10−24J・ｍ÷(5.444×10−19ｍ)＝1.592×10−5Jです。
これらのエネルギーの値は、E=ｍｃ2ではありません。
陽子のラブと電子のラブの質量エネルギーが、E=ｍｃ2であるのは、地上の場で、電子の公転軌道が、1.058×10−10ｍである場合だけです。
２９．  E=mc2をどのような場においても適応できる式にする方法。
陽子のラブと電子のラブの質量エネルギーが、E=ｍｃ2であるのは、地上の場で、電子の公転軌道が、1.058×10−10ｍである場合だけです。
それでは、E=mc2をどのような高エネルギーの場又は低エネルギーの場においても適応できる式にする方法はないでしょうか。
E=mc2を軌道エネルギーの式にすると、どのような高エネルギー又は低エネルギーの場においても適応できる。
電子のラブの場合。
E=mc2は電子のラブの公転軌道が1.058×10−10ｍの場だけに適応します。
エネルギー×公転軌道＝E×1.058×10−10ｍ＝mc2×1.058×10−10ｍ＝9.1093×10−31Kg×(3×108ｍ)2×1.058×10−10ｍ＝8.674×10−24
E×1.058×10−10ｍ＝8.199×10−14J×1.058×10−10ｍ＝8.675×10−24Jm
よって、E×公転軌道＝mc2×公転軌道＝8.675×10−24Jm
E=mc2をどのような場においても適応できる式にするためには、これを軌道エネルギーの式にする事です。
E×1.058×10−10ｍ＝mc2×1.058×10−10ｍ＝8.674×10−24Jm
E=mc2をどのような場においても適応できる式にすると、
E×1.058×10−10ｍ＝mc2×1.058×10−10ｍ＝8.674×10−24Jm、です。
陽子のラブの場合。
E=mc2は電子のラブの公転軌道が1.058×10−10ｍの場だけに適応します。
陽子のラブの公転軌道は、電子のラブの公転軌道×電子のラブの静止質量÷陽子のラブの静止質量＝1.058×10−10ｍ×9.1095×10−31Kg÷1.67265×10−27Kg＝5.762×10−14ｍ
エネルギー×公転軌道＝E×5.762×10−14ｍ＝mc2×5.762×10−14ｍ＝1.67265×10−27Kg×(3×108ｍ)2×5.762×10−14ｍ＝8.674×10−24
E×5.762×10−14ｍ＝1.505385×10−10J×5.762×10−14ｍ＝8.674×10−24Jm
よって、E×公転軌道＝mc2×公転軌道＝8.674×10−24Jm
E=mc2をどのような場においても適応できる式にするためには、これを軌道エネルギーの式にする事です。
E×5.762×10−14ｍ＝mc2×5.762×10−14ｍ＝8.674×10−24Jm
E=mc2をどのような場においても適応できる式にすると、
E×5.762×10−14ｍ＝mc2×5.762×10−14ｍ＝8.674×10−24J・m、です。
E×公転軌道＝8.674×10−24J・m
E=8.674×10−24J・m÷公転軌道
公転軌道＝8.674×10−24Jm÷E
３０．  高速加速器で観測される電気の光子と磁気の光子のエネルギーと波長と数と方向はどのようであるか。
高速加速器でぶつけても、電子のラブや陽子のラブは小さいので検出できない。
電子のラブの軌道を走っている電気の光子と磁気の光子は飛散するので観測できる。
観測される電気の光子と磁気の光子はどのようであるか。
１．観測される電気の光子のエネルギーと磁気の光子のエネルギーについて。
a.もし、高エネルギーの電子のラブ、即ち、公転軌道の小さい電子のラブの場合。
電子のラブの軌道を回転している高エネルギーの電気の光子と磁気の光子が飛散し、観測される。
もし、低エネルギーの電子のラブ、即ち、公転軌道の大きい電子のラブの場合。
電子のラブの軌道を回転している低エネルギーの電気の光子と磁気の光子が飛散し、観測される。
もし、高エネルギーの陽子のラブ、即ち、公転軌道の小さい陽子のラブの場合。
陽子のラブの軌道を回転している高エネルギーの電気の光子と磁気の光子が飛散し、観測される。
もし、低エネルギーの陽子のラブ、即ち、公転軌道の大きい陽子のラブの場合。
陽子のラブの軌道を回転している低エネルギーの電気の光子と磁気の光子が飛散し、観測される。
b.7.03×1017公転でできる電気の光子と磁気の光子が、電子のラブの軌道に存在し、回転しているので、それらが飛散し、観測される。
c. 観測される電気の光子のエネルギーと磁気の光子の総合のエネルギーは同じです。
d.電気の光子1個のエネルギー：磁気の光子1個のエネルギー＝1.165×10−31J：1.464×10−39J＝7.968×107：1です。
２．観測される電気の光子の数と磁気の光子の数について。
電気の光子の数：磁気の光子の数＝7.030×1017公転(個)：5.594×1025自転(個)＝１：7.958×107
３．観測される電気の光子の波長と磁気の光子の波長について。
電気の光子の波長：磁気の光子の波長＝公転軌道：自転軌道＝1.058×10−10ｍ：1.058×10−10ｍ÷(7.958×107個)＝1：1.2566×10−8＝7.958×107：1
４．電気の光子と磁気の光子が飛散する方向について。
a.磁気の光子は螺旋回転しているので、磁気の光子の回転方向は、電気の光子の回転方向に斜めであるので、飛散後も、お互い、斜め方向に走る。
b.公転軌道を走るを電気の光子の数は、7.030×1017個も存在するので、飛散方向は千差万別であり特定できない。
c.自転する磁気の光子は螺旋回転し、その数は5.594×1025個もあるので、飛散する方向は特定できない。
５．電気の光子と磁気の光子が飛散する場合3種類の状態が考えられる。
a.電気の光子と磁気の光子が別々に分かれて飛散する場合。
b.電気の光子1個に磁気の光子が7.958×107個巻きついて飛散する場合。
c.複数の電気の光子に磁気の光子が巻きついて電磁気の束として飛散する場合。
まとめて表に記す。
表２２
2009033965.tif 000024
３１．  電子のラブと陽子のラブは、衝突後どのようになるか。
電子のラブと陽子のラブは小さいので、衝突しない。そして、高速加速器の外に出るか、又は、そのまま高速加速器の中を回転する。
1．高速加速器の外に出る場合。
高速加速器の外に出ると、電子のラブと陽子のラブは、自転し、公転し、電気の光子と磁気の光子を作る。
1秒間にできた電気の光子と磁気の光子は、電子のラブと陽子のラブの軌道を回転する。
再び元の電子と陽子ができる。
２．そのまま高速加速器の中を回転する場合。
陽子のラブが高速加速器の中を回転する場合、2つの状態が考えられる。
１つは、
高速加速器の中を回転する陽子のラブは、ブラックホールであるから、陽子のラブであるブラックホールが高速加速器の中を回転する。しかし、陽子のラブであるブラックホールは蒸発しない。
陽子のラブは、ビッグバンのエネルギーでできた質量であり、この質量を持つ球体である陽子のラブは、いかなるエネルギーによっても分解されない。
私は、この事について、2006年12月30日に提出した、特願2006−357550の「質量の誕生とE=mc2」に記した。
１つは、
高速加速器の中を回転する陽子のラブは、自転し公転しながら、磁気の光子と電気の光子を作る。そして、再びもとの陽子になる。そして再度衝突し、電気の光子と磁気の光子を飛散する。
３２．  宇宙は膨張後、どのようになるか。
宇宙を構成する電子のラブと陽子のラブは存在し続ける。
宇宙を構成する電子のラブと陽子のラブの質量は変わらない。
しかし、電子のラブと陽子のラブの質量エネルギーは小さくなる。
電子のラブと陽子のラブは自転だけするダークマターになる。
電子のラブと陽子のラブは自転し、磁気の光子を作るので、電子のラブは集まる。陽子のラブは集まる。電子のラブの塊ができる。陽子のラブの塊ができる。
それで、宇宙は収縮する。
その後、再びビッグバンが起きる。このビッグバンは、陽子のラブの塊と、電子のラブの塊が衝突しておきる。
もし、ダークマターは自転しないのであるならば、磁気の光子はできないので、集合しない。よって、宇宙は膨張し続ける。
【図面の簡単な説明】
【０００７】
【図１】惑星はどのようにできたかを図示する。  惑星ができた過程を6段階に分けて考える。a.球状の軌道の中でランダムに回転していた原子は、１Km3に何個であったか。b.中性子星が作った軌道エネルギーと公転速度はいくらか。c.公転軌道を公転する原子は、１Km2に何個であったか。d.この軌道の元素の1番外側の電子のラブが1公転で作る磁気の光子のエネルギーはいくらか。e.惑星の原子は、１Km3に何個であるか。f.自転により、重い元素は中央に成った。これを求める式。a.球状の軌道の中でランダムに回転していた原子は、１Km3に何個であったか。１Km3の原子数＝惑星の原子数÷(大きい軌道の体積−小さい軌道の体積)大きい軌道＝太陽から遠い惑星と惑星の中間の軌道小さい軌道＝惑星と太陽に近い惑星の中間の軌道惑星の元素が存在した軌道の範囲＝小さい軌道から大きい軌道までb.中性子星が作った軌道エネルギーと公転速度はいくらか。太陽の中心は中性子星でした。この中性子星が太陽系の軌道エネルギーを作った。軌道エネルギーは公転速度を作った。太陽の質量は1太陽質量ですから、１＝100です。太陽の中心に存在した中性子星が作った軌道エネルギー＝公転速度2＝5.4×1018×102×0/3J・Km÷半径＝5.4×1018J・Km÷半径公転速度＝(5.4×1018J・Km÷半径)1/2c.公転軌道を公転する原子は、１Km2に何個であったか。１Km2の原子数＝惑星の原子数÷(大きい軌道の平面積−小さい軌道の平面積)d.この軌道の元素の1番外側の電子のラブが1公転で作る磁気の光子のエネルギーはいくらか。1公転でできる磁気の光子7.6×107個のエネルギー＝1.233×10−41Jm÷公転軌道e.惑星の原子は、１Km3に何個であるか。惑星の１Km3の原子数＝惑星の原子数÷惑星の体積・この式によって求めたデーターを「請求項１」に、まとめとして表示しているので、これを参照。
【図２】木星と土星の質量が大きく水素が多いのはどうしてか、を図示する。第1世代の原始星の核融合反応を起こすジェットは、半径5.91×108Kmの軌道に、“水素の小惑星”を作った。第1世代の星の超新星爆発により、元素は火星まで飛んだ。それで、“水素の小惑星”は、8.21×108Kmの軌道に移動した。この“水素の小惑星”が木星の材料に成った。第1世代の星の超新星爆発により、元素は小惑星まで飛んだ。それで、“水素の小惑星”は、11.82×108Kmの軌道に移動した。この“水素の小惑星”が土星の材料に成った。
【図３】太陽系の軌道のエネルギーと存在する物、と原子の軌道のエネルギーと存在する物を図示する。太陽系の軌道エネルギー。太陽から届く軌道のエネルギー＝太陽の表面の原子数×太陽の表面の1原子から出発する電気の光子1個のエネルギー×見かけ上に換算するための距離×2÷(2×距離)＝1.325×1037個×10−31J×105Km×2÷(2×距離)＝2.65×1011Jkm÷軌道惑星が作る軌道のエネルギー＝惑星の表面の原子数×惑星の表面の原子が1公転で作る光子のエネルギー＝惑星の表面の原子数×3.486×10−23J・Km÷惑星の軌道(Km)＝7.6×1033個×3.486×10−23J・Km÷惑星の軌道(Km)＝2.65×1011J・Km÷惑星の軌道この式で得たデーターを「請求項24」と「請求項25」のまとめとして、表示しているので、これを参照。
【図４】高速加速器で観測される電気の光子と磁気の光子のエネルギーと波長と数と方向はどのようであるか。電気の光子の総合エネルギー：磁気の光子の総合エネルギー＝7.03×1017公転でできる電気の光子のエネルギー：7.03×1017公転でできる磁気の光子のエネルギー＝1：1電気の光子1個のエネルギー：磁気の光子1個のエネルギー＝7.968×107：1電気の光子の数：磁気の光子の数＝7.03×1017個：5.594×1025個＝１：7.968×107電気の光子の波長：磁気の光子の波長＝7.968×107：１電気の光子が飛散する方向は公転方向、磁気の光子が飛散する方向は、螺旋回転する方向で、公転方向に斜めの方向
【図５】電子のラブと陽子のラブは、衝突後どのようになるか。1．高速加速器の外に出る場合。高速加速器の外に出ると、電子のラブと陽子のラブは、自転し、公転し、電気の光子と磁気の光子を作り、再び元の電子と陽子ができる。２．そのまま高速加速器の中を回転する場合。陽子のラブが高速加速器の中を回転する場合、2つの状態が考えられる。１つは、高速加速器の中を回転する陽子のラブは、ブラックホールであるから、陽子のラブであるブラックホールが高速加速器の中を回転する。しかし、陽子のラブであるブラックホールは蒸発しない。１つは、高速加速器の中を回転する陽子のラブは、自転し公転しながら、磁気の光子と電気の光子を作る。そして、再びもとの陽子になる。そして再度衝突し、電気の光子と磁気の光子を飛散する。
【符号の説明】
【０００８】
１  中性子星
２  水星に成る元素が存在していた軌道の範囲は、0.289×108Kmから0.8305×108Kmまで。
３  金星の水素に成る元素が存在していた軌道の範囲は、0.8305×108Kmから1.289×108Kmまで。
４  地球に成る元素が存在していた軌道の範囲  は、1.289×108Kmから1.888×108Kmまで。
５  火星と小惑星に成る元素が存在していた軌道の範囲は、1.888×108Kmから5.031×108Kmまで。
６  木星に成る元素が存在していた軌道の範囲は、5.031×108Kmから11.039×108Kmまで。  
７  土星に成る元素が存在していた軌道の範囲は、11.039×108Kmから21.522×108Kmまで。
８  天王星に成る元素が存在していた軌道の範囲は、21.522×108Kmから36.897×108Kmまで。
９  海王星に成る元素が存在していた軌道の範囲は、36.897×108Kmから52.10×108Kmまで。
１０  水星に成る元素が存在していた軌道の体積において１Km3の原子数は、8.579×1025個。
１１  金星に成る元素が存在していた軌道の体積において１Km3の原子数は、4.447×1026個。
１２  地球に成る元素が存在していた軌道の体積において１Km3の原子数は、1.868×1026個。
１３  火星と小惑星に成る元素が存在していた軌道の体積において１Km3の原子数は、1.5×1026個とする。
１４  木星に成る元素が存在していた軌道の体積において１Km3の原子数は、2.234×1026個。
１５  土星に成る元素が存在していた軌道の体積において１Km3の原子数は、9.446×1024個。
１６  天王星に成る元素が存在していた軌道の体積において１Km3の原子数は、3.091×1023個。
１７  海王星に成る元素が存在していた軌道の体積において１Km3の原子数は、1.610×1023個。
１８  水星の公転速度は、3.054×105Km。
１９  金星の公転速度は、2.234×105Km。
２０  地球の公転速度は、1.900×105Km。
２１  火星の公転速度は、1.539×105Km。
２２  木星の公転速度は、8.330×104Km。
２３  土星の公転速度は、6.146×104Km。
２４  天王星の公転速度は、4.335×104Km。
２５  海王星の公転速度は、3.463×10４Km。
２６  水星に成る元素が公転していた軌道の平面において１Km2の原子数は、1.035×1034個。
２７  金星に成る元素が公転していた軌道の平面において１Km2の原子数は、9.568×1034個
２８  地球に成る元素が公転していた軌道の平面において１Km2の原子数は、5.998×1034個
２９  火星に成る元素が公転していた軌道の平面において１Km2の原子数は、1.109×1035個
３０  木星に成る元素が公転していた軌道の平面において１Km2の原子数は、3.757×1035個
３１  土星に成る元素が公転していた軌道の平面において１Km2の原子数は、3.182×1034個
３２  天王星に成る元素が公転していた軌道の平面において１Km2の原子数は、1.848×1033個
３３  海王星に成る元素が公転していた軌道の平面において１Km2の原子数は、1.448×1033個
３４  水星ができる公転軌道を走る元素の1番外側の電子のラブが1公転で作る磁気の光子のエネルギーは、3.010×10−31J。
３５  金星ができる公転軌道を走る元素の1番外側の電子のラブが1公転で作る磁気の光子のエネルギーは、1.611×10−31J。
３６  地球ができる公転軌道を走る元素の1番外側の電子のラブが1公転で作る磁気の光子のエネルギーは、1.165×10−31J。
３７  火星ができる公転軌道を走る元素の1番外側の電子のラブが1公転で作る磁気の光子のエネルギーは、7.644×10−32J。
３８  木星ができる公転軌道を走る元素の1番外側の電子のラブが1公転で作る磁気の光子のエネルギーは、2.242×10−32J。
３９  土星ができる公転軌道を走る元素の1番外側の電子のラブが1公転で作る磁気の光子のエネルギーは、1.222×10−32J。
４０  天王星ができる公転軌道を走る元素の1番外側の電子のラブが1公転で作る磁気の光子のエネルギーは、5.361×10−33J。
４１  海王星ができる公転軌道を走る元素の1番外側の電子のラブが1公転で作る磁気の光子のエネルギーは、3.866×10−33J。
４２  第1世代の原始星
４３  核融合反応を起こすジェット
４４  ジェットが届いた半径＝5.91×108Km
４５  “水素の小惑星”
４６  第1世代の星が超新星爆発し、元素が飛んだ距離＝火星まで＝2.3×108Km
４７  第1世代の星が超新星爆発し、元素が飛んだ距離＝小惑星まで＝5.91×108Km
４８  中心に残った中性子星
４９  “水星の小惑星”が移動した距離＝5.91×108Km ＋2.3×108Km ＝8.21×108Km
５０  “水星の小惑星”が移動した距離＝5.91×108Km ＋5.91×108Km ＝11.82×108Km
５１  木星と成る元素が存在していた軌道の範囲は、5.031×108Kmから1.104×109Kmまで
５２  土星と成る元素が存在していた軌道の範囲は、1.104×109Kmから2.152×109Kmまで
５３  水星の軌道
５４  金星の軌道
５５  地球の軌道
５６  火星の軌道
５７  木星の軌道
５８  土星の軌道
５９  水星の軌道エネルギーは、2.288×103J。太陽から届く水星の軌道エネルギーと、水星が作る水星の軌道エネルギーは2.288×103Jで等しい。
６０  金星の軌道エネルギーは、1.225×103J。太陽から届く金星の軌道エネルギーと、金星が作る金星の軌道エネルギーは1.225×103Jで等しい。
６１  地球の軌道エネルギーは、8.857×102J。太陽から届く地球の軌道エネルギーと、地球が作る地球の軌道エネルギーは8.857×102Jで等しい。
６２  火星の軌道エネルギーは、5.814×102J。太陽から届く火星の軌道エネルギーと、火星が作る火星の軌道エネルギーは5.814×102Jで等しい。
６３  木星の軌道エネルギーは、1.702×102J。太陽から届く木星の軌道エネルギーと、木星が作る木星の軌道エネルギーは1.702×102Jで等しい。
６４  土星の軌道エネルギーは、9.270×10J。太陽から届く土星の軌道エネルギーと、土星が作る土星の軌道エネルギーは9.270×10Jで等しい。
６５  1公転で2.288×103Jの電気の光子と磁気の光子を作る水星
６６  1公転でできる2.288×103Jの電気の光子と
６７  １公転でできる2.288×103Jの磁気の光子
６８  1公転で1.225×103Jの電気の光子と磁気の光子を作る金星
６９  1公転でできる1.225×103Jの電気の光子
７０  １公転でできる1.225×103Jの磁気の光子
７１  1公転で8.857×102Jの電気の光子と磁気の光子を作る地球
７２  1公転でできた8.857×102Jの電気の光子
７３  １公転でできる2.288×103Jの磁気の光子
７４  1公転で5.814×102Jの電気の光子と磁気の光子を作る火星
７５  1公転でできた5.814×102Jの電気の光子
７６  1公転でできる5.814×103Jの磁気の光子
７７  1公転で1.702×102Jの電気の光子と磁気の光子を作る木星
７８  1公転でできた1.702×102Jの電気の光子
７９  1公転でできる1.702×102Jの磁気の光子
８０  1公転で9.270×10Jの電気の光子と磁気の光子を作る土星
８１  1公転でできる9.270×10Jの電気の光子
８２  1公転でできる9.270×10Jの磁気の光子
８３  5.444×10−15ｍの公転軌道を自転しながら公転する、1.592×10−9Jの陽子のラブ
８４  1秒間にできる、2.265×10−27Jの電気の光子が7.029×1017個
８５  1秒間にできる、2.845×10−35Jの磁気の光子が5.596×1025個
８６  5.760×10−14ｍの公転軌道を自転しながら公転する、1.504×10−10Jの陽子のラブ
８７  1秒間にできる、2.141×10−28Jの電気の光子が7.025×1017個
８８  1秒間にできる、8.689×10−36Jの磁気の光子が5.593×1025個
８９  10−11ｍの公転軌道を自転しながら公転する、8.665×10−13Jの電子のラブ
９０  1秒間にできる、1.233×10−30Jの電気の光子が7.028×1017個
９１  1秒間にできる、1.549×10−38Jの磁気の光子が5.601×1025個
９２  1.058×10−10ｍの公転軌道を自転しながら公転する、8.190×10−14Jの電子のラブ
９３  1秒間にできる、1.165×10−31Jの電気の光子が7.030×1017個
９４  1秒間にできる、1.464×10−39Jの磁気の光子が5.594×1025個
９５  電気の光子
９６  磁気の光子
９７  電気の光子の飛ぶ方向
９８  磁気の光子の飛ぶ方向
９９  高速加速器
１００  高速加速器の外に出た陽子のラブは、再び自転し公転し、元の陽子になる。
１０１  陽子のラブは、陽子のラブのまま、高速加速器の中を回転し続ける。
１０２  陽子のラブは、高速加速器の中で、自転し公転し、再び元の陽子になる。
１０３  太陽
【図１】
2009033965.tif 000040
【図２】
2009033965.tif 000041
【図３】
2009033965.tif 000042
【図４】
2009033965.tif 000043
【図５】
2009033965.tif 000044